(57)【要約】  ユーザーが触れにくい位置および支持具の取り付けに適した位置に支持具取付部を配置可能な撮像装置を提供する。カメラ本体（１００）は、支持具取付部（１５７）と、支持体ユニット（１０）と、を有している。支持具取付部（１５７）は、支持具を取り付け可能な第１ネジ穴（４０ａ）と、露出面（１５９）と、を有している。支持体ユニット（１０）は、開口（２２）と開口（２２）の周囲に形成された外表面（１６２）とを有する外装部（１０１）を有し、支持具取付部（１５７）を移動可能に支持する。支持具取付部（１５７）は、支持具が取り付けられていない場合に第１位置に配置され、支持具が取り付けられている場合に第２位置に配置される。
2010150553.tif 000002
【特許請求の範囲】
【請求項１】
支持具を取り付け可能な撮像装置であって、
前記支持具を取り付け可能な第１ネジ穴と、前記第１ネジ穴の入口の周囲に形成された露出面と、を有する支持具取付部と、
前記露出面を露出可能に形成された開口と前記開口の周囲に形成された外表面とを有する外装部を有し、前記支持具取付部を移動可能に支持する支持体ユニットを備え、
前記支持具取付部は、前記支持具が取り付けられていない場合に第１位置に配置され、前記支持具が取り付けられている場合に第２位置に配置され、
前記支持具取付部が前記第１位置に配置されると、前記露出面は前記外表面よりも前記外装部の内側に配置され、
前記支持具取付部が前記第２位置に配置されると、前記露出面と前記外表面とが同一平面上に配置され、もしくは、前記支持具取付部は前記外表面から突出している、
撮像装置。
【請求項２】
前記支持具取付部に前記支持具を取り付ける動作に連動して、前記支持具取付部は前記第１位置から前記第２位置へ移動し、
前記支持具取付部から前記支持具を取り外す動作に連動して、前記支持具取付部は前記第２位置から前記第１位置へ移動する、
請求項１に記載の撮像装置。
【請求項３】
前記支持具取付部が前記第２位置に配置された場合に、前記露出面が前記支持具と当接している、
請求項１または２に記載の撮像装置。
【請求項４】
前記支持体ユニットは、前記支持体ユニットに対する前記支持具取付部の移動を制限する第１受け部と、前記第１受け部と前記外表面との間に配置され前記支持体ユニットに対する前記支持具取付部の移動を制限する第２受け部と、を有しており、
前記支持具取付部は、前記第１位置に配置された場合には前記第１受け部により移動を制限されており、前記第２位置に配置された場合には前記第２受け部により移動を制限されている、
請求項１から３のいずれかに記載の撮像装置。
【請求項５】
前記第１受け部は、前記支持具取付部の前記露出面とは反対側に配置されている、
請求項４に記載の撮像装置。
【請求項６】
前記支持具取付部は、前記露出面よりも前記第１受け部側に配置された第１部分を有しており、前記第１部分の少なくとも一部は、前記第１受け部と前記第２受け部との間に配置されている、
請求項４または５に記載の撮像装置。
【請求項７】
前記第１位置では、前記第１部分は前記第１受け部と当接し、
前記第２位置では、前記第１部分は前記第２受け部と当接している、
請求項６に記載の撮像装置。
【請求項８】
前記第１ネジ穴は中心線を有しており、
前記第１部分の前記中心線に平行な第１方向での第１寸法は、前記第１受け部と前記第２受け部との間隔の第１方向での第２寸法よりも小さい、
請求項４から７のいずれかに記載の撮像装置。
【請求項９】
前記外表面と前記第１位置での前記露出面との前記第１方向での第１距離は、前記第２寸法と前記第１寸法との差と概ね等しい、もしくは、前記第２寸法と前記第１寸法との差よりも小さい、
請求項８に記載の撮像装置。
【請求項１０】
前記支持体ユニットと前記支持具取付部とを弾性的に連結する弾性部材をさらに備え、
前記支持具が前記支持具取付部に取り付けられていない場合には、前記弾性部材は前記支持具取付部を前記第１受け部に押し付けている、
請求項４から９に記載の撮像装置。
【請求項１１】
前記支持具が前記支持具取付部に取り付けられていない場合には、前記弾性部材は前記支持具取付部が前記第１位置に配置されるように前記支持具取付部に弾性力を付与しており、
前記支持具が前記支持具取付部に取り付けられると、前記弾性部材が縮められ、前記支持具取付部は前記第２位置に配置される、
請求項１０記載の撮像装置。
【請求項１２】
前記支持具が前記支持具取付部に取り付けられていない場合には、前記第１受け部は前記弾性部材に付勢された前記支持具取付部の移動を前記支持具取付部が前記第１位置に配置されるように制限しており、
前記支持具が前記支持具取付部に取り付けられると、前記第２受け部は前記弾性部材の収縮を伴う前記支持具取付部の移動を前記支持具取付部が前記第２位置に配置されるように制限する、
請求項１０または１１に記載の撮像装置。
【請求項１３】
前記支持具取付部を前記第１位置に保持可能な保持部材をさらに備えた、
請求項１から１２のいずれかに記載の撮像装置。
【請求項１４】
前記支持体ユニットは、前記第１受け部と前記第２受け部との間に形成された第２ネジ穴を有しており、
前記支持具取付部は、前記第２ネジ穴に嵌め込み可能なネジ部を有し、前記第２ネジ穴に移動可能に装着されている、
請求項４から９のいずれかに記載の撮像装置。
【請求項１５】
前記ネジ部は、前記第１部分の外周部に形成されている、
請求項１４に記載の撮像装置。
【請求項１６】
前記支持具取付部は前記支持体ユニットに対して前記支持具と一体回転可能である、
請求項１４または１５に記載の撮像装置。
【請求項１７】
前記第１ネジ穴は右ネジに対応して形成され、前記第２ネジ穴は左ネジに対応して形成されている、
請求項１４から１６のいずれかに記載の撮像装置。
【請求項１８】
前記第２ネジ穴に形成されたネジのピッチは、前記第１ネジ穴に形成されたネジのピッチよりも大きい、
請求項１４から１７のいずれかに記載の撮像装置。
【請求項１９】
前記支持体ユニットは、強度を確保するフレームを有しており、
前記第１受け部および前記第２受け部の少なくともいずれか一方は、前記フレームに形成されている、
請求項４から１８のいずれかに記載の撮像装置。
【請求項２０】
前記第１受け部および前記第２受け部の少なくともいずれか一方は、前記外装部に形成されている、
請求項４から１９のいずれかに記載の撮像装置。
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダーに導かれる。
上記のような撮像装置には、三脚や一脚などの支持具を取り付けるための支持具取付部が設けられる場合がある。例えば、底面に三脚具取付部が固定された交換レンズ式のデジタルカメラが知られている。デジタルカメラを支持する三脚を支持具取付部に取り付けることにより、デジタルカメラの姿勢を安定させて撮影を行なうことができる。
【先行技術文献】
【特許文献】
【０００３】
【特許文献１】特開２００７−１２７８３６号公報
【発明の概要】
【発明が解決しようとする課題】
【０００４】
従来から撮像装置の小型化が求められており、例えば交換レンズ式のデジタルカメラにおいては、カメラ本体の小型化が求められている。
しかし、カメラ本体を小型化することにより、部品が密集して配置されるので、撮像素子やカメラコントローラーの実装された基板などの熱を発生する電子部品と支持具取付部との距離は、従来のカメラ本体に比べて小さくなっている。
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇するおそれがある。ユーザーが支持具取付部に触れて周辺の温度と支持具取付部の温度との温度差を感知した場合、ユーザーが違和感を覚える可能性がある。【０００５】
その一方で、支持具により撮像装置を支えるためには、支点としての支持具取付部の近くに支持具を配置することが望ましい。つまり、支持具の取り付けに適した位置に支持具取付部が配置されていることが望ましい。
【課題を解決するための手段】
【０００６】
ここに開示される撮像装置は、支持具を取り付け可能であり、支持具取付部と、支持体ユニットと、を備えている。支持具取付部は、支持具を取り付け可能な第１ネジ穴と、第１ネジ穴の入口の周囲に形成された露出面と、を有する。支持体ユニットは、露出面を露出可能に形成された開口と開口の周囲に形成された外表面とを有する外装部を有し、支持具取付部を移動可能に支持する。そして、支持具取付部は、支持具が取り付けられていない場合に第１位置に配置され、支持具が取り付けられている場合に第２位置に配置される。支持具取付部が第１位置に配置されると、露出面は外表面よりも外装部の内側に配置される。また、支持具取付部が第２位置に配置されると、露出面と外表面とが同一平面上に配置され、もしくは、支持具取付部は外表面から突出している。
ここで、支持具とは、撮影時に撮像装置の姿勢を安定させるために撮像装置に取り付けられる固定用の用具である。支持具としては、例えば、三脚や一脚が考えられる。【０００７】
また、ここでの撮像装置は、単体での撮影が可能な撮像装置だけでなく、カメラ本体を含む概念である。例えば、撮像装置にはレンズユニットを装着可能な交換レンズ式カメラのカメラ本体が含まれる。
また、露出面と外表面とが同一平面上に配置されるとは、露出面と外表面とが共通の平面に接している場合の露出面と外表面との関係を意味している。例えば、外表面を延長させて得られる平面に露出面が接している場合は、露出面と外表面とが同一平面上に配置されているといえる。
この撮像装置では、支持具が支持具取付部に取り付けられていない場合には露出面が外表面よりも外装部の内側に配置されるので、ユーザーが触れにくい位置に露出面を配置できる。したがって、ユーザーが支持具取付部に触れて支持具取付部の温度と周辺の温度との温度差を感じる頻度が低減される。一方で、支持具が支持具取付部に取り付けられている場合には露出面と外表面とが同一平面上に配置され、もしくは、支持具取付部が外表面から突出するので、支持具取付部を支持具に近づけることができる。
【発明の効果】
【０００８】
このように、この撮像装置によれば、ユーザーが支持具取付部に触れて違和感を覚える可能性を低減することができるとともに、支持具の取り付けに適した位置に支持具取付部を配置することができる。
【図面の簡単な説明】
【０００９】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６】（Ａ）一眼レフレックスカメラ８００の概略断面図、（Ｂ）デジタルカメラ１の概略断面図。
【図７】（Ａ）支持具取付部１５７および支持体ユニット１０の断面図（支持具が取り付けられていない場合）、（Ｂ）支持具取付部１５７および支持体ユニット１０の断面図（支持具が取り付けられている場合）、（Ｃ）支持具取付部１５７および位置決め部３２の斜視図。
【図８】（Ａ）支持具取付部１５７および支持体ユニット４１０の断面図（支持具が取り付けられていない場合）、（Ｂ）支持具取付部１５７および支持体ユニット４１０の断面図（支持具が取り付けられている場合）、（Ｃ）支持具取付部１５７および位置決め部４３２の斜視図
【図９】（Ａ）支持具取付部５５７および支持体ユニット５１０の断面図（支持具が取り付けられていない場合）、（Ｂ）支持具取付部５５７および支持体ユニット５１０の断面図（支持具が取り付けられている場合）、（Ｃ）図９（Ｂ）のIXＣ−IXＣ断面図。
【図１０】（Ａ）支持具取付部５５７への支持具の取り付けを示した図、（Ｂ）支持具取付部５５７への支持具の取り付けを示した図、（Ｃ）支持具取付部５５７から支持具を取り外す動作を示した図。
【発明を実施するための形態】
【００１０】
〔第１実施形態〕
＜１−１：デジタルカメラの概要＞
図１は、第１実施形態に係るカメラ本体１００を有するデジタルカメラ１（撮像装置の一例）の斜視図である。図２は、カメラ本体１００の斜視図である。図３は、デジタルカメラ１の機能ブロック図である。
デジタルカメラ１は、被写体の画像を取得するための交換レンズ式のデジタルカメラであり、カメラ本体１００と、カメラ本体１００に装着可能なレンズユニット２００と、を備えている。
一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１１】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側ともいう。
ここで横撮り姿勢とは、横長の長方形である画像の長辺に平行な方向が画像内での被写体の水平方向と一致し、かつ、画像の短辺に平行な方向が画像内での被写体の鉛直方向と一致する場合に、レリーズ釦１３１（図１）が撮影時に押される方向が鉛直下向きと概ね一致する姿勢をいう。
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。
【００１２】
さらに、デジタルカメラ１の横撮り姿勢での鉛直方向を上下方向もしくは縦方向という。同様に、デジタルカメラ１の横撮り姿勢での左右の方向を左右方向もしくは横方向という。
また、上下方向および左右方向に垂直な方向は前後方向と一致しており、被写体を向く方向を前方向といい、前方向と逆向きを後ろ方向という。
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
＜１−２：カメラ本体の構成＞
図４は、デジタルカメラ１の概略断面図である。図５は、カメラ本体１００の背面図である。カメラ本体１００（撮像装置の一例）は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６５と、カードスロット１７０と、電子ビューファインダー１８０と、シャッターユニット１９０と、光学的ローパスフィルタ１１４と、振動板１１５と、メインフレーム１５４と、支持具取付部１５７と、コイルバネ１６０と、放熱部材１９８と、外装部１０１と、を備えている。
【００１３】
《外装部》
外装部１０１は、カメラ本体１００の外面を形成する部材であり、外装底面部１０１ａと、外装前面部１０１ｂと、を含んでいる。外装底面部１０１ａは横撮り姿勢においてＣＭＯＳイメージセンサー１１０の下側に配置され、外装前面部１０１ｂは被写体側に配置される。
カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、放熱板１９５、メイン回路基板１４２、カメラモニタ１２０が配置されている。また、メインフレーム１５４の一部はボディマウント１５０と光軸ＡＸに平行な方向（以下、光軸方向ともいう）に重複した位置に配置されている。
【００１４】
《ＣＭＯＳイメージセンサー》
ＣＭＯＳイメージセンサー１１０は、レンズユニット２００を介して入射される被写体の光学像（以下、被写体象ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なおＣＭＯＳ回路基板１１３の機能はＣＭＯＳイメージセンサー１１０、もしくはメイン回路基板１４２に含まれていてもよい。
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う。取得された動画データは、スルー画像の表示にも用いられる。なお、静止画データおよび動画データは、画像データの一例である。
【００１５】
ここで、スルー画像とは、動画データのうちメモリーカード１７１にデータを記録されない画像である。スルー画像は、主に動画像であり、動画像または静止画像の構図を決めるためにカメラモニタ１２０および／または電子ビューファインダー１８０（以下、ＥＶＦとも言う）に表示される。
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００１６】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
《カメラモニタ》
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
【００１７】
カメラモニタ１２０は、カメラ本体１００に設けられている。本実施形態では、カメラ本体１００の背面に配置されているが、カメラモニタ１２０はカメラ本体１００のどこに配置されていてもよい。カメラ本体１００に対するカメラモニタ１２０の表示面の角度は、変更可能である。具体的には図５に示すように、カメラ本体１００は、カメラモニタ１２０を外装部１０１に対して回転可能に連結するヒンジ１２１を有している。ヒンジ１２１は、外装部１０１の左端に配置されている。より詳細には、ヒンジ１２１は、具体的には第１のヒンジと第２のヒンジとを有している。第１のヒンジを中心に、カメラモニタ１２０は外装部１０１に対して左右方向に回転可能であり、第２のヒンジを中心に、外装部１０１に対して上下方向にも回転可能である。
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けられてもよい。
【００１８】
《電子ビューファインダー》
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
【００１９】
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
《操作部》
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００２０】
《カメラコントローラー》
カメラコントローラー１４０は、カメラ本体１００の中枢を司るデバイスであって、カメラ本体１００の各部を制御する。例えば、カメラコントローラー１４０は、電源１６５からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部（もしくはボディマイコン）の一例である。カメラコントローラー１４０は、メイン回路基板１４２上に配置されている。
【００２１】
《カードスロットおよびメモリーカード》
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に静止画データを格納する。カードスロット１７０は、メモリーカード１７１から静止画データを出力する。また、カードスロット１７０は、メモリーカード１７１に動画データを格納する。カードスロット１７０は、メモリーカード１７１から動画データを出力する。
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイルを格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００２２】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
なお、メモリーカード１７１は記憶部の一例である。記憶部は、メモリーカード１７１のようにカメラ本体１００に装着可能なものでもよく、デジタルカメラ１に固定されているものでもよい。
【００２３】
《電源》
電源１６５は、デジタルカメラ１で使用するための電力を各部に供給する。電源１６５は、例えば、乾電池であってもよいし、充電池であってもよい。また、電源１６５は、電源コード等を介して外部から電力の供給を受け、デジタルカメラ１に電力を供給するユニットであってもよい。
《ボディマウント》
ボディマウント１５０は、レンズユニット２００を装着可能であり、ボディマウントリング１５１と、電気接点１５３と、を含んでいる。ボディマウント１５０は、レンズユニット２００のレンズマウント２５０と機械的及び電気的に接続可能である。
ボディマウントリング１５１は、外装部１０１の外装前面部１０１ｂに設けられたリング状の部材であり、レンズユニット２００に設けられたレンズマウントリング２５１と嵌合することにより、レンズユニット２００を機械的に支持する。レンズマウントリング２５１は、いわゆるバヨネット機構によりボディマウントリング１５１に嵌め込まれる。具体的には、レンズマウントリング２５１は、ボディマウントリング１５１との光軸まわりの回転位置関係に応じて、ボディマウントリング１５１と嵌合していない第１の状態と、ボディマウントリング１５１と嵌合している第２状態と、をとり得る。
【００２４】
より詳細には、レンズマウントリング２５１は、ボディマウントリング１５１に対して光軸方向に移動可能な第１の状態をとり得る。このような第１の状態では、レンズマウントリング２５１はボディマウントリング１５１に挿入可能である。レンズマウントリング２５１をボディマウントリング１５１に挿入された状態でボディマウントリング１５１に対して回転させると、レンズマウントリング２５１はボディマウントリング１５１に嵌合する。このときのボディマウントリング１５１とレンズマウントリング２５１との回転位置関係が第２の状態である。
レンズマウントリング２５１を支持するために、ボディマウントリング１５１には強度が要求されるので、ボディマウントリング１５１は金属で形成されているのが好ましい。本実施形態では、ボディマウントリング１５１は、金属で形成されている。
【００２５】
レンズユニット２００がカメラ本体１００に装着されている状態で、電気接点１５３は、レンズマウント２５０が有する電気接点２５３と接触している。このように、ボディマウント１５０とレンズマウント２５０とは、ボディマウント１５０の電気接点１５３とレンズマウント２５０の電気接点２５３とを介して、電気的に接続可能である。したがって、デジタルカメラ１は、ボディマウント１５０とレンズマウント２５０とを介して、カメラ本体１００とレンズユニット２００との間で、データおよび制御信号のうち少なくとも一方を送受信できる。具体的には、ボディマウント１５０とレンズマウント２５０とは、カメラコントローラー１４０とレンズユニット２００に含まれるレンズコントローラー２４０との間で、データおよび制御信号のうち少なくとも一方を送受信できる。また、ボディマウント１５０は、電源１６５から受けた電力を、レンズマウント２５０を介してレンズユニット２００全体に供給する。
【００２６】
ボディマウント１５０は、ボディマウント支持部１５２を介してメインフレーム１５４に支持されている。より詳細には、ボディマウント支持部１５２はボディマウントリング１５１と接続されており、ボディマウントリング１５１を支持している。
ボディマウント支持部１５２は、メインフレーム１５４により支持され、ボディマウントリング１５１とシャッターユニット１９０との間に配置されている。
《シャッターユニット》
シャッターユニット１９０は、いわゆるフォーカルプレーンシャッターであり、ＣＭＯＳイメージセンサー１１０への光を遮蔽可能である。シャッターユニット１９０は、ボディマウント１５０とＣＭＯＳイメージセンサー１１０との間に配置される。シャッターユニット１９０は、後幕と、先幕と、シャッター支持枠と、を有する。シャッター支持枠には、被写体からＣＭＯＳイメージセンサー１１０へ導かれる光の通る開口が設けられている。シャッターユニット１９０は、後幕および先幕をシャッター支持枠の開口に進退させることにより、ＣＭＯＳイメージセンサー１１０の露光時間を調節する。シャッターユニット１９０は、機械的に開口状態を保持できる。機械的に保持するとは、電気の力を使わずに開口状態を保持するという概念であり、例えば、物と物との係合や永久磁石による保持を含む。
【００２７】
《光学的ローパスフィルタおよび振動板》
光学的ローパスフィルタ１１４は、被写体から入射した光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。なお、光学的ローパスフィルタ１１４には、赤外光をカットするためのＩｒカットフィルタ機能も併せ持たせている。
振動板１１５は、ＣＭＯＳイメージセンサー１１０よりも前に配置され、振動板支持部１１６により支持されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、圧電素子と、圧電素子を介して板状部材を固定する固定部材と、を含んでいる。そして、交流電圧が印加されて圧電素子が振動すると、板状部材が振動する。振動板支持部１１６は、振動板１１５をＣＭＯＳイメージセンサー１１０に対して所定の位置に配置されるように支持している。振動板支持部１１６は、ボディマウント１５０およびシャッターユニット１９０を介してメインフレーム１５４に支持されている。
【００２８】
《支持体ユニット》
図７（Ａ）および図７（Ｂ）に示すように、支持体ユニット１０は支持具取付部１５７を移動可能に支持するユニットであり、外装部１０１と、メインフレーム１５４と、を含んでいる。
前述のように、外装部１０１は外装底面部１０１ａを有している。外装底面部１０１ａには、開口部２０が形成されている。開口部２０は、外装底面部１０１ａに形成された開口２２と、外表面１６２と、を有している。開口２２からは、支持具取付部１５７が露出している。
開口２２（開口の一例）は、中心線ＣＬ方向（後述）に貫通している。開口２２には、支持具取付部１５７が摺動可能に挿入されている。具体的には、開口２２には支持具取付部１５７の本体部４０（後述）が挿入され、本体部４０と開口２２の間には隙間が形成されている。開口２２は、支持具取付部１５７が移動する際に、中心線ＣＬ方向に支持具取付部１５７を案内する。
【００２９】
外表面１６２は、開口２２の周囲に形成された概ね平坦な面であり、外部に露出している。本実施形態では、支持具取付部１５７に支持具が取り付けられた場合に、外表面１６２は支持具と当接する。
メインフレーム１５４（フレームの一例）は、フレーム底面部１５４ａと、フレーム前面部１５４ｂと、を有しており、カメラ本体１００の外装部１０１の内部に配置される。メインフレーム１５４は、カメラ本体１００の内部において、外装前面部１０１ｂおよび外装底面部１０１ａに沿って配置されている。より詳細には、フレーム前面部１５４ｂはカメラ本体１００の外装前面部１０１ｂに沿って配置されており、フレーム底面部１５４ａはカメラ本体１００の外装底面部１０１ａに沿って配置されている。
フレーム前面部１５４ｂはボディマウント支持部１５２に接続されている。つまり、メインフレーム１５４はボディマウント１５０およびボディマウント支持部１５２を介してレンズユニット２００を支持している。そのため、メインフレーム１５４にはある程度の強度が必要である。したがって、メインフレーム１５４は、金属で形成されているのが好ましい。メインフレーム１５４の材質として、例えばアルミやステンレス合金が考えられる。
【００３０】
フレーム底面部１５４ａは、プレート部３０と、位置決め部３２と、有している。プレート部３０は、板状に形成されており、外装底面部１０１ａに沿って配置されている。プレート部３０には、開口２２に対応する位置に貫通孔３０ａが形成されている。
位置決め部３２は、支持体ユニット１０に対する支持具取付部１５７の移動を制限するための部分であり、支柱部３４と、第１受け部１５５と、第２受け部１５６と、を有している。
支柱部３４は、プレート部３０から外装部１０１の内側に突出しており、第１柱部３４ａと、第２柱部３４ｂと、第３柱部３４ｃと、第４柱部３４ｄと、を有している。第１柱部３４ａ〜第４柱部３４ｄは貫通孔３０ａの周りに配置されている。
図７（Ｃ）に示すように、第１柱部３４ａ〜第４柱部３４ｄは、支持具取付部１５７を囲んでいる。具体的には、第１柱部３４ａと第３柱部３４ｃとは、支持具取付部１５７を挟んで対向している。また、第２柱部３４ｂと第４柱部３４ｄとは、支持具取付部１５７を挟んで対向している。
【００３１】
第１受け部１５５は、支柱部３４の外表面１６２と反対側の端部に固定されており、支持具取付部１５７の移動を制限する。
第２受け部１５６は、第１受け部１５５と外表面１６２との間に配置されており、支持具取付部１５７の移動を制限する。第２受け部１５６は、例えば、支柱部３４と一体形成されている。
第１受け部１５５は、支柱部３４から突出する４つの第１突起１５５−１〜第１突起１５５−４を有している。また、第２受け部１５６は、支柱部３４から突出する４つの第２突起１５６−１〜第２突起１５６−４を有している。具体的には、第１突起１５５−１および第２突起１５６−１は、第１柱部３４ａから突出している。第１突起１５５−２および第２突起１５６−２は、第２柱部３４ｂから突出している。第１突起１５５−３および第２突起１５６−３は、第３柱部３４ｃから突出している。第１突起１５５−４および第２突起１５６−４は、第４柱部３４ｄから突出している。
【００３２】
《支持具取付部》
支持具取付部１５７は、三脚などの支持具を取り付けるための部材であり、本体部４０と、支持具取付部上部１５８と、を有している。本体部４０は、円柱状の部材であり、第１ネジ穴４０ａと、露出面１５９と、を有する。露出面１５９は、支持具取付部１５７の端面であり、開口部２０から外部に露出可能に配置されている。また、露出面１５９は第１ネジ穴４０ａの入口４０ｂの周囲に形成されている。
第１ネジ穴４０ａは、開口部２０から外部に露出可能に配置され、支持具のネジ（図示せず）を取付可能に設けられている。具体的には、支持具が取り付けられていない場合には、第１ネジ穴４０ａは開口２２から露出している。ユーザーは開口部２０から第１ネジ穴４０ａに支持具のネジを挿入することができる。第１ネジ穴４０ａは中心線ＣＬを有している。以下では、中心線ＣＬに平行な方向を中心線ＣＬ方向（第１方向の一例）という。図７（Ｂ）に示すように、本実施形態では、中心線ＣＬ方向はＺ軸方向と概ね一致している。
【００３３】
支持具のネジは、中心線ＣＬ方向に沿って第１ネジ穴４０ａに挿入される。第１ネジ穴４０ａには支持具に設けられたネジを介して比較的大きな力が作用するので、支持具取付部１５７にはある程度の強度が必要である。従って、支持具取付部１５７は、金属で形成されていることが好ましい。
一方、支持具取付部１５７の温度上昇を抑制するために、支持具取付部１５７は熱伝導率が比較的小さい金属で形成されていることが望ましい。強度および熱伝導率に関するこれらの条件を満たす材質としては、例えばステンレス合金が考えられる。
なお、図４に示すように、支持具取付部１５７はＣＭＯＳイメージセンサー１１０の下側に配置されており、支持具取付部１５７はＺ軸方向に沿ってＣＭＯＳイメージセンサー１１０と並んでいる。このように支持具取付部１５７を配置すれば、ＣＭＯＳイメージセンサー１１０の周辺に重量の比較的大きい部品（例えば、レンズユニット２００）が配置されている場合であっても、支持具取付部１５７を中心とした重量分布に偏りが生じにくくなる。その結果、支持具に取り付けられたときにデジタルカメラ１が安定しやすくなる。
【００３４】
支持具取付部上部１５８（第１部分の一例）は、本体部４０の露出面１５９とは反対側に配置され、第１受け部１５５および第２受け部１５６と当接可能である。支持具取付部上部１５８は、例えば本体部４０と一体形成されており、本体部４０から突出するフランジ部１５８ａを有している。
図７（Ａ）に示すように、支持具取付部上部１５８の一部は、第１受け部１５５と第２受け部１５６との間に配置されている。具体的には、フランジ部１５８ａの一部が、第１受け部１５５と第２受け部１５６との間に配置されている。また、図７（Ｂ）に示すように、第１受け部１５５と第２受け部１５６とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部１５５と第２受け部１５６との間隔の中心線ＣＬ方向での第２寸法Ｗ２よりも小さく設定されている。
【００３５】
このように、支持具取付部１５７の上方向（つまり、Ｚ軸正方向）の移動は第１受け部１５５により制限され、支持具取付部１５７の下方向（つまり、Ｚ軸負方向）への移動は第２受け部１５６により制限されている。
以下では、第１受け部１５５に当接している場合の支持具取付部１５７の位置を第１位置という。また、第２受け部１５６に当接している場合の支持具取付部１５７の位置を第２位置という。図７（Ａ）は、第１位置に配置された支持具取付部１５７を示しており、図７（Ｂ）は、第２位置に配置された支持具取付部１５７を示している。
第１位置では、露出面１５９は外表面１６２よりも外装部１０１の内側に配置されている。言い換えれば、露出面１５９は外表面１６２よりも第１受け部１５５側に配置されているとも言える。また、開口部２０と露出面１５９とにより凹部５０が形成されているとも言える。図７（Ａ）では、凹部５０が二点鎖線で示されている。
【００３６】
外表面１６２と第１位置での露出面１５９との中心線ＣＬ方向の第１距離Ｄ１（つまり、凹部５０の深さ）は、ユーザーが露出面１５９に触れにくくなる程度の大きさであればよく、例えば、２〜３ｍｍに設定することができる。
第２位置では、露出面１５９および外表面１６２は同一平面上に配置されている。なお、露出面１５９は必ずしも平面でなくてもよく、支持具を支えることができれば、露出面１５９は平面以外であってもよい。例えば、露出面１５９が曲面であってもよい。また、「露出面１５９と外表面１６２とが同一平面上に配置される」とは、露出面１５９と外表面１６２とが共通の平面に接している場合の露出面１５９と外表面１６２との関係を意味している。したがって、露出面１５９が曲面であっても、外表面１６２を延長させて得られる平面に露出面１５９が接している場合は、露出面１５９と外表面１６２とは同一平面上に配置されているといえる。
【００３７】
《コイルバネ》
コイルバネ１６０（弾性部材の一例）は、支持具取付部１５７と支持体ユニット１０とを弾性的に連結する弾性部材であり、外装底面部１０１ａと支持具取付部上部１５８との間に配置されている。
コイルバネ１６０は、例えば圧縮コイルバネであり、本体部４０に嵌め込まれている。具体的には図７（Ａ）に示すように、第２受け部１５６と本体部４０との間には隙間が形成されており、その隙間にはコイルバネ１６０が配置されている。また、コイルバネ１６０の一方の端は支持具取付部上部１５８に当接しており、他方の端は外装底面部１０１ａと当接している。
支持具取付部１５７に支持具が取り付けられていない場合には、コイルバネ１６０は支持具取付部１５７を第１位置に保持している。具体的には、コイルバネ１６０は支持具取付部１５７を第１受け部１５５に押し付けており、支持具取付部上部１５８は第１受け部１５５に当接している。
【００３８】
支持具取付部１５７に支持具が取り付けられている場合には、支持具取付部１５７が第２位置に配置される。支持具取付部１５７が第１位置から第２位置へ移動すると、支持具取付部上部１５８がコイルバネ１６０側に移動するので、コイルバネ１６０の圧縮量が増加する。ここで、支持具が取り付けられた支持具取付部１５７は、支持具のネジにより支持具に引き寄せられている。したがって、コイルバネ１６０の弾性力が作用していても、支持具取付部１５７は第２位置に保持される。
以上のように、支持具取付部１５７は、支持体ユニット１０およびコイルバネ１６０に支持されている。具体的には、支持具取付部１５７は、外装底面部１０１ａと、フレーム底面部１５４ａと、コイルバネ１６０と、により支持されている。コイルバネ１６０は支持具取付部上部１５８と外装底面部１０１ａとの間に配置されている。また、支持具取付部上部１５８は、コイルバネ１６０のバネ力により付勢され、第１受け部１５５と第２受け部１５６との間で上下し、位置決めされる。そして、支持具が取り付けられていない場合には、支持具取付部１５７はコイルバネ１６０の付勢力によってカメラ本体１００の内部に押し上げられ、支持具取付部上部１５８が第１受け部１５５と当接することで位置決めされる。一方で、支持具が取り付けられた場合には、支持具取付部１５７は支持具のネジの締め付け力によってカメラ本体１００の外部へ向かう方向（Ｚ軸負方向）に引き出され、支持具取付部上部１５８が第２受け部１５６と当接することで位置決めされる。
【００３９】
なお、支持具取付部１５７を支持体ユニット１０に組み付ける方法として、どのような方法が用いられても構わない。例えば、支柱部３４と第２受け部１５６とを一体形成し、支柱部３４をプレート部３０に固定することができる。次に、支柱部３４の間に支持具取付部１５７およびコイルバネ１６０が配置される。さらに、支柱部３４に第１受け部１５５が固定される。このようにして、支持具取付部１５７を支持体ユニット１０に組み付けることができる。
なお、本実施形態では第１受け部１５５は支柱部３４から突出する第１突起１５５−１〜第１突起１５５−４であったが、第１受け部１５５は必ずしも突起でなくてもよい。例えば、第１受け部１５５をプレート状に形成し、支柱部３４に固定してもよい。また、支柱部３４の上部を覆うとともに第１受け部１５５としての機能を有するキャップが設けられていてもよい。つまり、支柱部３４の全体を覆うキャップが、支持具取付部１５７の上方向への移動を制限していてもよい。
【００４０】
《放熱部材》
放熱部材１９８は、放熱板１９５と、熱伝導部１９６と、を有している。放熱板１９５は、ＣＭＯＳイメージセンサー１１０とメイン回路基板１４２の間に配置されている。具体的には、放熱板１９５は、ＣＭＯＳ回路基板１１３とメイン回路基板１４２の間に配置されている。放熱板１９５は、ＣＭＯＳイメージセンサー１１０により発生した熱を放熱するための長方形の板状部材である。放熱板１９５の材質として例えばアルミや銅等の金属を用いれば、好ましい放熱効果を得ることができる。
放熱板１９５には、振動板支持部１１６に熱を伝えるために熱伝導部１９６が接続されている。熱伝導部１９６は振動板支持部１１６に接続され固定されている。ＣＭＯＳイメージセンサー１１０から発生した熱は、放熱板１９５および熱伝導部１９６を介して振動板支持部１１６に伝達される。このような熱の伝達を可能とするために、ＣＭＯＳイメージセンサー１１０の背面には放熱板１９５が配置され、放熱板１９５から振動板支持部１１６まで熱伝導部１９６が延びている。
【００４１】
より詳細には、熱伝導部１９６は４枚のプレートを有しており、放熱板１９５の上下の端および左右の端からプレートが前方へ延びている。言い換えれば、熱伝導部１９６はＣＭＯＳイメージセンサー１１０の上下左右を囲うようにして配置されている。このように、ＣＭＯＳイメージセンサー１１０は、放熱板１９５および熱伝導部１９６により、上側、両側方、下側および後ろ側を囲い込まれている。
なお、熱伝導部１９６は必ずしも振動板支持部１１６に接続されていなくてもよく、メインフレーム１５４とＣＭＯＳイメージセンサー１１０との間に配置されるいずれかの部品と接続されていればよい。例として、ボディマウント支持部１５２やシャッターユニット１９０が考えられる。
なお、熱伝導部１９６は、必ずしも４箇所で振動板支持部１１６と接続している必要はない。例えば、４枚のプレートのうち少なくとも１枚が放熱板１９５を振動板支持部１１６に接続していればよい。しかしながら、放熱板１９５の安定性を考慮すると、３箇所以上で接続されることが望ましい。
【００４２】
＜１−３：レンズユニットの構成＞
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。
【００４３】
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
レンズマウント２５０は、レンズマウントリング２５１（図示せず）および電気接点２５３（図示せず）を有しており、前述のようにボディマウント１５０と機械的および電気的に接続できる。
【００４４】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号を駆動部２１５に伝える。駆動部２１５は制御信号に基づいてズームレンズ群２１０、ＯＩＳレンズ群２２０、フォーカスレンズ群２３０の位置を調節する。
一方で、カメラコントローラー１４０は、ＣＭＯＳイメージセンサー１１０が受けた光の量、静止画撮影を行うのか動画撮影を行うのか、絞り値が優先的に設定される操作がされているか等の情報に基づいて、絞りユニット２６０を動作させるための制御信号を生成する。このとき、レンズコントローラー２４０は、カメラコントローラー１４０で生成された制御信号を絞りユニット２６０へ中継する。
【００４５】
また、レンズコントローラー２４０は、光学系Ｌの各レンズ群および絞りユニット２６０の駆動を行なう場合、ＤＲＡＭ２４１をワークメモリとして使用する。また、フラッシュメモリ２４２は、レンズコントローラー２４０によって使用されるプログラムやパラメータを保存している。
レンズ筒２９０は、主に光学系Ｌと、レンズコントローラー２４０と、レンズマウント２５０と、絞りユニット２６０と、を内部に収容している。また、レンズ筒２９０の外部には、ズームリング２１３とフォーカスリング２３４とＯＩＳスイッチ２２４とが設けられている。
ズームリング２１３は筒状の部材であり、レンズ筒２９０の外周面で回転可能である。ズームリング２１３は、焦点距離を操作するための操作部の一例である。ズームリング２１３を回転させると、回転後のズームリング２１３の位置に応じて、光学系Ｌの焦点距離が決定される。ズームリング２１３の位置は、例えば、駆動部２１５に含まれる検出部によって検出される。
【００４６】
フォーカスリング２３４は筒状の部材であり、レンズ筒２９０の外周面で回転可能である。フォーカスリング２３４は、光学系ＬがＣＭＯＳイメージセンサー１１０上に形成する被写体像のフォーカス状態を操作するための操作部の一例である。フォーカスリング２３４を回転させると、回転後のフォーカスリング２３４の位置に応じて、被写体像のフォーカス状態が調節される。例えば、レンズコントローラー２４０はフォーカスリング２３４の位置情報に基づいて制御信号を生成し、駆動部２１５に出力する。駆動部２１５は、制御信号に基づいてフォーカスレンズ群２３０を駆動する。
ＯＩＳスイッチ２２４は、ＯＩＳを操作するための操作部の一例である。ＯＩＳスイッチ２２４をＯＦＦにするとＯＩＳは動作しない。ＯＩＳスイッチ２２４をＯＮにするとＯＩＳは動作可能となる。
【００４７】
＜１−４：構造の特徴＞
カメラ本体１００は、ミラーボックス装置を有しておらず、この点が一眼レフレックスカメラと異なっている。以下、図６（Ａ）および（Ｂ）を用いてカメラ本体１００の構造上の特徴をさらに詳細に説明する。
図６（Ａ）は一眼レフレックスカメラ８００の概略断面図、図６（Ｂ）は本実施形態のデジタルカメラ１の概略断面図である。なお、図６（Ｂ）では、ボディマウント１５０、シャッターユニット１９０、振動板１１５、振動板支持部１１６、放熱板１９５、熱伝導部１９６などの部材は省略されている。また、図６（Ｂ）では、支持具取付部１５７周辺の構造に関しては、詳細が省略されている。
図６（Ａ）に示す一眼レフレックスカメラ８００では、ＣＭＯＳイメージセンサー８１０の前面に、つまり、ＣＭＯＳイメージセンサー８１０のレンズユニット８０２側にミラーボックス装置が配置されている。ミラーボックス装置は、反射ミラー８０３とペンタプリズム８０４とを含んでいる。そして、ＣＭＯＳイメージセンサー８１０の背面に（つまり、ＣＭＯＳイメージセンサー８１０に対してレンズユニット８０２とは反対側に）、前からＣＭＯＳ回路基板８１３と、カメラコントローラー８４０を含むメイン回路基板８４２と、が順に配置されている。また、カメラ本体８０１の強度を確保するために金属製のメインフレーム８５４がカメラ本体８０１の内部の前面から底面に沿って配置されている。さらに、カメラ本体８０１の底面には支持具取付部８５７が設けられており、支持具取付部８５７はメインフレーム８５４に固定されている。
【００４８】
一眼レフレックスカメラ８００では、ミラーボックス装置に含まれる反射ミラー８０３およびペンタプリズム８０４によって、レンズユニット８０２により形成された被写体の光学像は、ＣＭＯＳイメージセンサー８１０または光学ファインダー８０５に導かれる。このように、カメラ本体８０１の内部に、可動式の反射ミラー８０３とペンタプリズム８０４を配置するスペース、および、反射ミラー８０３から光学ファインダー８０５までの光路のスペース、を確保する必要があるため、カメラ本体８０１は小型化に適していない。
その反面、カメラ本体８０１の内部にスペースが多いこと、カメラ本体８０１の表面積が大きいこと等の理由により、一眼レフレックスカメラ８００では、ＣＭＯＳイメージセンサー８１０からの発生した熱を放熱しやすい。また、支持具取付部８５７をＣＭＯＳイメージセンサー８１０から離れた位置に配置できるので、ＣＭＯＳイメージセンサー８１０から発生した熱が支持具取付部８５７に比較的伝わりにくい。
【００４９】
これに対し、図６（Ｂ）に示すように、本実施形態に係るデジタルカメラ１では、ＣＭＯＳイメージセンサー１１０の前側にミラーボックス装置が配置されないため、フランジバックを短くすることが可能となり、カメラ本体１００を小型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
その一方で、一眼レフレックスカメラ８００のようにミラーボックス装置が設けられているスペースが不要となるため、カメラ本体１００の小型化を図れるが、デジタルカメラ１では部品が密集して配置されるので、ＣＭＯＳイメージセンサー１１０と支持具取付部１５７との距離は、一眼レフレックスカメラ８００と比較して小さくなっている。
【００５０】
さらに、高画質化や動画撮影対応によりＣＭＯＳイメージセンサー１１０やカメラコントローラー１４０の消費電力が大きくなってしまい、ＣＭＯＳイメージセンサー１１０やカメラコントローラー１４０の発熱量が大きくなっている。
例えば、デジタルカメラ１では、高解像度の動画像の撮影にも対応したＣＭＯＳイメージセンサー１１０が採用されているため、高解像度の動画像の撮影に対応していないＣＭＯＳイメージセンサー（例えば、一眼レフレックスカメラ８００のＣＭＯＳイメージセンサー８１０）と比較して消費電力がおよそ３倍（０．４Ｗから１．２Ｗ）に増加している。その結果、ＣＭＯＳイメージセンサー１１０の発熱量は、高解像度の動画像の撮影に対応していないＣＭＯＳイメージセンサーの発熱量に比べて大きくなっている。
以上のように、デジタルカメラ１では一眼レフレックスカメラ８００と比較してＣＭＯＳイメージセンサー１１０やカメラコントローラー１４０等の電子部品の発熱量が増大しており、さらに、小型化に伴って支持具取付部１５７がＣＭＯＳイメージセンサー１１０の近くに配置されているので、ＣＭＯＳイメージセンサー１１０で発生した熱が支持具取付部１５７に伝わりやすくなる。そうすると、支持具取付部１５７に触れて周辺の温度と支持具取付部１５７の温度との温度差を感知したユーザーが、違和感を感じる可能性がある。
【００５１】
＜１−５：支持具の取り付けおよび取り外し＞
そこで、本実施形態に係るデジタルカメラ１では、ユーザーの触れにくい位置に支持具取付部１５７が配置されている。具体的には、支持具が支持具取付部１５７に取り付けられていない場合には、支持具取付部１５７がカメラ本体１００の内部に配置される。その結果、ユーザーが触れにくい位置に露出面１５９が配置される。
以下、本実施形態の支持具取付部１５７の構造についてさらに具体的に説明する。図７（Ａ）〜図７（Ｃ）は支持具取付部１５７周辺の構造を説明する概略図である。図７（Ａ）は支持具が取り付けられてない場合の支持具取付部１５７および支持体ユニット１０の断面図であり、図７（Ｂ）は支持具が取り付けられた場合の支持具取付部１５７および支持体ユニット１０の断面図であり、図７（Ｃ）は支持具取付部１５７付近の斜視図である。なお、図７（Ｂ）では、支持具は省略されている。また、図８（Ｃ）では、コイルバネ１６０は省略されている。
【００５２】
前述のように、本実施形態に係るデジタルカメラ１では、支持具取付部１５７は、第１位置と第２位置との間を移動可能である。支持具取付部１５７が第１位置に配置されている場合は、第１ネジ穴４０ａの入口４０ｂの周囲に形成された露出面１５９が外装部１０１の外表面１６２よりも第１受け部１５５側に位置している。支持具取付部１５７が第２位置に配置されている場合は、第１ネジ穴４０ａの入口４０ｂが形成された露出面１５９と外装部１０１の外表面１６２とが同一平面上に配置されている。
支持具が支持具取付部１５７に取り付けられていない場合には、支持具取付部１５７はコイルバネ１６０により第１位置に保持される。具体的には、支持具取付部上部１５８と外装底面部１０１ａとの間にコイルバネ１６０が配置されている。ユーザーが支持具を使用しない場合には、支持具取付部上部１５８が第１受け部１５５に当接する位置まで、支持具取付部１５７はカメラ本体１００の内部にコイルバネ１６０により付勢され押し上げられている。前述のように、このときの支持具取付部１５７の位置が第１位置（図７（Ａ）に示した支持具取付部１５７の位置）である。
【００５３】
ここで、支持具取付部１５７はＣＭＯＳイメージセンサー１１０の下側に配置されているので、ＣＭＯＳイメージセンサー１１０からの輻射熱や対流熱は支持具取付部１５７に比較的伝わりやすい。したがって、デジタルカメラ１では支持具取付部１５７の温度が上昇しやすいと言える。しかしながら、支持具取付部１５７がコイルバネ１６０によってカメラ本体１００の内部に押し上げられているので、ユーザーが露出面１５９に触れ難くなっている。結果として、ユーザーが露出面１５９に触れて違和感を感じる可能性を低減できる。
一方で、ユーザーが支持具を使用する場合には、ユーザーは支持具のネジを支持具取付部１５７にねじ込む。ユーザーが支持具のネジを支持具取付部１５７に対して回転させると、支持具のネジが第１ネジ穴４０ａにねじ込まれる。
【００５４】
ここで、支持具取付部１５７はコイルバネ１６０により第１受け部１５５に押し付けられているので、支持具取付部１５７が第１受け部１５５に対して回転すると、支持具取付部１５７と第１受け部１５５との間には摩擦力が発生する。そして、支持具取付部１５７と第１受け部１５５との間に発生する摩擦力が支持具取付部１５７の回転を抑制するので、支持具のネジを支持具取付部１５７に対して回転させることができる。なお、支持具取付部１５７の回転を抑制するための構造が設けられていてもよい。例えば、本体部４０の外周面に回り止めの突起を形成し、その突起を中心線ＣＬ方向に導くための溝を開口２２の内周面に形成してもよい。
支持具のネジが第１ネジ穴４０ａにねじ込まれると、支持具が外表面１６２と当接する。支持具のネジが第１ネジ穴４０ａにさらにねじ込まれると、支持具取付部１５７が支持具に近付くように移動する。このように、開口部２０と支持具取付部１５７とが支持具のネジにより締め付けられ、コイルバネ１６０が圧縮される。そして、支持具取付部１５７は、支持具取付部上部１５８が第２受け部１５６に当接するまでカメラ本体１００の外部側に（つまり、第１受け部１５５から遠ざかるように）移動する。
【００５５】
支持具取付部上部１５８が第２受け部１５６に当接している時、露出面１５９は外表面１６２と一致している。つまり、露出面１５９および外表面１６２は同一平面上に配置されている。前述のように、このときの支持具取付部１５７の位置が第２位置（図７（Ｂ）に示した支持具取付部１５７の位置）である。
本実施形態では、第１距離Ｄ１は、第２寸法Ｗ２と第１寸法Ｗ１との差と概ね等しい。このような寸法関係が満たされているので、支持具取付部１５７が第２位置に配置されると、露出面１５９と外表面１６２とが同一平面上に配置される。
カメラ本体１００に支持具が装着された場合には、露出面１５９が外表面１６２と一致しているので、支持具は支持具取付部１５７および外表面１６２を介してカメラ本体１００を支えることができる。したがって、カメラ本体１００の外装部１０１や支持具取付部１５７に支持具から過大な力が作用することを防止できる。
【００５６】
ここで、支持具が取り付けられたカメラ本体に関して、露出面１５９が外表面１６２と一致しない場合には、カメラ本体の取り扱いに注意が必要となる。一例として、支持具が取り付けられた場合に露出面１５９が外表面１６２よりもカメラ本体の内側に配置されるカメラ本体が考えられる。このようなカメラ本体では、露出面１５９と支持具の間に隙間が形成される。つまり、露出面１５９が支持具と当接しないので、支持具のネジに大きな力をかけることにより、支持部のネジを第１ネジ穴４０ａにさらにねじ込むことが可能である。したがって、ユーザーが支持具のネジに強い力をかけると、支持具取付部１５７に鉛直方向下向きに過大な引っ張り力がかかり続けることになり、支持具取付部１５７を支えている外装底面部１０１ａに歪みが生じる可能性がある。
また、別の例として、支持具が取り付けられた場合に露出面１５９が外表面１６２から大きく押し出されているカメラ本体が考えられる。このようなカメラ本体では、露出面１５９は支持具と当接するが、外表面１６２が支持具と当接しない。したがって、支持具がカメラ本体を支えるための支点は支持具取付部１５７のみであり、支持具取付部１５７に過大な負荷がかかる可能性がある。その結果、支持具取付部１５７もしくは支持体ユニット１０が破損する可能性がある。
【００５７】
一方で、本実施形態に係るカメラ本体１００では、支持具が取り付けられると、露出面１５９は外表面１６２と一致するまで押し出される。言い換えれば、支持具が支持具取付部１５７に取り付けられた場合に露出面１５９と外表面１６２とが一致するように、コイルバネ１６０、第１受け部１５５、および第２受け部１５６が配置されている。
図７（Ｃ）に示すように、本実施形態では第１受け部１５５は４つの第１突起１５５−１〜第１突起１５５−４を有しているが、第１受け部１５５は必ずしも４つの第１突起１５５−１〜第１突起１５５−４の全てを有している必要は無い。第１受け部１５５は支持具取付部１５７の移動を制限できればよいので、第１突起１５５−１〜第１突起１５５−４のうち少なくとも１つを有していればよい。
同様に、第２受け部１５６は４つの第２突起１５６−１〜第２突起１５６−４を有しているが、第２受け部１５６は必ずしも４つの第２突起１５６−１〜第２突起１５６−４の全てを有している必要は無い。第２受け部１５６は支持具取付部１５７の移動を制限できればよいので、第２突起１５６−１〜第２突起１５６−４のうち少なくとも１つを備えていればよい。
【００５８】
なお、本実施形態においては、第１受け部１５５および第２受け部１５６がメインフレーム１５４に設けられている。メインフレーム１５４は金属で形成された部材であるので、第１受け部１５５および第２受け部１５６の強度が確保されている。
特に、外装部１０１がメインフレーム１５４よりも強度が低い材質（例えば、合成樹脂）で形成されている場合には、メインフレーム１５４に第１受け部１５５もしくは第２受け部１５６を設けることにより、第１受け部１５５および第２受け部１５６の強度を高めることが出来る。
また、本実施形態においては、第１受け部１５５および第２受け部１５６の両方がメインフレーム１５４に設けられていたが、例えば第２受け部１５６のみをメインフレーム１５４に形成することも可能である。
【００５９】
＜１−６：効果＞
ここで、本実施形態に係るカメラ本体１００の効果についてまとめる。
（１）
このカメラ本体１００では、支持具が支持具取付部１５７に取り付けられていない場合に露出面１５９が外表面１６２よりも外装部１０１の内側に配置されるので、支持具取付部１５７をユーザーが触れにくい位置に配置できる。したがって、ユーザーが支持具取付部１５７に触れて支持具取付部１５７の温度と周辺の温度との温度差を感じる頻度を少なくすることができる。
一方で、支持具取付部１５７は支持体ユニット１０に移動可能に支持されており、支持具が支持具取付部１５７に取り付けられた場合には露出面１５９と外表面が同一平面上に配置されるので、支持具取付部１５７を支持具に近づけることができる。
【００６０】
このように、ユーザーに違和感を与える可能性を低減できるとともに、支持具の取り付けに適した位置に支持具取付部１５７を配置することができる。
（２）
このカメラ本体１００では、支持具取付部１５７を取り外す動作に連動して支持具取付部が第２位置から第１位置に移動するので、ユーザーによる余分の操作を必要とすることなく、ユーザーの触れにくい位置に支持具取付部１５７を移動させることができる。
具体的には、支持具取付部１５７は、コイルバネ１６０により支持体ユニット１０に弾性的に連結されており、支持具が取り付けられていない場合には第１受け部１５５に押し付けられている。したがって、支持具が取り付けられていない場合には、支持具取付部１５７はコイルバネ１６０により第１位置に保持される。さらに、支持具が支持具取付部１５７から取り外されると支持具取付部１５７がコイルバネ１６０により自動的に第１位置に移動するので、ユーザーの余分な動作を省くことができる。
【００６１】
（３）
このカメラ本体１００では支持具取付部１５７が第２位置に配置された場合に露出面１５９が支持具と接触しているので、カメラ本体１００は支持具取付部１５７を介して支持具に支持される。このように、支持具取付部１５７が支点として機能するので、支持具取付部１５７が支持具と接触できない場合に比べて、カメラ本体１００に負荷がかかりにくくなる。
（４）
このカメラ本体１００では、支持具取付部１５７の移動が第１受け部１５５および第２受け部１５６により制限される。具体的には、支持具取付部上部１５８の一部が第１受け部１５５と第２受け部１５６の間に配置され、第１位置での支持具取付部上部１５８は第１受け部１５５に当接し、第２位置での支持具取付部上部１５８は第２受け部１５６と当接する。このように、簡素な構成を用いつつ、支持具取付部１５７を第１位置および第２位置に精度良く配置することができる。
【００６２】
（５）
このカメラ本体１００では、第１受け部１５５および第２受け部１５６がメインフレーム１５４に形成されているので、第１受け部１５５および第２受け部１５６の強度を確保することができる。
〔第２実施形態〕
次に、第２実施形態について説明する。前述の第１実施形態では、支持体ユニット１０はメインフレーム１５４を含んでいたが、支持体ユニット１０からメインフレーム１５４を省略することも可能である。
第２実施形態に係るカメラ本体４００においては、第１実施形態のカメラ本体１００と比較して、フレーム底面部１５４ａが用いられておらず、また、外装底面部１０１ａの構造が異なっている。よって、ここでは主に外装底面部１０１ａおよび支持具取付部１５７について説明し、共通部分の説明は省略する。図８（Ａ）〜図８（Ｃ）は第２実施形態に係る支持体ユニット４１０の構造を説明する概略図である。図８（Ａ）は支持具が取り付けられていない場合の支持具取付部１５７および支持体ユニット４１０の断面図であり、図８（Ｂ）は支持具が取り付けられている場合の支持具取付部１５７および支持体ユニット４１０の断面図であり、図８（Ｃ）は支持具取付部１５７の斜視図である。なお、図８（Ｂ）では、支持具は省略されている。また、図８（Ｃ）では、コイルバネ１６０は省略されている。
【００６３】
＜２−１：構成＞
第２実施形態に係るカメラ本体４００では、支持具取付部上部１５８はメインフレーム１５４によって上下方向の移動を規制されるのではなく、外装部４０１に形成された第１受け部４６３および第２受け部４６４によって上下方向の移動を規制される。
支持体ユニット４１０は、支持具取付部１５７を移動可能に支持するユニットであり、外装部４０１を有している。
外装部４０１は、外装底面部４０１ａを有している。外装底面部４０１ａは、基部４３６と、位置決め部４３２と、を有している。
基部４３６は、カメラ本体１００の底面を形成する概ね板状の部材である。基部４３６には、開口部４２０が形成されている。開口部４２０は、基部４３６に形成された開口４２２（開口の一例）と、外表面４６２と、を有している。開口４２２からは、支持具取付部１５７が露出している。開口２２には、支持具取付部１５７が摺動可能に挿入されている。開口４２２は、中心線ＣＬ方向に貫通しており、支持具取付部１５７が移動する際に、中心線ＣＬ方向に支持具取付部１５７を案内する。外表面４６２は、開口４２２の周囲に形成された概ね平坦な面であり、外部に露出している。
【００６４】
位置決め部４３２は、支持具取付部１５７の移動を制限するための部分であり、支柱部４３４と、第１受け部４６３と、第２受け部４６４と、を有している。
支柱部４３４は、基部４３６から内側に突出しており、第１柱部４３４ａと、第２柱部４３４ｂと、第３柱部４３４ｃと、第４柱部４３４ｄと、を有している。第１柱部４３４ａ〜第４柱部４３４ｄは、開口部４２０の周りに配置されている。
第１柱部４３４ａ〜第４柱部４３４ｄは、支持具取付部１５７を囲んでいる。具体的には、第１柱部４３４ａと第３柱部４３４ｃとは、支持具取付部１５７を挟んで対向している。また、第２柱部４３４ｂと第４柱部４３４ｄとは、支持具取付部１５７を挟んで対向している。
第１受け部４６３は、支柱部４３４の外表面４６２と反対側の端部に固定されており、支持具取付部１５７の移動を制限する。
【００６５】
第２受け部４６４は、第１受け部４６３と外表面４６２との間に配置されており、支持具取付部１５７の移動を制限する。第２受け部４６４は、例えば、支柱部４３４と一体形成されている。
第１受け部４６３は、支柱部４３４から突出する４つの第１突起４６３−１〜第１突起４６３−４を有している。また、第２受け部４６４は、支柱部４３４から突出する４つの第２突起４６４−１〜第２突起４６４−４を有している。具体的には、第１突起４６３−１および第２突起４６４−１は、第１柱部４３４ａから突出している。第１突起４６３−２および第２突起４６４−２は、第２柱部４３４ｂから突出している。第１突起４６３−３および第２突起４６４−３は、第３柱部４３４ｃから突出している。第１突起４６３−４および第２突起４６４−４は、第４柱部４３４ｄから突出している。
【００６６】
図８（Ａ）に示すように、支持具取付部上部１５８の一部は、第１受け部４６３と第２受け部４６４との間に配置されている。具体的には、フランジ部１５８ａの一部が、第１受け部４６３と第２受け部４６４との間に配置されている。また、第１受け部４６３と第２受け部４６４とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部４６３と第２受け部４６４との間隔の中心線ＣＬ方向での第２寸法Ｗ２よりも小さく設定されている。
このように、支持具取付部１５７の上方向（つまり、Ｚ軸正方向）の移動は第１受け部４６３により制限され、支持具取付部１５７の下方向（つまり、Ｚ軸負方向）への移動は第２受け部４６４により制限されている。
【００６７】
以下では、第１受け部４６３に当接している場合の支持具取付部１５７の位置を第１位置という。また、第２受け部４６４に当接している場合の支持具取付部１５７の位置を第２位置という。図８（Ａ）は、第１位置に配置された支持具取付部１５７を示しており、図８（Ｂ）は、第２位置に配置された支持具取付部１５７を示している。
第１位置では、露出面１５９は外表面４６２よりも外装部１０１の内側に配置されている。言い換えれば、露出面１５９は外表面４６２よりも第１受け部４６３側に配置されているとも言える。また、開口部４２０と露出面１５９とにより凹部５０が形成されているとも言える。図８（Ａ）では、凹部５０が二点鎖線で示されている。第２位置では、露出面１５９および外表面４６２は同一の平面上に配置されている。
なお、支持具取付部１５７を支持体ユニット４１０に組み付ける方法として、どのような方法が用いられても構わない。例えば、１対の部材を組み合わせることにより外装底面部４０１ａが形成されてもよい。この場合には、例えば、１対の部材の一方の部材に第１柱部４３４ａおよび第４柱部４３４ｄが一体形成され、他方の部材に第２柱部４３４ｂと第３柱部４３４ｃが一体形成される。そして、１対の部材を組み合わせて外装底面部４０１ａを組み立てる際に、支持具取付部１５７およびコイルバネ１６０が支柱部３４の間に配置される。このようにして、支持具取付部１５７を支持体ユニット４１０に組み付けることができる。
【００６８】
＜２−２：動作＞
支持具が支持具取付部１５７に取り付けられていない場合には、支持具取付部１５７は、支持具取付部上部１５８と外装底面部４０１ａの間に配置されたコイルバネ１６０によって付勢され、カメラ本体４００の内部に押し上げられている。具体的には、支持具取付部１５７は、支持具取付部上部１５８が第１受け部４６３に当接する位置まで押し上げられている。前述のように、このときの支持具取付部１５７の位置が第１位置（図８（Ａ）に示した支持具取付部１５７の位置）である。
第１実施形態に係るカメラ本体１００と同様に、支持具取付部１５７にはＣＭＯＳイメージセンサー１１０からの輻射熱や対流熱が比較的伝わりやすいので、支持具取付部１５７の温度が上昇する傾向にある。しかしながら、支持具取付部１５７がカメラ本体４００の内部に押し上げられているので、ユーザーが露出面１５９に触れ難くなっている。結果として、ユーザーが露出面１５９に触れて違和感を感じる可能性を低減できる。
【００６９】
一方で、支持具が支持具取付部１５７に取り付けられた場合には、開口部４２０と支持具取付部１５７が支持具のネジにより締め付けられ、コイルバネ１６０が圧縮される。そして、支持具取付部１５７は支持具取付部上部１５８が第２受け部４６４に当接する位置までカメラ本体４００の外部側に（つまり、第１受け部４６３から遠ざかるように）移動する。
支持具取付部上部１５８が第２受け部４６４に当接している時、露出面１５９は外表面４６２と一致している。つまり、露出面１５９および外表面４６２は同一平面上に配置されている。前述のように、このときの支持具取付部１５７の位置が第２位置（図８（Ｂ）に示した支持具取付部１５７の位置）である。
カメラ本体４００に支持具が装着された場合には、露出面１５９が外表面４６２と一致しているので、支持具は支持具取付部１５７および外表面４６２を介してカメラ本体４００を支えることができる。したがって、カメラ本体４００もしくは支持具取付部１５７に支持具から過大な力が作用することを防止できる。
【００７０】
ここで、支持具が取り付けられたカメラ本体に関して、露出面１５９が外表面４６２と一致しない場合には、カメラ本体の取り扱いに注意が必要となる。一例として、支持具が取り付けられた場合に露出面１５９が外表面４６２よりもカメラ本体の内側に配置されるカメラ本体が考えられる。このようなカメラ本体では、ユーザーが支持具のネジに強い力をかけると、支持具取付部１５７に鉛直方向下向きに過大な引っ張り力がかかり続けることになり、外装底面部４０１ａに歪みが生じる可能性がある。
また、別の例として、支持具が取り付けられた場合に露出面１５９が外表面４６２から大きく押し出されているカメラ本体が考えられる。このようなカメラ本体では、支持具がカメラ本体を支えるための支点は支持具取付部１５７のみであり、支持具取付部１５７に過大な負荷がかかる可能性がある。
【００７１】
一方で、カメラ本体４００では、支持具が取り付けられると、露出面１５９は外表面４６２と一致するまで押し出される。言い換えれば、支持具が支持具取付部１５７に取り付けられた場合に露出面１５９と外表面４６２とが一致するように、コイルバネ１６０、第１受け部４６３、および第２受け部４６４が配置されている。
図８（Ｃ）に示すように、本実施形態では、第１受け部４６３は第１突起４６３−１〜第１突起４６３−４から構成されているが、必ずしも４つから構成される必要は無い。第１受け部４６３は少なくとも１つの突起を備えていればよい。同様に第２受け部４６４は第２突起４６４−１〜第２突起４６４−４の４つから構成されているが、必ずしも４つから構成される必要は無い。第２受け部４６４は少なくとも１つの突起を備えていればよい。
【００７２】
〔第３実施形態〕
前述の実施形態では、支持具取付部１５７を第１位置に保持するためのコイルバネ１６０が設けられていたが、支持具取付部１５７を第１位置に保持するための部材を省略することも可能である。
以下では、第３実施形態に係るカメラ本体５００（撮像装置の一例）について図９（Ａ）〜図１０（Ｃ）を用いて説明する。なお、第１実施形態と異なる部分についてのみ説明する。また、第１実施形態と実質的に同様の機能を有する部品および構成については同一の符号を付し、その詳細な説明を省略する。
＜３−１：構成＞
第３実施形態に係るカメラ本体５００は、支持具取付部５５７と、支持体ユニット５１０と、を有している。図９（Ａ）および図９（Ｂ）に示すように、支持体ユニット５１０は、外装部５０１と、メインフレーム５５４と、ホルダ部５３２と、を有している。
【００７３】
外装部５０１は、外装底面部５０１ａを有している。外装底面部５０１ａには開口部２０が形成されている。
メインフレーム５５４（フレームの一例）は、カメラ本体５００の強度を確保する部材であり、フレーム前面部１５４ｂと、フレーム底面部５５４ａを有している。フレーム底面部５５４ａは、プレート部３０と、貫通孔３０ａと、を有している。貫通孔３０ａの周囲には、支持具取付部５５７の移動を制限するための第２受け部５５６が形成されている。支持具が支持具取付部５５７に取り付けられていない場合には、貫通孔３０ａおよび開口２２を介して、支持具取付具５５７が外部に露出している。
ホルダ部５３２は、支持具取付部５５７を移動可能に支持する部材であり、胴部５３４と、第１受け部５５５と、を有している。
【００７４】
胴部５３４は、フレーム底面部５５４ａに固定されており、支持具取付部５５７を収容している。胴部５３４には、支持具取付部５５７を装着するための第２ネジ穴５３４ａが形成されている。第２ネジ穴５３４ａは左ネジに対応して形成されている。つまり、左ネジから見て半時計回りに左ネジを回転させることにより、第２ネジ穴５３４ａに左ネジをねじ込むことができる。本実施形態では、第２ネジ穴５３４ａに左ネジをねじ込んだときに左ネジがＺ軸正方向に進むように、第２ネジ孔５３４ａが形成されている。
第２ネジ穴５３４ａの入口側はフレーム底面部５５４ａに固定されている。また、第２ネジ穴５３４ａの入口は、貫通孔３０ａおよび開口２２と重なる位置に配置されている。さらに、第２ネジ穴５３４ａの入口の一部はフレーム底面部５５４ａにより覆われている。そして、プレート部３０のうち第２ネジ孔５３４ａの入口に張り出した部分が、第２受け部５５６を形成している。したがって、貫通孔３０ａは第２受け部５５６に形成された孔であるとも言える。
【００７５】
第１受け部５５５は、胴部５３４のフレーム底面部５５４ａと反対側に配置され、支持体ユニット５１０に対する支持具取付部５５７の移動を制限している。第２ネジ穴５３４ａのフレーム底面部５５４ａと反対側は、第１受け部５５５により覆われている。なお、第１受け部５５５により支持具取付部５５７の移動が制限されればよいので、第２ネジ孔５３４ａのフレーム底面部５５４ａと反対側の少なくとも一部が覆われていればよい。第１受け部５５５は、例えば、胴部５３４に第２ネジ穴５３４ａを設けることにより、胴部５３４と一体形成される。
支持具取付部５５７は、支持具を取り付け可能な部材であり、大径部６０と、小径部６２と、を有している。支持具取付部５５７は、支持体ユニット５１０に移動可能に支持されている。
【００７６】
また、支持具取付部５５７には、第１ネジ穴４０ａが形成されている。第１ネジ穴４０ａは、開口部２０から外部に露出可能に配置され、支持具ネジ９０を取付可能に設けられている。第１ネジ穴４０ａは中心線ＣＬを有している。本実施形態では、中心線ＣＬ方向はＺ軸方向と概ね一致している。第１ネジ穴４０ａは右ネジに対応して形成されている。したがって、右ネジから見て時計回りに右ネジを回転させることにより、第１ネジ穴４０ａに右ネジをねじ込むことができる。第１ネジ穴４０ａは第２ネジ穴５３４ａと概ね同軸に配置されている。
大径部６０（第１部分の一例）は、円柱状の部分であり、ネジ部６０ａを有している。ネジ部６０ａは大径部６０の外周部に形成された複数のネジ山を有しており、第２ネジ穴５３４ａに嵌め込み可能に形成されている。ネジ部６０ａは左ネジ（つまり、逆ネジ）を形成している。したがって、大径部６０から見て反時計回りに大径部６０を回転させることにより、第２ネジ穴５３４ａに大径部６０を嵌め込むことができる。
【００７７】
大径部６０は、ホルダ部５３２に移動可能に支持されている。具体的には、大径部６０は第２ネジ穴５３４ａに嵌め込まれている。また、大径部６０の一部は第１受け部５５５と第２受け部５５６の間に配置されているので、第１受け部５５５および第２受け部５５６により大径部６０の移動が制限されている。ここで、大径部６０が移動できるように、大径部６０の中心線ＣＬ方向の第１寸法Ｗ３は、第２ネジ穴５３４ａの中心線ＣＬ方向の第２寸法Ｗ４よりも小さく設定されている。
小径部６２は、円筒状の部分であり、大径部６０から突出している。小径部６２は大径部６０と同軸に形成され、小径部６２の径の大きさは大径部６０の径の大きさよりも小さく設定されている。小径部６２は、大径部６０と一体回転可能であり、例えば大径部６０と一体形成されている。小径部６２は、第１ネジ穴４０ａの入口４０ｂと、入口４０ｂの周辺に形成された露出面５５９と、を有している。支持具が支持具取付部５５７に取り付けられていない場合には、露出面５５９は開口２２および貫通孔３０ａから外部に露出している。支持具が支持具取付部５５７に取り付けられた場合には、露出面５５９は支持具と当接する。
【００７８】
貫通孔３０ａおよび開口２２は小径部６２よりも大きく形成されているので、小径部６２は貫通孔３０ａおよび開口２２に進入することができる。なお、本実施形態では小径部６２は円筒状に形成されているが、支持具取付部５５７が支持体ユニット５１０に対して相対回転可能であれば、小径部６２は円筒形状以外であっても構わない。例えば、支持具取付部５５７が支持体ユニット５１０に対して相対回転できるように貫通孔３０ａおよび開口２２が大きく形成されていれば、小径部６２を角柱状に形成することも可能である。
なお、支持具取付部５５７を支持体ユニット５１０に組み付ける方法として、どのような方法が用いられても構わない。例えば、ホルダ部５３２に支持具取付部５５７を挿入し、ホルダ部５３２をフレーム底面部５５４ａに固定することにより、支持具取付部５５７を支持体ユニット５１０に組み付けることができる。また、第２受け部５５６をプレート部３０とは別体としてもよい。この場合には、ホルダ部５３２をプレート部３０と一体形成し、支持具取付部５５７をホルダ部５３２に装着した後に、第２受け部５５６をプレート部３０に固定することができる。
【００７９】
以上のように、支持具取付部５５７は、支持体ユニット５１０に移動可能に支持されている。また、支持具取付部５５７の可動範囲は第１受け部５５５および第２受け部５５６によって制限されている。具体的には、支持具取付部５５７は第１位置および第２位置に配置可能である。図９（Ａ）は、第１位置に配置された支持具取付部５５７を示している。また、図９（Ｂ）は、第２位置に配置された支持具取付部５５７を示している。
支持具取付部５５７が第１位置に配置されている場合は、第１受け部５５５により支持具取付部５５７の移動が制限されている。また、支持具取付部５５７が第２位置に配置されている場合は、第２受け部５５６により支持具取付部５５７の移動が制限されている。より詳細には、支持具取付部５５７が第１位置に配置されている場合には、大径部６０が第１受け部５５５と接している。また、支持具取付部５５７が第２位置に配置されている場合には、大径部６０が第２受け部５５６と接している。このように、支持具取付部５５７の上方向への移動は第１受け部５５５により制限され、支持具取付部５５７の下方向への移動は第２受け部５５６により制限されている。
【００８０】
支持具取付部５５７が第１位置に配置されている場合には、露出面５５９は外表面１６２よりも外装部５０１の内側に配置されている。言い換えれば、露出面５５９は外表面１６２の第１受け部５５５側に配置されているとも言える。また、開口部２０と露出面５５９とにより凹部５０が形成されているとも言える。
本実施形態では、外表面１６２と第１位置での露出面５５９との中心線ＣＬ方向の第１距離Ｄ１は、第２寸法Ｗ４と第１寸法Ｗ３との差よりも小さい。このような寸法関係が満たされているので、支持具取付部１５７が第２位置に配置されると、支持具取付部５５７の一部が外表面１６２から突出している。また、図９（Ｂ）に示すように、支持具ネジ９０を外表面１６２に当接させることができる。
支持具取付部５５７は、支持体ユニット５１０に対して支持具と一体回転可能に配置されている。本実施形態では、第２ネジ穴５３４ａに形成された雌ネジのピッチは、第１ネジ穴４０ａに形成された雌ネジのピッチよりも大きい。したがって、第２ネジ穴５３４ａとネジ部６０ａとの間の摩擦力を第１ネジ穴４０ａと支持具ネジ９０との間の摩擦力よりも小さくすることができる。つまり、ネジのピッチの大きさに差を与えて第２ネジ穴５３４ａとネジ部６０ａとの接触面積と第１ネジ穴４０ａと支持具ネジ９０との接触面積を調節することにより、摩擦力が調節されている。このように、支持具取付部５５７は支持具ネジ９０に比べて回転しやすいので、支持体ユニット５１０に対して、支持具取付部５５７を支持具ネジ９０（つまり、支持具）と一体回転させることができる。
【００８１】
また、本実施形態では、ユーザーが第１位置に配置された支持具取付部５５７に支持具ネジ９０を挿入する場合は、支持具が外表面１６２と接触する前に、支持具取付部５５７がホルダ部５３２に対して回転を開始する。また、ユーザーが第２位置に配置された支持具取付部５５７から支持具ネジ９０を抜く場合は、支持具ネジ９０が第１ネジ穴４０ａから完全に抜ける前に、支持具取付部５５７がホルダ部５３２に対して回転を開始する。
＜３−２：動作＞
以下では、支持具を支持具取付部５５７に取り付ける動作、および、支持具を支持具取付部５５７から取り外す動作について説明する。
《取り付け動作》
図９（Ａ）に示すように、支持具が支持具取付部５５７に取り付けられていない場合には、支持具取付部５５７は第１位置に配置されている。ユーザーは、支持具を支持具取付部５５７に取り付けるために、支持具ネジ９０を第１ネジ穴４０ａに挿入する。
【００８２】
ユーザーが支持具ネジ９０を図９（Ｃ）のＲ１方向に回転させると、支持具ネジ９０の一部が第１ネジ穴４０ａに進入する。このとき、支持具ネジ９０と第１ネジ穴４０ａとの間には摩擦力が発生するので、支持具ネジ９０から支持具取付部５５７にＲ１方向の駆動力が伝わる。また、前述のように、第２ネジ穴５３４ａとネジ部６０ａとの間の摩擦力は比較的小さく設定されている。したがって、支持具ネジ９０が第１ネジ穴４０ａにある程度進入すると、支持具取付部５５７がＲ１方向に回転を開始する（図１０（Ａ））。
ネジ部６０ａには左ネジが形成されているので、支持具取付部５５７がＲ１方向に回転すると、大径部６０は第２ネジ穴５３４ａに導かれてＺ軸負方向に（つまり、第２受け部５５６側に）移動する。図１０（Ｂ）に示すように、支持具取付部５５７がＲ１方向にある程度回転すると、大径部６０が第２受け部５５６に接する。その結果、支持具取付部５５７の移動は第２受け部５５６により制限され、支持具取付部５５７は第２受け部５５６に対して静止する。このとき、支持具取付部５５７は図９（Ｂ）に示す第２位置に配置されている。つまり、支持具取付部５５７の一部が外表面１６２から突出している。
【００８３】
なお、支持具取付部５５７が第１位置から第２位置に移動する際に、支持具ネジ９０が支持具取付部５５７に対してＲ１方向に相対回転をしていても構わない。つまり、支持具取付部５５７がホルダ部５３２に対してＲ１方向に回転すると同時に、支持具ネジ９０が支持具取付部５５７に対してＲ１方向に回転していてもよい。
支持具取付部５５７が第２位置に到達すると、支持具取付部５５７に対する支持具ネジ９０のＲ１方向の回転が再開あるいは続行する。支持具ネジ９０が露出面５５９支持具と当接するまで第１ネジ穴４０ａにねじ込まれると、支持具の取付が完了する。支持具取付部５５７に支持具が取り付けられた状態では、カメラ本体５００を支持できる程度の圧力で露出面５５９が支持具に押し付けられている。
図９（Ｂ）に示すように、支持具取付部５５７が第２位置に配置されている場合には、支持具取付部５５７の一部が外表面１６２から突出している。本実施形態では、第２位置での支持具取付部５５７の突出量が小さいので、支持具は外表面４６２を介してカメラ本体５００を支えることができる。例えば、支持具に対して傾けようとする力がカメラ本体５００に加わっても、支持具取付部５５７には過大な負荷がかかりにくい。具体的には、カメラ本体５００では支持具と外表面４６２と間に形成される隙間を小さくできるので、カメラ本体５００が支持具に対してわずかに傾いたとしても、支持具と外表面４６２が当接する。その結果、カメラ本体５００が外表面４６２を介して支持具に支持される。このように、カメラ本体５００では支持具取付部５５７に過大な負荷がかかることを抑制できる。
【００８４】
《取り外し動作》
支持具が支持具取付部５５７に取り付けられた状態では、支持具取付部５５７は第２位置に配置され、露出面５５９と支持具が当接している。第１ネジ穴４０ａは右ネジに対応して形成されているので、支持具ネジ９０を図９（Ｃ）のＲ２方向に回転させることにより、支持具ネジ９０を第１ネジ穴４０ａから抜くことができる。つまり、支持具を支持具取付部５５７から取り外すことができる。
ユーザーが支持具取付部５５７に取り付けられた支持具ネジ９０をＲ２方向に回転させると、支持具ネジ９０を介して支持具取付部５５７にＲ２方向の駆動力が入力される。前述のように、第２ネジ穴５３４ａとネジ部６０ａとの間の摩擦力は比較的小さく設定されているので、支持具取付部５５７はホルダ部５３２に対してＲ２方向に回転を始める。支持具取付部５５７がＲ２方向に回転すると、大径部６０は第２ネジ穴５３４ａに導かれてＺ軸正方向に（つまり、第１受け部５５５側に）移動する。
【００８５】
図１０（Ｃ）に示すように、支持具取付部５５７がＲ２方向にある程度回転すると、大径部６０が第１受け部５５５に当接する。その結果、支持具取付部５５７の移動は第１受け部５５５により制限され、支持具取付部５５７は第１受け部５５５に対して静止する。このとき、支持具取付部５５７は第１位置に配置されている。
なお、支持具取付部５５７が第２位置から第１位置に移動する際に、支持具ネジ９０が支持具取付部５５７に対してＲ２方向に相対回転していても構わない。つまり、支持具取付部５５７がホルダ部５３２に対してＲ２方向に回転すると同時に、支持具ネジ９０が支持具取付部５５７に対してＲ２方向に回転していてもよい。
支持具取付部５５７が第２位置に到達すると、支持具取付部５５７に対する支持具ネジ９０のＲ２方向の回転が再開あるいは続行する。ユーザーが支持具ネジ９０をＲ２方向に回転させ続けると、支持具ネジ９０が第１ネジ穴４０ａから外れ、支持具の取り外しが完了する。
【００８６】
以上のように、本実施形態に係るカメラ本体５００では、支持具取付部５５７は支持具と一体回転可能であるので、ユーザーが支持具ネジ９０を回転させると、支持具取付部５５７が回転する。また、第１ネジ穴４０ａが右ネジに対応して形成され、第２ネジ穴５３４ａは左ネジに対応して形成されているので、支持具取付部５５７が回転すると、支持具取付部５５７に対する支持具ネジ９０の進行方向（Ｚ軸正方向）とは逆向きに、支持具取付部５５７が移動する。その結果、支持具取付部５５７が第１位置から第２位置に移動する。
また、支持具を支持具取付部５５７から取り外すためにユーザーが支持具ネジ９０を回転させると、支持具取付部５５７が支持具ネジ９０と一体に回転し、第２位置から第１位置に移動する。
【００８７】
このように、ユーザーが支持具を取り付ける動作に連動して支持具取付部５５７は第１位置から第２位置に移動し、ユーザーが支持具を取り外す動作に連動して支持具取付部５５７は第２位置から第１位置に移動する。
〔他の実施形態〕
本発明の実施形態は、前述の実施形態に限定されず、本発明の趣旨を逸脱しない範囲で種々の変形および修正が可能である。
（Ａ）
前述の実施形態では、交換レンズ式のデジタルカメラを例にして説明したが、ここに示された技術を適用できる撮像装置はこれに限られない。ここに開示された技術は支持具取付部を有する撮像装置に適用可能であり、例えば、交換レンズ式のデジタルビデオカメラや、レンズ鏡筒一体型のデジタルカメラならびにビデオカメラに適用可能である。
【００８８】
（Ｂ）
前述の実施形態では弾性部材として圧縮コイルバネを用いたが、弾性部材は圧縮コイルバネに限られない。弾性部材として、例えば、ゴムなどを用いることが出来る。
また、前述の実施形態では弾性部材であるコイルバネ１６０を用いて支持具取付部１５７を移動させる構成について説明したが、支持具取付部１５７を移動可能に支持する部材または機構は弾性部材に限られない。例えば、支持具を用いない場合においては磁石（保持部材の一例）の吸着力を用いて第１位置に支持具取付部１５７を保持し、支持具が取り付けられた時にはネジの締め付け力によって支持具取付部１５７を移動させて第２位置に来るようにすることもできる。要するに、支持具取付部１５７が第１位置と第２位置との間を移動可能であり、かつ、支持具取付部１５７を第１位置および第２位置に保持できる構成であれば、どんな構成が用いられてもよい。
【産業上の利用可能性】
【００８９】
ここに示された技術は、支持具取付部をユーザーが触れにくい位置に配置するために利用でき、支持具を装着可能な撮像装置に適用できる。具体的には、ここに開示された技術は、デジタルスチルカメラやデジタルビデオカメラなどに適用可能であり、有用である。
【符号の説明】
【００９０】
１    デジタルカメラ（撮像装置の一例）
１０    支持体ユニット
２０    開口部
２２    開口
３０    プレート部
３２    位置決め部
３４    支柱部
３４ａ    第１柱部
３４ｂ    第２柱部
３４ｃ    第３柱部
３４ｄ    第４柱部
４０    本体部
４０ａ    第１ネジ穴
４０ｂ    入口
５０    凹部
１００    カメラ本体（撮像装置の一例）
１０１    外装部
１０１ａ    外装底面部
１１０    ＣＭＯＳイメージセンサー
１１３    ＣＭＯＳ回路基板
１２０    カメラモニタ
１３０    操作部
１３１    レリーズ釦
１４０    カメラコントローラー
１４２    メイン回路基板
１５０    ボディマウント
１５４    メインフレーム
１５４ａ    フレーム底面部
１５４ｂ    フレーム前面部
１５５    第１受け部
１５５−１、１５５−２、１５５−３、１５５−４    第１突起
１５６    第２受け部
１５６−１、１５６−２、１５６−３、１５６−４    第２突起
１５７    支持具取付部
１５８    支持具取付部上部
１５９    露出面
１６０    コイルバネ
１６２    外表面
１６５    電源
１８０    電子ビューファインダー
１９０    シャッターユニット
２００    レンズユニット
４００    カメラ本体（第２実施形態）
４０１    外装部
４０１ａ    外装底面部
４１０    支持体ユニット
４３２    位置決め部
４３４    支柱部
４３４ａ    第１柱部
４３４ｂ    第２柱部
４３４ｃ    第３柱部
４３４ｄ    第４柱部
４３６    基部
４６２    外表面
４６３    第１受け部
４６３−１、４６３−２、４６３−３、４６３−４    第１突起
４６４    第２受け部
４６４−１、４６４−２、４６４−３、４６４−４    第２突起
５００    カメラ本体（第３実施形態）
５０１ａ    外装底面部
５１０    支持体ユニット
６０    大径部
６０ａ    ネジ部
６２    小径部
５３２    ホルダ部
５３４    胴部
５３４ａ    第２ネジ穴
５５４    メインフレーム
５５４ａ    フレーム底面部
５５５    第１受け部
５５６    第２受け部
５５７    支持具取付部
５５９    露出面
【図１】
2010150553.tif 000003
【図２】
2010150553.tif 000004
【図３】
2010150553.tif 000005
【図４】
2010150553.tif 000006
【図５】
2010150553.tif 000007
【図６】
2010150553.tif 000008
【図７】
2010150553.tif 000009
【図８】
2010150553.tif 000010
【図９】
2010150553.tif 000011
【図１０】
2010150553.tif 000012
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
支持具を取り付け可能な撮像装置であって、
前記支持具を取り付け可能な第１ネジ穴と、前記第１ネジ穴の入口の周囲に形成された露出面と、を有する支持具取付部と、
前記露出面を露出可能に形成された開口と前記開口の周囲に形成された外表面とを有する外装部を有し、前記支持具取付部を移動可能に支持する支持体ユニットを備え、
前記支持具取付部は、前記支持具が取り付けられていない場合に第１位置に配置され、前記支持具が取り付けられている場合に第２位置に配置され、
前記支持具取付部が前記第１位置に配置されると、前記露出面は前記外表面よりも前記外装部の内側に配置され、
前記支持具取付部が前記第２位置に配置されると、前記露出面と前記外表面とが同一平面上に配置され、もしくは、前記支持具取付部は前記外表面から突出している、
撮像装置。
【請求項２】
前記支持具取付部に前記支持具を取り付ける動作に連動して、前記支持具取付部は前記第１位置から前記第２位置へ移動し、
前記支持具取付部から前記支持具を取り外す動作に連動して、前記支持具取付部は前記第２位置から前記第１位置へ移動する、
請求項１に記載の撮像装置。
【請求項３】
前記支持具取付部が前記第２位置に配置された場合に、前記露出面が前記支持具と当接している、
請求項１または２に記載の撮像装置。
【請求項４】
前記支持体ユニットは、前記支持体ユニットに対する前記支持具取付部の移動を制限する第１受け部と、前記第１受け部と前記外表面との間に配置され前記支持体ユニットに対する前記支持具取付部の移動を制限する第２受け部と、を有しており、
前記支持具取付部は、前記第１位置に配置された場合には前記第１受け部により移動を制限されており、前記第２位置に配置された場合には前記第２受け部により移動を制限されている、
請求項１から３のいずれかに記載の撮像装置。
【請求項５】
前記第１受け部は、前記支持具取付部の前記露出面とは反対側に配置されている、
請求項４に記載の撮像装置。
【請求項６】
前記支持具取付部は、前記露出面よりも前記第１受け部側に配置された第１部分を有しており、前記第１部分の少なくとも一部は、前記第１受け部と前記第２受け部との間に配置されている、
請求項４または５に記載の撮像装置。
【請求項７】
前記第１位置では、前記第１部分は前記第１受け部と当接し、
前記第２位置では、前記第１部分は前記第２受け部と当接している、
請求項６に記載の撮像装置。
【請求項８】
前記第１ネジ穴は中心線を有しており、
前記第１部分の前記中心線に平行な第１方向での第１寸法は、前記第１受け部と前記第２受け部との間隔の第１方向での第２寸法よりも小さい、
請求項４から７のいずれかに記載の撮像装置。
【請求項９】
前記外表面と前記第１位置での前記露出面との前記第１方向での第１距離は、前記第２寸法と前記第１寸法との差と概ね等しい、もしくは、前記第２寸法と前記第１寸法との差よりも小さい、
請求項８に記載の撮像装置。
【請求項１０】
前記支持体ユニットと前記支持具取付部とを弾性的に連結する弾性部材をさらに備え、
前記支持具が前記支持具取付部に取り付けられていない場合には、前記弾性部材は前記支持具取付部を前記第１受け部に押し付けている、
請求項４から９に記載の撮像装置。
【請求項１１】
前記支持具が前記支持具取付部に取り付けられていない場合には、前記弾性部材は前記支持具取付部が前記第１位置に配置されるように前記支持具取付部に弾性力を付与しており、
前記支持具が前記支持具取付部に取り付けられると、前記弾性部材が縮められ、前記支持具取付部は前記第２位置に配置される、
請求項１０記載の撮像装置。
【請求項１２】
前記支持具が前記支持具取付部に取り付けられていない場合には、前記第１受け部は前記弾性部材に付勢された前記支持具取付部の移動を前記支持具取付部が前記第１位置に配置されるように制限しており、
前記支持具が前記支持具取付部に取り付けられると、前記第２受け部は前記弾性部材の収縮を伴う前記支持具取付部の移動を前記支持具取付部が前記第２位置に配置されるように制限する、
請求項１０または１１に記載の撮像装置。
【請求項１３】
前記支持具取付部を前記第１位置に保持可能な保持部材をさらに備えた、
請求項１から１２のいずれかに記載の撮像装置。
【請求項１４】
前記支持体ユニットは、前記第１受け部と前記第２受け部との間に形成された第２ネジ穴を有しており、
前記支持具取付部は、前記第２ネジ穴に嵌め込み可能なネジ部を有し、前記第２ネジ穴に移動可能に装着されている、
請求項４から９のいずれかに記載の撮像装置。
【請求項１５】
前記ネジ部は、前記第１部分の外周部に形成されている、
請求項１４に記載の撮像装置。
【請求項１６】
前記支持具取付部は前記支持体ユニットに対して前記支持具と一体回転可能である、
請求項１４または１５に記載の撮像装置。
【請求項１７】
前記第１ネジ穴は右ネジに対応して形成され、前記第２ネジ穴は左ネジに対応して形成されている、
請求項１４から１６のいずれかに記載の撮像装置。
【請求項１８】
前記第２ネジ穴に形成されたネジのピッチは、前記第１ネジ穴に形成されたネジのピッチよりも大きい、
請求項１４から１７のいずれかに記載の撮像装置。
【請求項１９】
前記支持体ユニットは、強度を確保するフレームを有しており、
前記第１受け部および前記第２受け部の少なくともいずれか一方は、前記フレームに形成されている、
請求項４から１８のいずれかに記載の撮像装置。
【請求項２０】
前記第１受け部および前記第２受け部の少なくともいずれか一方は、前記外装部に形成されている、
請求項４から１９のいずれかに記載の撮像装置。
【手続補正２】
【補正対象書類名】明細書
【補正対象項目名】全文
【補正方法】変更
【補正の内容】
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダーに導かれる。
【０００３】
上記のような撮像装置には、三脚や一脚などの支持具を取り付けるための支持具取付部が設けられる場合がある。例えば、底面に三脚具取付部が固定された交換レンズ式のデジタルカメラが知られている。デジタルカメラを支持する三脚を支持具取付部に取り付けることにより、デジタルカメラの姿勢を安定させて撮影を行なうことができる。
【先行技術文献】
【特許文献】
【０００４】
【特許文献１】特開２００７−１２７８３６号公報
【発明の概要】
【発明が解決しようとする課題】
【０００５】
従来から撮像装置の小型化が求められており、例えば交換レンズ式のデジタルカメラにおいては、カメラ本体の小型化が求められている。
【０００６】
しかし、カメラ本体を小型化することにより、部品が密集して配置されるので、撮像素子やカメラコントローラーの実装された基板などの熱を発生する電子部品と支持具取付部との距離は、従来のカメラ本体に比べて小さくなっている。
【０００７】
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇するおそれがある。ユーザーが支持具取付部に触れて周辺の温度と支持具取付部の温度との温度差を感知した場合、ユーザーが違和感を覚える可能性がある。
【０００８】
その一方で、支持具により撮像装置を支えるためには、支点としての支持具取付部の近くに支持具を配置することが望ましい。つまり、支持具の取り付けに適した位置に支持具取付部が配置されていることが望ましい。
【課題を解決するための手段】
【０００９】
ここに開示される撮像装置は、支持具を取り付け可能であり、支持具取付部と、支持体ユニットと、を備えている。支持具取付部は、支持具を取り付け可能な第１ネジ穴と、第１ネジ穴の入口の周囲に形成された露出面と、を有する。支持体ユニットは、露出面を露出可能に形成された開口と開口の周囲に形成された外表面とを有する外装部を有し、支持具取付部を移動可能に支持する。そして、支持具取付部は、支持具が取り付けられていない場合に第１位置に配置され、支持具が取り付けられている場合に第２位置に配置される。支持具取付部が第１位置に配置されると、露出面は外表面よりも外装部の内側に配置される。また、支持具取付部が第２位置に配置されると、露出面と外表面とが同一平面上に配置され、もしくは、支持具取付部は外表面から突出している。
【００１０】
ここで、支持具とは、撮影時に撮像装置の姿勢を安定させるために撮像装置に取り付けられる固定用の用具である。支持具としては、例えば、三脚や一脚が考えられる。
【００１１】
また、ここでの撮像装置は、単体での撮影が可能な撮像装置だけでなく、カメラ本体を含む概念である。例えば、撮像装置にはレンズユニットを装着可能な交換レンズ式カメラのカメラ本体が含まれる。
【００１２】
また、露出面と外表面とが同一平面上に配置されるとは、露出面と外表面とが共通の平面に接している場合の露出面と外表面との関係を意味している。例えば、外表面を延長させて得られる平面に露出面が接している場合は、露出面と外表面とが同一平面上に配置されているといえる。
【００１３】
この撮像装置では、支持具が支持具取付部に取り付けられていない場合には露出面が外表面よりも外装部の内側に配置されるので、ユーザーが触れにくい位置に露出面を配置できる。したがって、ユーザーが支持具取付部に触れて支持具取付部の温度と周辺の温度との温度差を感じる頻度が低減される。一方で、支持具が支持具取付部に取り付けられている場合には露出面と外表面とが同一平面上に配置され、もしくは、支持具取付部が外表面から突出するので、支持具取付部を支持具に近づけることができる。
【発明の効果】
【００１４】
このように、この撮像装置によれば、ユーザーが支持具取付部に触れて違和感を覚える可能性を低減することができるとともに、支持具の取り付けに適した位置に支持具取付部を配置することができる。
【図面の簡単な説明】
【００１５】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６】（Ａ）一眼レフレックスカメラ８００の概略断面図、（Ｂ）デジタルカメラ１の概略断面図。
【図７】（Ａ）支持具取付部１５７および支持体ユニット１０の断面図（支持具が取り付けられていない場合）、（Ｂ）支持具取付部１５７および支持体ユニット１０の断面図（支持具が取り付けられている場合）、（Ｃ）支持具取付部１５７および位置決め部３２の斜視図。
【図８】（Ａ）支持具取付部１５７および支持体ユニット４１０の断面図（支持具が取り付けられていない場合）、（Ｂ）支持具取付部１５７および支持体ユニット４１０の断面図（支持具が取り付けられている場合）、（Ｃ）支持具取付部１５７および位置決め部４３２の斜視図
【図９】（Ａ）支持具取付部５５７および支持体ユニット５１０の断面図（支持具が取り付けられていない場合）、（Ｂ）支持具取付部５５７および支持体ユニット５１０の断面図（支持具が取り付けられている場合）、（Ｃ）図９（Ｂ）のIXＣ−IXＣ断面図。
【図１０】（Ａ）支持具取付部５５７への支持具の取り付けを示した図、（Ｂ）支持具取付部５５７への支持具の取り付けを示した図、（Ｃ）支持具取付部５５７から支持具を取り外す動作を示した図。
【発明を実施するための形態】
【００１６】
〔第１実施形態〕
＜１−１：デジタルカメラの概要＞
図１は、第１実施形態に係るカメラ本体１００を有するデジタルカメラ１（撮像装置の一例）の斜視図である。図２は、カメラ本体１００の斜視図である。図３は、デジタルカメラ１の機能ブロック図である。
【００１７】
デジタルカメラ１は、被写体の画像を取得するための交換レンズ式のデジタルカメラであり、カメラ本体１００と、カメラ本体１００に装着可能なレンズユニット２００と、を備えている。
【００１８】
一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１９】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側ともいう。
【００２０】
ここで横撮り姿勢とは、横長の長方形である画像の長辺に平行な方向が画像内での被写体の水平方向と一致し、かつ、画像の短辺に平行な方向が画像内での被写体の鉛直方向と一致する場合に、レリーズ釦１３１（図１）が撮影時に押される方向が鉛直下向きと概ね一致する姿勢をいう。
【００２１】
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。
【００２２】
さらに、デジタルカメラ１の横撮り姿勢での鉛直方向を上下方向もしくは縦方向という。同様に、デジタルカメラ１の横撮り姿勢での左右の方向を左右方向もしくは横方向という。
また、上下方向および左右方向に垂直な方向は前後方向と一致しており、被写体を向く方向を前方向といい、前方向と逆向きを後ろ方向という。
【００２３】
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
【００２４】
＜１−２：カメラ本体の構成＞
図４は、デジタルカメラ１の概略断面図である。図５は、カメラ本体１００の背面図である。カメラ本体１００（撮像装置の一例）は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６５と、カードスロット１７０と、電子ビューファインダー１８０と、シャッターユニット１９０と、光学的ローパスフィルタ１１４と、振動板１１５と、メインフレーム１５４と、支持具取付部１５７と、コイルバネ１６０と、放熱部材１９８と、外装部１０１と、を備えている。
【００２５】
《外装部》
外装部１０１は、カメラ本体１００の外面を形成する部材であり、外装底面部１０１ａと、外装前面部１０１ｂと、を含んでいる。外装底面部１０１ａは横撮り姿勢においてＣＭＯＳイメージセンサー１１０の下側に配置され、外装前面部１０１ｂは被写体側に配置される。
【００２６】
カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、放熱板１９５、メイン回路基板１４２、カメラモニタ１２０が配置されている。また、メインフレーム１５４の一部はボディマウント１５０と光軸ＡＸに平行な方向（以下、光軸方向ともいう）に重複した位置に配置されている。
【００２７】
《ＣＭＯＳイメージセンサー》
ＣＭＯＳイメージセンサー１１０は、レンズユニット２００を介して入射される被写体の光学像（以下、被写体象ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なおＣＭＯＳ回路基板１１３の機能はＣＭＯＳイメージセンサー１１０、もしくはメイン回路基板１４２に含まれていてもよい。
【００２８】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う。取得された動画データは、スルー画像の表示にも用いられる。なお、静止画データおよび動画データは、画像データの一例である。
【００２９】
ここで、スルー画像とは、動画データのうちメモリーカード１７１にデータを記録されない画像である。スルー画像は、主に動画像であり、動画像または静止画像の構図を決めるためにカメラモニタ１２０および／または電子ビューファインダー１８０（以下、ＥＶＦとも言う）に表示される。
【００３０】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００３１】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００３２】
《カメラモニタ》
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
【００３３】
カメラモニタ１２０は、カメラ本体１００に設けられている。本実施形態では、カメラ本体１００の背面に配置されているが、カメラモニタ１２０はカメラ本体１００のどこに配置されていてもよい。カメラ本体１００に対するカメラモニタ１２０の表示面の角度は、変更可能である。具体的には図５に示すように、カメラ本体１００は、カメラモニタ１２０を外装部１０１に対して回転可能に連結するヒンジ１２１を有している。ヒンジ１２１は、外装部１０１の左端に配置されている。より詳細には、ヒンジ１２１は、具体的には第１のヒンジと第２のヒンジとを有している。第１のヒンジを中心に、カメラモニタ１２０は外装部１０１に対して左右方向に回転可能であり、第２のヒンジを中心に、外装部１０１に対して上下方向にも回転可能である。
【００３４】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けられてもよい。
【００３５】
《電子ビューファインダー》
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００３６】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
【００３７】
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
【００３８】
《操作部》
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００３９】
《カメラコントローラー》
カメラコントローラー１４０は、カメラ本体１００の中枢を司るデバイスであって、カメラ本体１００の各部を制御する。例えば、カメラコントローラー１４０は、電源１６５からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
【００４０】
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部（もしくはボディマイコン）の一例である。カメラコントローラー１４０は、メイン回路基板１４２上に配置されている。
【００４１】
《カードスロットおよびメモリーカード》
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に静止画データを格納する。カードスロット１７０は、メモリーカード１７１から静止画データを出力する。また、カードスロット１７０は、メモリーカード１７１に動画データを格納する。カードスロット１７０は、メモリーカード１７１から動画データを出力する。
【００４２】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイルを格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００４３】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００４４】
なお、メモリーカード１７１は記憶部の一例である。記憶部は、メモリーカード１７１のようにカメラ本体１００に装着可能なものでもよく、デジタルカメラ１に固定されているものでもよい。
【００４５】
《電源》
電源１６５は、デジタルカメラ１で使用するための電力を各部に供給する。電源１６５は、例えば、乾電池であってもよいし、充電池であってもよい。また、電源１６５は、電源コード等を介して外部から電力の供給を受け、デジタルカメラ１に電力を供給するユニットであってもよい。
【００４６】
《ボディマウント》
ボディマウント１５０は、レンズユニット２００を装着可能であり、ボディマウントリング１５１と、電気接点１５３と、を含んでいる。ボディマウント１５０は、レンズユニット２００のレンズマウント２５０と機械的及び電気的に接続可能である。
【００４７】
ボディマウントリング１５１は、外装部１０１の外装前面部１０１ｂに設けられたリング状の部材であり、レンズユニット２００に設けられたレンズマウントリング２５１と嵌合することにより、レンズユニット２００を機械的に支持する。レンズマウントリング２５１は、いわゆるバヨネット機構によりボディマウントリング１５１に嵌め込まれる。具体的には、レンズマウントリング２５１は、ボディマウントリング１５１との光軸まわりの回転位置関係に応じて、ボディマウントリング１５１と嵌合していない第１の状態と、ボディマウントリング１５１と嵌合している第２状態と、をとり得る。
【００４８】
より詳細には、レンズマウントリング２５１は、ボディマウントリング１５１に対して光軸方向に移動可能な第１の状態をとり得る。このような第１の状態では、レンズマウントリング２５１はボディマウントリング１５１に挿入可能である。レンズマウントリング２５１をボディマウントリング１５１に挿入された状態でボディマウントリング１５１に対して回転させると、レンズマウントリング２５１はボディマウントリング１５１に嵌合する。このときのボディマウントリング１５１とレンズマウントリング２５１との回転位置関係が第２の状態である。
【００４９】
レンズマウントリング２５１を支持するために、ボディマウントリング１５１には強度が要求されるので、ボディマウントリング１５１は金属で形成されているのが好ましい。本実施形態では、ボディマウントリング１５１は、金属で形成されている。
【００５０】
レンズユニット２００がカメラ本体１００に装着されている状態で、電気接点１５３は、レンズマウント２５０が有する電気接点２５３と接触している。このように、ボディマウント１５０とレンズマウント２５０とは、ボディマウント１５０の電気接点１５３とレンズマウント２５０の電気接点２５３とを介して、電気的に接続可能である。したがって、デジタルカメラ１は、ボディマウント１５０とレンズマウント２５０とを介して、カメラ本体１００とレンズユニット２００との間で、データおよび制御信号のうち少なくとも一方を送受信できる。具体的には、ボディマウント１５０とレンズマウント２５０とは、カメラコントローラー１４０とレンズユニット２００に含まれるレンズコントローラー２４０との間で、データおよび制御信号のうち少なくとも一方を送受信できる。また、ボディマウント１５０は、電源１６５から受けた電力を、レンズマウント２５０を介してレンズユニット２００全体に供給する。
【００５１】
ボディマウント１５０は、ボディマウント支持部１５２を介してメインフレーム１５４に支持されている。より詳細には、ボディマウント支持部１５２はボディマウントリング１５１と接続されており、ボディマウントリング１５１を支持している。
【００５２】
ボディマウント支持部１５２は、メインフレーム１５４により支持され、ボディマウントリング１５１とシャッターユニット１９０との間に配置されている。
【００５３】
《シャッターユニット》
シャッターユニット１９０は、いわゆるフォーカルプレーンシャッターであり、ＣＭＯＳイメージセンサー１１０への光を遮蔽可能である。シャッターユニット１９０は、ボディマウント１５０とＣＭＯＳイメージセンサー１１０との間に配置される。シャッターユニット１９０は、後幕と、先幕と、シャッター支持枠と、を有する。シャッター支持枠には、被写体からＣＭＯＳイメージセンサー１１０へ導かれる光の通る開口が設けられている。シャッターユニット１９０は、後幕および先幕をシャッター支持枠の開口に進退させることにより、ＣＭＯＳイメージセンサー１１０の露光時間を調節する。シャッターユニット１９０は、機械的に開口状態を保持できる。機械的に保持するとは、電気の力を使わずに開口状態を保持するという概念であり、例えば、物と物との係合や永久磁石による保持を含む。
【００５４】
《光学的ローパスフィルタおよび振動板》
光学的ローパスフィルタ１１４は、被写体から入射した光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。なお、光学的ローパスフィルタ１１４には、赤外光をカットするためのＩｒカットフィルタ機能も併せ持たせている。
【００５５】
振動板１１５は、ＣＭＯＳイメージセンサー１１０よりも前に配置され、振動板支持部１１６により支持されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、圧電素子と、圧電素子を介して板状部材を固定する固定部材と、を含んでいる。そして、交流電圧が印加されて圧電素子が振動すると、板状部材が振動する。振動板支持部１１６は、振動板１１５をＣＭＯＳイメージセンサー１１０に対して所定の位置に配置されるように支持している。振動板支持部１１６は、ボディマウント１５０およびシャッターユニット１９０を介してメインフレーム１５４に支持されている。
【００５６】
《支持体ユニット》
図７（Ａ）および図７（Ｂ）に示すように、支持体ユニット１０は支持具取付部１５７を移動可能に支持するユニットであり、外装部１０１と、メインフレーム１５４と、を含んでいる。
【００５７】
前述のように、外装部１０１は外装底面部１０１ａを有している。外装底面部１０１ａには、開口部２０が形成されている。開口部２０は、外装底面部１０１ａに形成された開口２２と、外表面１６２と、を有している。開口２２からは、支持具取付部１５７が露出している。
【００５８】
開口２２（開口の一例）は、中心線ＣＬ方向（後述）に貫通している。開口２２には、支持具取付部１５７が摺動可能に挿入されている。具体的には、開口２２には支持具取付部１５７の本体部４０（後述）が挿入され、本体部４０と開口２２の間には隙間が形成されている。開口２２は、支持具取付部１５７が移動する際に、中心線ＣＬ方向に支持具取付部１５７を案内する。
【００５９】
外表面１６２は、開口２２の周囲に形成された概ね平坦な面であり、外部に露出している。本実施形態では、支持具取付部１５７に支持具が取り付けられた場合に、外表面１６２は支持具と当接する。
【００６０】
メインフレーム１５４（フレームの一例）は、フレーム底面部１５４ａと、フレーム前面部１５４ｂと、を有しており、カメラ本体１００の外装部１０１の内部に配置される。メインフレーム１５４は、カメラ本体１００の内部において、外装前面部１０１ｂおよび外装底面部１０１ａに沿って配置されている。より詳細には、フレーム前面部１５４ｂはカメラ本体１００の外装前面部１０１ｂに沿って配置されており、フレーム底面部１５４ａはカメラ本体１００の外装底面部１０１ａに沿って配置されている。
【００６１】
フレーム前面部１５４ｂはボディマウント支持部１５２に接続されている。つまり、メインフレーム１５４はボディマウント１５０およびボディマウント支持部１５２を介してレンズユニット２００を支持している。そのため、メインフレーム１５４にはある程度の強度が必要である。したがって、メインフレーム１５４は、金属で形成されているのが好ましい。メインフレーム１５４の材質として、例えばアルミやステンレス合金が考えられる。
【００６２】
フレーム底面部１５４ａは、プレート部３０と、位置決め部３２と、有している。プレート部３０は、板状に形成されており、外装底面部１０１ａに沿って配置されている。プレート部３０には、開口２２に対応する位置に貫通孔３０ａが形成されている。
【００６３】
位置決め部３２は、支持体ユニット１０に対する支持具取付部１５７の移動を制限するための部分であり、支柱部３４と、第１受け部１５５と、第２受け部１５６と、を有している。
【００６４】
支柱部３４は、プレート部３０から外装部１０１の内側に突出しており、第１柱部３４ａと、第２柱部３４ｂと、第３柱部３４ｃと、第４柱部３４ｄと、を有している。第１柱部３４ａ〜第４柱部３４ｄは貫通孔３０ａの周りに配置されている。
【００６５】
図７（Ｃ）に示すように、第１柱部３４ａ〜第４柱部３４ｄは、支持具取付部１５７を囲んでいる。具体的には、第１柱部３４ａと第３柱部３４ｃとは、支持具取付部１５７を挟んで対向している。また、第２柱部３４ｂと第４柱部３４ｄとは、支持具取付部１５７を挟んで対向している。
【００６６】
第１受け部１５５は、支柱部３４の外表面１６２と反対側の端部に固定されており、支持具取付部１５７の移動を制限する。
【００６７】
第２受け部１５６は、第１受け部１５５と外表面１６２との間に配置されており、支持具取付部１５７の移動を制限する。第２受け部１５６は、例えば、支柱部３４と一体形成されている。
【００６８】
第１受け部１５５は、支柱部３４から突出する４つの第１突起１５５−１〜第１突起１５５−４を有している。また、第２受け部１５６は、支柱部３４から突出する４つの第２突起１５６−１〜第２突起１５６−４を有している。具体的には、第１突起１５５−１および第２突起１５６−１は、第１柱部３４ａから突出している。第１突起１５５−２および第２突起１５６−２は、第２柱部３４ｂから突出している。第１突起１５５−３および第２突起１５６−３は、第３柱部３４ｃから突出している。第１突起１５５−４および第２突起１５６−４は、第４柱部３４ｄから突出している。
【００６９】
《支持具取付部》
支持具取付部１５７は、三脚などの支持具を取り付けるための部材であり、本体部４０と、支持具取付部上部１５８と、を有している。本体部４０は、円柱状の部材であり、第１ネジ穴４０ａと、露出面１５９と、を有する。露出面１５９は、支持具取付部１５７の端面であり、開口部２０から外部に露出可能に配置されている。また、露出面１５９は第１ネジ穴４０ａの入口４０ｂの周囲に形成されている。
【００７０】
第１ネジ穴４０ａは、開口部２０から外部に露出可能に配置され、支持具のネジ（図示せず）を取付可能に設けられている。具体的には、支持具が取り付けられていない場合には、第１ネジ穴４０ａは開口２２から露出している。ユーザーは開口部２０から第１ネジ穴４０ａに支持具のネジを挿入することができる。第１ネジ穴４０ａは中心線ＣＬを有している。以下では、中心線ＣＬに平行な方向を中心線ＣＬ方向（第１方向の一例）という。図７（Ｂ）に示すように、本実施形態では、中心線ＣＬ方向はＺ軸方向と概ね一致している。
【００７１】
支持具のネジは、中心線ＣＬ方向に沿って第１ネジ穴４０ａに挿入される。第１ネジ穴４０ａには支持具に設けられたネジを介して比較的大きな力が作用するので、支持具取付部１５７にはある程度の強度が必要である。従って、支持具取付部１５７は、金属で形成されていることが好ましい。
【００７２】
一方、支持具取付部１５７の温度上昇を抑制するために、支持具取付部１５７は熱伝導率が比較的小さい金属で形成されていることが望ましい。強度および熱伝導率に関するこれらの条件を満たす材質としては、例えばステンレス合金が考えられる。
【００７３】
なお、図４に示すように、支持具取付部１５７はＣＭＯＳイメージセンサー１１０の下側に配置されており、支持具取付部１５７はＺ軸方向に沿ってＣＭＯＳイメージセンサー１１０と並んでいる。このように支持具取付部１５７を配置すれば、ＣＭＯＳイメージセンサー１１０の周辺に重量の比較的大きい部品（例えば、レンズユニット２００）が配置されている場合であっても、支持具取付部１５７を中心とした重量分布に偏りが生じにくくなる。その結果、支持具に取り付けられたときにデジタルカメラ１が安定しやすくなる。
【００７４】
支持具取付部上部１５８（第１部分の一例）は、本体部４０の露出面１５９とは反対側に配置され、第１受け部１５５および第２受け部１５６と当接可能である。支持具取付部上部１５８は、例えば本体部４０と一体形成されており、本体部４０から突出するフランジ部１５８ａを有している。
【００７５】
図７（Ａ）に示すように、支持具取付部上部１５８の一部は、第１受け部１５５と第２受け部１５６との間に配置されている。具体的には、フランジ部１５８ａの一部が、第１受け部１５５と第２受け部１５６との間に配置されている。また、図７（Ｂ）に示すように、第１受け部１５５と第２受け部１５６とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部１５５と第２受け部１５６との間隔の中心線ＣＬ方向での第２寸法Ｗ２よりも小さく設定されている。
【００７６】
このように、支持具取付部１５７の上方向（つまり、Ｚ軸正方向）の移動は第１受け部１５５により制限され、支持具取付部１５７の下方向（つまり、Ｚ軸負方向）への移動は第２受け部１５６により制限されている。
【００７７】
以下では、第１受け部１５５に当接している場合の支持具取付部１５７の位置を第１位置という。また、第２受け部１５６に当接している場合の支持具取付部１５７の位置を第２位置という。図７（Ａ）は、第１位置に配置された支持具取付部１５７を示しており、図７（Ｂ）は、第２位置に配置された支持具取付部１５７を示している。
【００７８】
第１位置では、露出面１５９は外表面１６２よりも外装部１０１の内側に配置されている。言い換えれば、露出面１５９は外表面１６２よりも第１受け部１５５側に配置されているとも言える。また、開口部２０と露出面１５９とにより凹部５０が形成されているとも言える。図７（Ａ）では、凹部５０が二点鎖線で示されている。
【００７９】
外表面１６２と第１位置での露出面１５９との中心線ＣＬ方向の第１距離Ｄ１（つまり、凹部５０の深さ）は、ユーザーが露出面１５９に触れにくくなる程度の大きさであればよく、例えば、２〜３ｍｍに設定することができる。
【００８０】
第２位置では、露出面１５９および外表面１６２は同一平面上に配置されている。なお、露出面１５９は必ずしも平面でなくてもよく、支持具を支えることができれば、露出面１５９は平面以外であってもよい。例えば、露出面１５９が曲面であってもよい。また、「露出面１５９と外表面１６２とが同一平面上に配置される」とは、露出面１５９と外表面１６２とが共通の平面に接している場合の露出面１５９と外表面１６２との関係を意味している。したがって、露出面１５９が曲面であっても、外表面１６２を延長させて得られる平面に露出面１５９が接している場合は、露出面１５９と外表面１６２とは同一平面上に配置されているといえる。
【００８１】
《コイルバネ》
コイルバネ１６０（弾性部材の一例）は、支持具取付部１５７と支持体ユニット１０とを弾性的に連結する弾性部材であり、外装底面部１０１ａと支持具取付部上部１５８との間に配置されている。
【００８２】
コイルバネ１６０は、例えば圧縮コイルバネであり、本体部４０に嵌め込まれている。具体的には図７（Ａ）に示すように、第２受け部１５６と本体部４０との間には隙間が形成されており、その隙間にはコイルバネ１６０が配置されている。また、コイルバネ１６０の一方の端は支持具取付部上部１５８に当接しており、他方の端は外装底面部１０１ａと当接している。
【００８３】
支持具取付部１５７に支持具が取り付けられていない場合には、コイルバネ１６０は支持具取付部１５７を第１位置に保持している。具体的には、コイルバネ１６０は支持具取付部１５７を第１受け部１５５に押し付けており、支持具取付部上部１５８は第１受け部１５５に当接している。
【００８４】
支持具取付部１５７に支持具が取り付けられている場合には、支持具取付部１５７が第２位置に配置される。支持具取付部１５７が第１位置から第２位置へ移動すると、支持具取付部上部１５８がコイルバネ１６０側に移動するので、コイルバネ１６０の圧縮量が増加する。ここで、支持具が取り付けられた支持具取付部１５７は、支持具のネジにより支持具に引き寄せられている。したがって、コイルバネ１６０の弾性力が作用していても、支持具取付部１５７は第２位置に保持される。
【００８５】
以上のように、支持具取付部１５７は、支持体ユニット１０およびコイルバネ１６０に支持されている。具体的には、支持具取付部１５７は、外装底面部１０１ａと、フレーム底面部１５４ａと、コイルバネ１６０と、により支持されている。コイルバネ１６０は支持具取付部上部１５８と外装底面部１０１ａとの間に配置されている。また、支持具取付部上部１５８は、コイルバネ１６０のバネ力により付勢され、第１受け部１５５と第２受け部１５６との間で上下し、位置決めされる。そして、支持具が取り付けられていない場合には、支持具取付部１５７はコイルバネ１６０の付勢力によってカメラ本体１００の内部に押し上げられ、支持具取付部上部１５８が第１受け部１５５と当接することで位置決めされる。一方で、支持具が取り付けられた場合には、支持具取付部１５７は支持具のネジの締め付け力によってカメラ本体１００の外部へ向かう方向（Ｚ軸負方向）に引き出され、支持具取付部上部１５８が第２受け部１５６と当接することで位置決めされる。
【００８６】
なお、支持具取付部１５７を支持体ユニット１０に組み付ける方法として、どのような方法が用いられても構わない。例えば、支柱部３４と第２受け部１５６とを一体形成し、支柱部３４をプレート部３０に固定することができる。次に、支柱部３４の間に支持具取付部１５７およびコイルバネ１６０が配置される。さらに、支柱部３４に第１受け部１５５が固定される。このようにして、支持具取付部１５７を支持体ユニット１０に組み付けることができる。
【００８７】
なお、本実施形態では第１受け部１５５は支柱部３４から突出する第１突起１５５−１〜第１突起１５５−４であったが、第１受け部１５５は必ずしも突起でなくてもよい。例えば、第１受け部１５５をプレート状に形成し、支柱部３４に固定してもよい。また、支柱部３４の上部を覆うとともに第１受け部１５５としての機能を有するキャップが設けられていてもよい。つまり、支柱部３４の全体を覆うキャップが、支持具取付部１５７の上方向への移動を制限していてもよい。
【００８８】
《放熱部材》
放熱部材１９８は、放熱板１９５と、熱伝導部１９６と、を有している。放熱板１９５は、ＣＭＯＳイメージセンサー１１０とメイン回路基板１４２の間に配置されている。具体的には、放熱板１９５は、ＣＭＯＳ回路基板１１３とメイン回路基板１４２の間に配置されている。放熱板１９５は、ＣＭＯＳイメージセンサー１１０により発生した熱を放熱するための長方形の板状部材である。放熱板１９５の材質として例えばアルミや銅等の金属を用いれば、好ましい放熱効果を得ることができる。
【００８９】
放熱板１９５には、振動板支持部１１６に熱を伝えるために熱伝導部１９６が接続されている。熱伝導部１９６は振動板支持部１１６に接続され固定されている。ＣＭＯＳイメージセンサー１１０から発生した熱は、放熱板１９５および熱伝導部１９６を介して振動板支持部１１６に伝達される。このような熱の伝達を可能とするために、ＣＭＯＳイメージセンサー１１０の背面には放熱板１９５が配置され、放熱板１９５から振動板支持部１１６まで熱伝導部１９６が延びている。
【００９０】
より詳細には、熱伝導部１９６は４枚のプレートを有しており、放熱板１９５の上下の端および左右の端からプレートが前方へ延びている。言い換えれば、熱伝導部１９６はＣＭＯＳイメージセンサー１１０の上下左右を囲うようにして配置されている。このように、ＣＭＯＳイメージセンサー１１０は、放熱板１９５および熱伝導部１９６により、上側、両側方、下側および後ろ側を囲い込まれている。
【００９１】
なお、熱伝導部１９６は必ずしも振動板支持部１１６に接続されていなくてもよく、メインフレーム１５４とＣＭＯＳイメージセンサー１１０との間に配置されるいずれかの部品と接続されていればよい。例として、ボディマウント支持部１５２やシャッターユニット１９０が考えられる。
【００９２】
なお、熱伝導部１９６は、必ずしも４箇所で振動板支持部１１６と接続している必要はない。例えば、４枚のプレートのうち少なくとも１枚が放熱板１９５を振動板支持部１１６に接続していればよい。しかしながら、放熱板１９５の安定性を考慮すると、３箇所以上で接続されることが望ましい。
【００９３】
＜１−３：レンズユニットの構成＞
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
【００９４】
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。
【００９５】
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
【００９６】
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
【００９７】
レンズマウント２５０は、レンズマウントリング２５１（図示せず）および電気接点２５３（図示せず）を有しており、前述のようにボディマウント１５０と機械的および電気的に接続できる。
【００９８】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号を駆動部２１５に伝える。駆動部２１５は制御信号に基づいてズームレンズ群２１０、ＯＩＳレンズ群２２０、フォーカスレンズ群２３０の位置を調節する。
【００９９】
一方で、カメラコントローラー１４０は、ＣＭＯＳイメージセンサー１１０が受けた光の量、静止画撮影を行うのか動画撮影を行うのか、絞り値が優先的に設定される操作がされているか等の情報に基づいて、絞りユニット２６０を動作させるための制御信号を生成する。このとき、レンズコントローラー２４０は、カメラコントローラー１４０で生成された制御信号を絞りユニット２６０へ中継する。
【０１００】
また、レンズコントローラー２４０は、光学系Ｌの各レンズ群および絞りユニット２６０の駆動を行なう場合、ＤＲＡＭ２４１をワークメモリとして使用する。また、フラッシュメモリ２４２は、レンズコントローラー２４０によって使用されるプログラムやパラメータを保存している。
【０１０１】
レンズ筒２９０は、主に光学系Ｌと、レンズコントローラー２４０と、レンズマウント２５０と、絞りユニット２６０と、を内部に収容している。また、レンズ筒２９０の外部には、ズームリング２１３とフォーカスリング２３４とＯＩＳスイッチ２２４とが設けられている。
【０１０２】
ズームリング２１３は筒状の部材であり、レンズ筒２９０の外周面で回転可能である。ズームリング２１３は、焦点距離を操作するための操作部の一例である。ズームリング２１３を回転させると、回転後のズームリング２１３の位置に応じて、光学系Ｌの焦点距離が決定される。ズームリング２１３の位置は、例えば、駆動部２１５に含まれる検出部によって検出される。
【０１０３】
フォーカスリング２３４は筒状の部材であり、レンズ筒２９０の外周面で回転可能である。フォーカスリング２３４は、光学系ＬがＣＭＯＳイメージセンサー１１０上に形成する被写体像のフォーカス状態を操作するための操作部の一例である。フォーカスリング２３４を回転させると、回転後のフォーカスリング２３４の位置に応じて、被写体像のフォーカス状態が調節される。例えば、レンズコントローラー２４０はフォーカスリング２３４の位置情報に基づいて制御信号を生成し、駆動部２１５に出力する。駆動部２１５は、制御信号に基づいてフォーカスレンズ群２３０を駆動する。
【０１０４】
ＯＩＳスイッチ２２４は、ＯＩＳを操作するための操作部の一例である。ＯＩＳスイッチ２２４をＯＦＦにするとＯＩＳは動作しない。ＯＩＳスイッチ２２４をＯＮにするとＯＩＳは動作可能となる。
【０１０５】
＜１−４：構造の特徴＞
カメラ本体１００は、ミラーボックス装置を有しておらず、この点が一眼レフレックスカメラと異なっている。以下、図６（Ａ）および（Ｂ）を用いてカメラ本体１００の構造上の特徴をさらに詳細に説明する。
【０１０６】
図６（Ａ）は一眼レフレックスカメラ８００の概略断面図、図６（Ｂ）は本実施形態のデジタルカメラ１の概略断面図である。なお、図６（Ｂ）では、ボディマウント１５０、シャッターユニット１９０、振動板１１５、振動板支持部１１６、放熱板１９５、熱伝導部１９６などの部材は省略されている。また、図６（Ｂ）では、支持具取付部１５７周辺の構造に関しては、詳細が省略されている。
【０１０７】
図６（Ａ）に示す一眼レフレックスカメラ８００では、ＣＭＯＳイメージセンサー８１０の前面に、つまり、ＣＭＯＳイメージセンサー８１０のレンズユニット８０２側にミラーボックス装置が配置されている。ミラーボックス装置は、反射ミラー８０３とペンタプリズム８０４とを含んでいる。そして、ＣＭＯＳイメージセンサー８１０の背面に（つまり、ＣＭＯＳイメージセンサー８１０に対してレンズユニット８０２とは反対側に）、前からＣＭＯＳ回路基板８１３と、カメラコントローラー８４０を含むメイン回路基板８４２と、が順に配置されている。また、カメラ本体８０１の強度を確保するために金属製のメインフレーム８５４がカメラ本体８０１の内部の前面から底面に沿って配置されている。さらに、カメラ本体８０１の底面には支持具取付部８５７が設けられており、支持具取付部８５７はメインフレーム８５４に固定されている。
【０１０８】
一眼レフレックスカメラ８００では、ミラーボックス装置に含まれる反射ミラー８０３およびペンタプリズム８０４によって、レンズユニット８０２により形成された被写体の光学像は、ＣＭＯＳイメージセンサー８１０または光学ファインダー８０５に導かれる。このように、カメラ本体８０１の内部に、可動式の反射ミラー８０３とペンタプリズム８０４を配置するスペース、および、反射ミラー８０３から光学ファインダー８０５までの光路のスペース、を確保する必要があるため、カメラ本体８０１は小型化に適していない。
【０１０９】
その反面、カメラ本体８０１の内部にスペースが多いこと、カメラ本体８０１の表面積が大きいこと等の理由により、一眼レフレックスカメラ８００では、ＣＭＯＳイメージセンサー８１０からの発生した熱を放熱しやすい。また、支持具取付部８５７をＣＭＯＳイメージセンサー８１０から離れた位置に配置できるので、ＣＭＯＳイメージセンサー８１０から発生した熱が支持具取付部８５７に比較的伝わりにくい。
【０１１０】
これに対し、図６（Ｂ）に示すように、本実施形態に係るデジタルカメラ１では、ＣＭＯＳイメージセンサー１１０の前側にミラーボックス装置が配置されないため、フランジバックを短くすることが可能となり、カメラ本体１００を小型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
【０１１１】
その一方で、一眼レフレックスカメラ８００のようにミラーボックス装置が設けられているスペースが不要となるため、カメラ本体１００の小型化を図れるが、デジタルカメラ１では部品が密集して配置されるので、ＣＭＯＳイメージセンサー１１０と支持具取付部１５７との距離は、一眼レフレックスカメラ８００と比較して小さくなっている。
【０１１２】
さらに、高画質化や動画撮影対応によりＣＭＯＳイメージセンサー１１０やカメラコントローラー１４０の消費電力が大きくなってしまい、ＣＭＯＳイメージセンサー１１０やカメラコントローラー１４０の発熱量が大きくなっている。
【０１１３】
例えば、デジタルカメラ１では、高解像度の動画像の撮影にも対応したＣＭＯＳイメージセンサー１１０が採用されているため、高解像度の動画像の撮影に対応していないＣＭＯＳイメージセンサー（例えば、一眼レフレックスカメラ８００のＣＭＯＳイメージセンサー８１０）と比較して消費電力がおよそ３倍（０．４Ｗから１．２Ｗ）に増加している。その結果、ＣＭＯＳイメージセンサー１１０の発熱量は、高解像度の動画像の撮影に対応していないＣＭＯＳイメージセンサーの発熱量に比べて大きくなっている。
【０１１４】
以上のように、デジタルカメラ１では一眼レフレックスカメラ８００と比較してＣＭＯＳイメージセンサー１１０やカメラコントローラー１４０等の電子部品の発熱量が増大しており、さらに、小型化に伴って支持具取付部１５７がＣＭＯＳイメージセンサー１１０の近くに配置されているので、ＣＭＯＳイメージセンサー１１０で発生した熱が支持具取付部１５７に伝わりやすくなる。そうすると、支持具取付部１５７に触れて周辺の温度と支持具取付部１５７の温度との温度差を感知したユーザーが、違和感を感じる可能性がある。
【０１１５】
＜１−５：支持具の取り付けおよび取り外し＞
そこで、本実施形態に係るデジタルカメラ１では、ユーザーの触れにくい位置に支持具取付部１５７が配置されている。具体的には、支持具が支持具取付部１５７に取り付けられていない場合には、支持具取付部１５７がカメラ本体１００の内部に配置される。その結果、ユーザーが触れにくい位置に露出面１５９が配置される。
【０１１６】
以下、本実施形態の支持具取付部１５７の構造についてさらに具体的に説明する。図７（Ａ）〜図７（Ｃ）は支持具取付部１５７周辺の構造を説明する概略図である。図７（Ａ）は支持具が取り付けられてない場合の支持具取付部１５７および支持体ユニット１０の断面図であり、図７（Ｂ）は支持具が取り付けられた場合の支持具取付部１５７および支持体ユニット１０の断面図であり、図７（Ｃ）は支持具取付部１５７付近の斜視図である。なお、図７（Ｂ）では、支持具は省略されている。また、図７（Ｃ）では、コイルバネ１６０は省略されている。
【０１１７】
前述のように、本実施形態に係るデジタルカメラ１では、支持具取付部１５７は、第１位置と第２位置との間を移動可能である。支持具取付部１５７が第１位置に配置されている場合は、第１ネジ穴４０ａの入口４０ｂの周囲に形成された露出面１５９が外装部１０１の外表面１６２よりも第１受け部１５５側に位置している。支持具取付部１５７が第２位置に配置されている場合は、第１ネジ穴４０ａの入口４０ｂが形成された露出面１５９と外装部１０１の外表面１６２とが同一平面上に配置されている。
【０１１８】
支持具が支持具取付部１５７に取り付けられていない場合には、支持具取付部１５７はコイルバネ１６０により第１位置に保持される。具体的には、支持具取付部上部１５８と外装底面部１０１ａとの間にコイルバネ１６０が配置されている。ユーザーが支持具を使用しない場合には、支持具取付部上部１５８が第１受け部１５５に当接する位置まで、支持具取付部１５７はカメラ本体１００の内部にコイルバネ１６０により付勢され押し上げられている。前述のように、このときの支持具取付部１５７の位置が第１位置（図７（Ａ）に示した支持具取付部１５７の位置）である。
【０１１９】
ここで、支持具取付部１５７はＣＭＯＳイメージセンサー１１０の下側に配置されているので、ＣＭＯＳイメージセンサー１１０からの輻射熱や対流熱は支持具取付部１５７に比較的伝わりやすい。したがって、デジタルカメラ１では支持具取付部１５７の温度が上昇しやすいと言える。しかしながら、支持具取付部１５７がコイルバネ１６０によってカメラ本体１００の内部に押し上げられているので、ユーザーが露出面１５９に触れ難くなっている。結果として、ユーザーが露出面１５９に触れて違和感を感じる可能性を低減できる。
【０１２０】
一方で、ユーザーが支持具を使用する場合には、ユーザーは支持具のネジを支持具取付部１５７にねじ込む。ユーザーが支持具のネジを支持具取付部１５７に対して回転させると、支持具のネジが第１ネジ穴４０ａにねじ込まれる。
【０１２１】
ここで、支持具取付部１５７はコイルバネ１６０により第１受け部１５５に押し付けられているので、支持具取付部１５７が第１受け部１５５に対して回転すると、支持具取付部１５７と第１受け部１５５との間には摩擦力が発生する。そして、支持具取付部１５７と第１受け部１５５との間に発生する摩擦力が支持具取付部１５７の回転を抑制するので、支持具のネジを支持具取付部１５７に対して回転させることができる。なお、支持具取付部１５７の回転を抑制するための構造が設けられていてもよい。例えば、本体部４０の外周面に回り止めの突起を形成し、その突起を中心線ＣＬ方向に導くための溝を開口２２の内周面に形成してもよい。
【０１２２】
支持具のネジが第１ネジ穴４０ａにねじ込まれると、支持具が外表面１６２と当接する。支持具のネジが第１ネジ穴４０ａにさらにねじ込まれると、支持具取付部１５７が支持具に近付くように移動する。このように、開口部２０と支持具取付部１５７とが支持具のネジにより締め付けられ、コイルバネ１６０が圧縮される。そして、支持具取付部１５７は、支持具取付部上部１５８が第２受け部１５６に当接するまでカメラ本体１００の外部側に（つまり、第１受け部１５５から遠ざかるように）移動する。
【０１２３】
支持具取付部上部１５８が第２受け部１５６に当接している時、露出面１５９は外表面１６２と一致している。つまり、露出面１５９および外表面１６２は同一平面上に配置されている。前述のように、このときの支持具取付部１５７の位置が第２位置（図７（Ｂ）に示した支持具取付部１５７の位置）である。
【０１２４】
本実施形態では、第１距離Ｄ１は、第２寸法Ｗ２と第１寸法Ｗ１との差と概ね等しい。このような寸法関係が満たされているので、支持具取付部１５７が第２位置に配置されると、露出面１５９と外表面１６２とが同一平面上に配置される。
【０１２５】
カメラ本体１００に支持具が装着された場合には、露出面１５９が外表面１６２と一致しているので、支持具は支持具取付部１５７および外表面１６２を介してカメラ本体１００を支えることができる。したがって、カメラ本体１００の外装部１０１や支持具取付部１５７に支持具から過大な力が作用することを防止できる。
【０１２６】
ここで、支持具が取り付けられたカメラ本体に関して、露出面１５９が外表面１６２と一致しない場合には、カメラ本体の取り扱いに注意が必要となる。一例として、支持具が取り付けられた場合に露出面１５９が外表面１６２よりもカメラ本体の内側に配置されるカメラ本体が考えられる。このようなカメラ本体では、露出面１５９と支持具の間に隙間が形成される。つまり、露出面１５９が支持具と当接しないので、支持具のネジに大きな力をかけることにより、支持部のネジを第１ネジ穴４０ａにさらにねじ込むことが可能である。したがって、ユーザーが支持具のネジに強い力をかけると、支持具取付部１５７に鉛直方向下向きに過大な引っ張り力がかかり続けることになり、支持具取付部１５７を支えている外装底面部１０１ａに歪みが生じる可能性がある。
【０１２７】
また、別の例として、支持具が取り付けられた場合に露出面１５９が外表面１６２から大きく押し出されているカメラ本体が考えられる。このようなカメラ本体では、露出面１５９は支持具と当接するが、外表面１６２が支持具と当接しない。したがって、支持具がカメラ本体を支えるための支点は支持具取付部１５７のみであり、支持具取付部１５７に過大な負荷がかかる可能性がある。その結果、支持具取付部１５７もしくは支持体ユニット１０が破損する可能性がある。
【０１２８】
一方で、本実施形態に係るカメラ本体１００では、支持具が取り付けられると、露出面１５９は外表面１６２と一致するまで押し出される。言い換えれば、支持具が支持具取付部１５７に取り付けられた場合に露出面１５９と外表面１６２とが一致するように、コイルバネ１６０、第１受け部１５５、および第２受け部１５６が配置されている。
【０１２９】
図７（Ｃ）に示すように、本実施形態では第１受け部１５５は４つの第１突起１５５−１〜第１突起１５５−４を有しているが、第１受け部１５５は必ずしも４つの第１突起１５５−１〜第１突起１５５−４の全てを有している必要は無い。第１受け部１５５は支持具取付部１５７の移動を制限できればよいので、第１突起１５５−１〜第１突起１５５−４のうち少なくとも１つを有していればよい。
【０１３０】
同様に、第２受け部１５６は４つの第２突起１５６−１〜第２突起１５６−４を有しているが、第２受け部１５６は必ずしも４つの第２突起１５６−１〜第２突起１５６−４の全てを有している必要は無い。第２受け部１５６は支持具取付部１５７の移動を制限できればよいので、第２突起１５６−１〜第２突起１５６−４のうち少なくとも１つを備えていればよい。
【０１３１】
なお、本実施形態においては、第１受け部１５５および第２受け部１５６がメインフレーム１５４に設けられている。メインフレーム１５４は金属で形成された部材であるので、第１受け部１５５および第２受け部１５６の強度が確保されている。
【０１３２】
特に、外装部１０１がメインフレーム１５４よりも強度が低い材質（例えば、合成樹脂）で形成されている場合には、メインフレーム１５４に第１受け部１５５もしくは第２受け部１５６を設けることにより、第１受け部１５５および第２受け部１５６の強度を高めることが出来る。
【０１３３】
また、本実施形態においては、第１受け部１５５および第２受け部１５６の両方がメインフレーム１５４に設けられていたが、例えば第２受け部１５６のみをメインフレーム１５４に形成することも可能である。
【０１３４】
＜１−６：効果＞
ここで、本実施形態に係るカメラ本体１００の効果についてまとめる。
【０１３５】
（１）
このカメラ本体１００では、支持具が支持具取付部１５７に取り付けられていない場合に露出面１５９が外表面１６２よりも外装部１０１の内側に配置されるので、支持具取付部１５７をユーザーが触れにくい位置に配置できる。したがって、ユーザーが支持具取付部１５７に触れて支持具取付部１５７の温度と周辺の温度との温度差を感じる頻度を少なくすることができる。
【０１３６】
一方で、支持具取付部１５７は支持体ユニット１０に移動可能に支持されており、支持具が支持具取付部１５７に取り付けられた場合には露出面１５９と外表面が同一平面上に配置されるので、支持具取付部１５７を支持具に近づけることができる。
【０１３７】
このように、ユーザーに違和感を与える可能性を低減できるとともに、支持具の取り付けに適した位置に支持具取付部１５７を配置することができる。
【０１３８】
（２）
このカメラ本体１００では、支持具取付部１５７を取り外す動作に連動して支持具取付部が第２位置から第１位置に移動するので、ユーザーによる余分の操作を必要とすることなく、ユーザーの触れにくい位置に支持具取付部１５７を移動させることができる。
【０１３９】
具体的には、支持具取付部１５７は、コイルバネ１６０により支持体ユニット１０に弾性的に連結されており、支持具が取り付けられていない場合には第１受け部１５５に押し付けられている。したがって、支持具が取り付けられていない場合には、支持具取付部１５７はコイルバネ１６０により第１位置に保持される。さらに、支持具が支持具取付部１５７から取り外されると支持具取付部１５７がコイルバネ１６０により自動的に第１位置に移動するので、ユーザーの余分な動作を省くことができる。
【０１４０】
（３）
このカメラ本体１００では支持具取付部１５７が第２位置に配置された場合に露出面１５９が支持具と接触しているので、カメラ本体１００は支持具取付部１５７を介して支持具に支持される。このように、支持具取付部１５７が支点として機能するので、支持具取付部１５７が支持具と接触できない場合に比べて、カメラ本体１００に負荷がかかりにくくなる。
【０１４１】
（４）
このカメラ本体１００では、支持具取付部１５７の移動が第１受け部１５５および第２受け部１５６により制限される。具体的には、支持具取付部上部１５８の一部が第１受け部１５５と第２受け部１５６の間に配置され、第１位置での支持具取付部上部１５８は第１受け部１５５に当接し、第２位置での支持具取付部上部１５８は第２受け部１５６と当接する。このように、簡素な構成を用いつつ、支持具取付部１５７を第１位置および第２位置に精度良く配置することができる。
【０１４２】
（５）
このカメラ本体１００では、第１受け部１５５および第２受け部１５６がメインフレーム１５４に形成されているので、第１受け部１５５および第２受け部１５６の強度を確保することができる。
【０１４３】
〔第２実施形態〕
次に、第２実施形態について説明する。前述の第１実施形態では、支持体ユニット１０はメインフレーム１５４を含んでいたが、支持体ユニット１０からメインフレーム１５４を省略することも可能である。
【０１４４】
第２実施形態に係るカメラ本体４００においては、第１実施形態のカメラ本体１００と比較して、フレーム底面部１５４ａが用いられておらず、また、外装底面部１０１ａの構造が異なっている。よって、ここでは主に外装底面部１０１ａおよび支持具取付部１５７について説明し、共通部分の説明は省略する。図８（Ａ）〜図８（Ｃ）は第２実施形態に係る支持体ユニット４１０の構造を説明する概略図である。図８（Ａ）は支持具が取り付けられていない場合の支持具取付部１５７および支持体ユニット４１０の断面図であり、図８（Ｂ）は支持具が取り付けられている場合の支持具取付部１５７および支持体ユニット４１０の断面図であり、図８（Ｃ）は支持具取付部１５７の斜視図である。なお、図８（Ｂ）では、支持具は省略されている。また、図８（Ｃ）では、コイルバネ１６０は省略されている。
【０１４５】
＜２−１：構成＞
第２実施形態に係るカメラ本体４００では、支持具取付部上部１５８はメインフレーム１５４によって上下方向の移動を規制されるのではなく、外装部４０１に形成された第１受け部４６３および第２受け部４６４によって上下方向の移動を規制される。
【０１４６】
支持体ユニット４１０は、支持具取付部１５７を移動可能に支持するユニットであり、外装部４０１を有している。
【０１４７】
外装部４０１は、外装底面部４０１ａを有している。外装底面部４０１ａは、基部４３６と、位置決め部４３２と、を有している。
【０１４８】
基部４３６は、カメラ本体１００の底面を形成する概ね板状の部材である。基部４３６には、開口部４２０が形成されている。開口部４２０は、基部４３６に形成された開口４２２（開口の一例）と、外表面４６２と、を有している。開口４２２からは、支持具取付部１５７が露出している。開口２２には、支持具取付部１５７が摺動可能に挿入されている。開口４２２は、中心線ＣＬ方向に貫通しており、支持具取付部１５７が移動する際に、中心線ＣＬ方向に支持具取付部１５７を案内する。外表面４６２は、開口４２２の周囲に形成された概ね平坦な面であり、外部に露出している。
【０１４９】
位置決め部４３２は、支持具取付部１５７の移動を制限するための部分であり、支柱部４３４と、第１受け部４６３と、第２受け部４６４と、を有している。
【０１５０】
支柱部４３４は、基部４３６から内側に突出しており、第１柱部４３４ａと、第２柱部４３４ｂと、第３柱部４３４ｃと、第４柱部４３４ｄと、を有している。第１柱部４３４ａ〜第４柱部４３４ｄは、開口部４２０の周りに配置されている。
【０１５１】
第１柱部４３４ａ〜第４柱部４３４ｄは、支持具取付部１５７を囲んでいる。具体的には、第１柱部４３４ａと第３柱部４３４ｃとは、支持具取付部１５７を挟んで対向している。また、第２柱部４３４ｂと第４柱部４３４ｄとは、支持具取付部１５７を挟んで対向している。
【０１５２】
第１受け部４６３は、支柱部４３４の外表面４６２と反対側の端部に固定されており、支持具取付部１５７の移動を制限する。
【０１５３】
第２受け部４６４は、第１受け部４６３と外表面４６２との間に配置されており、支持具取付部１５７の移動を制限する。第２受け部４６４は、例えば、支柱部４３４と一体形成されている。
【０１５４】
第１受け部４６３は、支柱部４３４から突出する４つの第１突起４６３−１〜第１突起４６３−４を有している。また、第２受け部４６４は、支柱部４３４から突出する４つの第２突起４６４−１〜第２突起４６４−４を有している。具体的には、第１突起４６３−１および第２突起４６４−１は、第１柱部４３４ａから突出している。第１突起４６３−２および第２突起４６４−２は、第２柱部４３４ｂから突出している。第１突起４６３−３および第２突起４６４−３は、第３柱部４３４ｃから突出している。第１突起４６３−４および第２突起４６４−４は、第４柱部４３４ｄから突出している。
【０１５５】
図８（Ａ）に示すように、支持具取付部上部１５８の一部は、第１受け部４６３と第２受け部４６４との間に配置されている。具体的には、フランジ部１５８ａの一部が、第１受け部４６３と第２受け部４６４との間に配置されている。また、第１受け部４６３と第２受け部４６４とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部４６３と第２受け部４６４との間隔の中心線ＣＬ方向での第２寸法Ｗ２よりも小さく設定されている。
【０１５６】
このように、支持具取付部１５７の上方向（つまり、Ｚ軸正方向）の移動は第１受け部４６３により制限され、支持具取付部１５７の下方向（つまり、Ｚ軸負方向）への移動は第２受け部４６４により制限されている。
【０１５７】
以下では、第１受け部４６３に当接している場合の支持具取付部１５７の位置を第１位置という。また、第２受け部４６４に当接している場合の支持具取付部１５７の位置を第２位置という。図８（Ａ）は、第１位置に配置された支持具取付部１５７を示しており、図８（Ｂ）は、第２位置に配置された支持具取付部１５７を示している。
【０１５８】
第１位置では、露出面１５９は外表面４６２よりも外装部４０１の内側に配置されている。言い換えれば、露出面１５９は外表面４６２よりも第１受け部４６３側に配置されているとも言える。また、開口部４２０と露出面１５９とにより凹部５０が形成されているとも言える。図８（Ａ）では、凹部５０が二点鎖線で示されている。第２位置では、露出面１５９および外表面４６２は同一の平面上に配置されている。
【０１５９】
なお、支持具取付部１５７を支持体ユニット４１０に組み付ける方法として、どのような方法が用いられても構わない。例えば、１対の部材を組み合わせることにより外装底面部４０１ａが形成されてもよい。この場合には、例えば、１対の部材の一方の部材に第１柱部４３４ａおよび第４柱部４３４ｄが一体形成され、他方の部材に第２柱部４３４ｂと第３柱部４３４ｃが一体形成される。そして、１対の部材を組み合わせて外装底面部４０１ａを組み立てる際に、支持具取付部１５７およびコイルバネ１６０が支柱部４３４の間に配置される。このようにして、支持具取付部１５７を支持体ユニット４１０に組み付けることができる。
【０１６０】
＜２−２：動作＞
支持具が支持具取付部１５７に取り付けられていない場合には、支持具取付部１５７は、支持具取付部上部１５８と外装底面部４０１ａの間に配置されたコイルバネ１６０によって付勢され、カメラ本体４００の内部に押し上げられている。具体的には、支持具取付部１５７は、支持具取付部上部１５８が第１受け部４６３に当接する位置まで押し上げられている。前述のように、このときの支持具取付部１５７の位置が第１位置（図８（Ａ）に示した支持具取付部１５７の位置）である。
【０１６１】
第１実施形態に係るカメラ本体１００と同様に、支持具取付部１５７にはＣＭＯＳイメージセンサー１１０からの輻射熱や対流熱が比較的伝わりやすいので、支持具取付部１５７の温度が上昇する傾向にある。しかしながら、支持具取付部１５７がカメラ本体４００の内部に押し上げられているので、ユーザーが露出面１５９に触れ難くなっている。結果として、ユーザーが露出面１５９に触れて違和感を感じる可能性を低減できる。
【０１６２】
一方で、支持具が支持具取付部１５７に取り付けられた場合には、開口部４２０と支持具取付部１５７が支持具のネジにより締め付けられ、コイルバネ１６０が圧縮される。そして、支持具取付部１５７は支持具取付部上部１５８が第２受け部４６４に当接する位置までカメラ本体４００の外部側に（つまり、第１受け部４６３から遠ざかるように）移動する。
【０１６３】
支持具取付部上部１５８が第２受け部４６４に当接している時、露出面１５９は外表面４６２と一致している。つまり、露出面１５９および外表面４６２は同一平面上に配置されている。前述のように、このときの支持具取付部１５７の位置が第２位置（図８（Ｂ）に示した支持具取付部１５７の位置）である。
【０１６４】
カメラ本体４００に支持具が装着された場合には、露出面１５９が外表面４６２と一致しているので、支持具は支持具取付部１５７および外表面４６２を介してカメラ本体４００を支えることができる。したがって、カメラ本体４００もしくは支持具取付部１５７に支持具から過大な力が作用することを防止できる。
【０１６５】
ここで、支持具が取り付けられたカメラ本体に関して、露出面１５９が外表面４６２と一致しない場合には、カメラ本体の取り扱いに注意が必要となる。一例として、支持具が取り付けられた場合に露出面１５９が外表面４６２よりもカメラ本体の内側に配置されるカメラ本体が考えられる。このようなカメラ本体では、ユーザーが支持具のネジに強い力をかけると、支持具取付部１５７に鉛直方向下向きに過大な引っ張り力がかかり続けることになり、外装底面部４０１ａに歪みが生じる可能性がある。
【０１６６】
また、別の例として、支持具が取り付けられた場合に露出面１５９が外表面４６２から大きく押し出されているカメラ本体が考えられる。このようなカメラ本体では、支持具がカメラ本体を支えるための支点は支持具取付部１５７のみであり、支持具取付部１５７に過大な負荷がかかる可能性がある。
【０１６７】
一方で、カメラ本体４００では、支持具が取り付けられると、露出面１５９は外表面４６２と一致するまで押し出される。言い換えれば、支持具が支持具取付部１５７に取り付けられた場合に露出面１５９と外表面４６２とが一致するように、コイルバネ１６０、第１受け部４６３、および第２受け部４６４が配置されている。
【０１６８】
図８（Ｃ）に示すように、本実施形態では、第１受け部４６３は第１突起４６３−１〜第１突起４６３−４から構成されているが、必ずしも４つから構成される必要は無い。第１受け部４６３は少なくとも１つの突起を備えていればよい。同様に第２受け部４６４は第２突起４６４−１〜第２突起４６４−４の４つから構成されているが、必ずしも４つから構成される必要は無い。第２受け部４６４は少なくとも１つの突起を備えていればよい。
【０１６９】
〔第３実施形態〕
前述の実施形態では、支持具取付部１５７を第１位置に保持するためのコイルバネ１６０が設けられていたが、支持具取付部１５７を第１位置に保持するための部材を省略することも可能である。
【０１７０】
以下では、第３実施形態に係るカメラ本体５００（撮像装置の一例）について図９（Ａ）〜図１０（Ｃ）を用いて説明する。なお、第１実施形態と異なる部分についてのみ説明する。また、第１実施形態と実質的に同様の機能を有する部品および構成については同一の符号を付し、その詳細な説明を省略する。
【０１７１】
＜３−１：構成＞
第３実施形態に係るカメラ本体５００は、支持具取付部５５７と、支持体ユニット５１０と、を有している。図９（Ａ）および図９（Ｂ）に示すように、支持体ユニット５１０は、外装部５０１と、メインフレーム５５４と、ホルダ部５３２と、を有している。
【０１７２】
外装部５０１は、外装底面部５０１ａを有している。外装底面部５０１ａには開口部２０が形成されている。
【０１７３】
メインフレーム５５４（フレームの一例）は、カメラ本体５００の強度を確保する部材であり、フレーム前面部１５４ｂと、フレーム底面部５５４ａを有している。フレーム底面部５５４ａは、プレート部３０と、貫通孔３０ａと、を有している。貫通孔３０ａの周囲には、支持具取付部５５７の移動を制限するための第２受け部５５６が形成されている。支持具が支持具取付部５５７に取り付けられていない場合には、貫通孔３０ａおよび開口２２を介して、支持具取付部５５７が外部に露出している。
【０１７４】
ホルダ部５３２は、支持具取付部５５７を移動可能に支持する部材であり、胴部５３４と、第１受け部５５５と、を有している。
【０１７５】
胴部５３４は、フレーム底面部５５４ａに固定されており、支持具取付部５５７を収容している。胴部５３４には、支持具取付部５５７を装着するための第２ネジ穴５３４ａが形成されている。第２ネジ穴５３４ａは左ネジに対応して形成されている。つまり、左ネジから見て反時計回りに左ネジを回転させることにより、第２ネジ穴５３４ａに左ネジをねじ込むことができる。本実施形態では、第２ネジ穴５３４ａに左ネジをねじ込んだときに左ネジがＺ軸正方向に進むように、第２ネジ孔５３４ａが形成されている。
【０１７６】
第２ネジ穴５３４ａの入口側はフレーム底面部５５４ａに固定されている。また、第２ネジ穴５３４ａの入口は、貫通孔３０ａおよび開口２２と重なる位置に配置されている。さらに、第２ネジ穴５３４ａの入口の一部はフレーム底面部５５４ａにより覆われている。そして、プレート部３０のうち第２ネジ孔５３４ａの入口に張り出した部分が、第２受け部５５６を形成している。したがって、貫通孔３０ａは第２受け部５５６に形成された孔であるとも言える。
【０１７７】
第１受け部５５５は、胴部５３４のフレーム底面部５５４ａと反対側に配置され、支持体ユニット５１０に対する支持具取付部５５７の移動を制限している。第２ネジ穴５３４ａのフレーム底面部５５４ａと反対側は、第１受け部５５５により覆われている。なお、第１受け部５５５により支持具取付部５５７の移動が制限されればよいので、第２ネジ孔５３４ａのフレーム底面部５５４ａと反対側の少なくとも一部が覆われていればよい。第１受け部５５５は、例えば、胴部５３４に第２ネジ穴５３４ａを設けることにより、胴部５３４と一体形成される。
【０１７８】
支持具取付部５５７は、支持具を取り付け可能な部材であり、大径部６０と、小径部６２と、を有している。支持具取付部５５７は、支持体ユニット５１０に移動可能に支持されている。
【０１７９】
また、支持具取付部５５７には、第１ネジ穴４０ａが形成されている。第１ネジ穴４０ａは、開口部２０から外部に露出可能に配置され、支持具ネジ９０を取付可能に設けられている。第１ネジ穴４０ａは中心線ＣＬを有している。本実施形態では、中心線ＣＬ方向はＺ軸方向と概ね一致している。第１ネジ穴４０ａは右ネジに対応して形成されている。したがって、右ネジから見て時計回りに右ネジを回転させることにより、第１ネジ穴４０ａに右ネジをねじ込むことができる。第１ネジ穴４０ａは第２ネジ穴５３４ａと概ね同軸に配置されている。
【０１８０】
大径部６０（第１部分の一例）は、円柱状の部分であり、ネジ部６０ａを有している。ネジ部６０ａは大径部６０の外周部に形成された複数のネジ山を有しており、第２ネジ穴５３４ａに嵌め込み可能に形成されている。ネジ部６０ａは左ネジ（つまり、逆ネジ）を形成している。したがって、大径部６０から見て反時計回りに大径部６０を回転させることにより、第２ネジ穴５３４ａに大径部６０を嵌め込むことができる。
【０１８１】
大径部６０は、ホルダ部５３２に移動可能に支持されている。具体的には、大径部６０は第２ネジ穴５３４ａに嵌め込まれている。また、大径部６０の一部は第１受け部５５５と第２受け部５５６の間に配置されているので、第１受け部５５５および第２受け部５５６により大径部６０の移動が制限されている。ここで、大径部６０が移動できるように、大径部６０の中心線ＣＬ方向の第１寸法Ｗ３は、第２ネジ穴５３４ａの中心線ＣＬ方向の第２寸法Ｗ４よりも小さく設定されている。
【０１８２】
小径部６２は、円筒状の部分であり、大径部６０から突出している。小径部６２は大径部６０と同軸に形成され、小径部６２の径の大きさは大径部６０の径の大きさよりも小さく設定されている。小径部６２は、大径部６０と一体回転可能であり、例えば大径部６０と一体形成されている。小径部６２は、第１ネジ穴４０ａの入口４０ｂと、入口４０ｂの周辺に形成された露出面５５９と、を有している。支持具が支持具取付部５５７に取り付けられていない場合には、露出面５５９は開口２２および貫通孔３０ａから外部に露出している。支持具が支持具取付部５５７に取り付けられた場合には、露出面５５９は支持具と当接する。
【０１８３】
貫通孔３０ａおよび開口２２は小径部６２よりも大きく形成されているので、小径部６２は貫通孔３０ａおよび開口２２に進入することができる。なお、本実施形態では小径部６２は円筒状に形成されているが、支持具取付部５５７が支持体ユニット５１０に対して相対回転可能であれば、小径部６２は円筒形状以外であっても構わない。例えば、支持具取付部５５７が支持体ユニット５１０に対して相対回転できるように貫通孔３０ａおよび開口２２が大きく形成されていれば、小径部６２を角柱状に形成することも可能である。
【０１８４】
なお、支持具取付部５５７を支持体ユニット５１０に組み付ける方法として、どのような方法が用いられても構わない。例えば、ホルダ部５３２に支持具取付部５５７を挿入し、ホルダ部５３２をフレーム底面部５５４ａに固定することにより、支持具取付部５５７を支持体ユニット５１０に組み付けることができる。また、第２受け部５５６をプレート部３０とは別体としてもよい。この場合には、ホルダ部５３２をプレート部３０と一体形成し、支持具取付部５５７をホルダ部５３２に装着した後に、第２受け部５５６をプレート部３０に固定することができる。
【０１８５】
以上のように、支持具取付部５５７は、支持体ユニット５１０に移動可能に支持されている。また、支持具取付部５５７の可動範囲は第１受け部５５５および第２受け部５５６によって制限されている。具体的には、支持具取付部５５７は第１位置および第２位置に配置可能である。図９（Ａ）は、第１位置に配置された支持具取付部５５７を示している。また、図９（Ｂ）は、第２位置に配置された支持具取付部５５７を示している。
【０１８６】
支持具取付部５５７が第１位置に配置されている場合は、第１受け部５５５により支持具取付部５５７の移動が制限されている。また、支持具取付部５５７が第２位置に配置されている場合は、第２受け部５５６により支持具取付部５５７の移動が制限されている。より詳細には、支持具取付部５５７が第１位置に配置されている場合には、大径部６０が第１受け部５５５と接している。また、支持具取付部５５７が第２位置に配置されている場合には、大径部６０が第２受け部５５６と接している。このように、支持具取付部５５７の上方向への移動は第１受け部５５５により制限され、支持具取付部５５７の下方向への移動は第２受け部５５６により制限されている。
【０１８７】
支持具取付部５５７が第１位置に配置されている場合には、露出面５５９は外表面１６２よりも外装部５０１の内側に配置されている。言い換えれば、露出面５５９は外表面１６２の第１受け部５５５側に配置されているとも言える。また、開口部２０と露出面５５９とにより凹部５０が形成されているとも言える。
【０１８８】
本実施形態では、外表面１６２と第１位置での露出面５５９との中心線ＣＬ方向の第１距離Ｄ１は、第２寸法Ｗ４と第１寸法Ｗ３との差よりも小さい。このような寸法関係が満たされているので、支持具取付部５５７が第２位置に配置されると、支持具取付部５５７の一部が外表面１６２から突出している。また、図９（Ｂ）に示すように、支持具ネジ９０を外表面１６２に当接させることができる。
【０１８９】
支持具取付部５５７は、支持体ユニット５１０に対して支持具と一体回転可能に配置されている。本実施形態では、第２ネジ穴５３４ａに形成された雌ネジのピッチは、第１ネジ穴４０ａに形成された雌ネジのピッチよりも大きい。したがって、第２ネジ穴５３４ａとネジ部６０ａとの間の摩擦力を第１ネジ穴４０ａと支持具ネジ９０との間の摩擦力よりも小さくすることができる。つまり、ネジのピッチの大きさに差を与えて第２ネジ穴５３４ａとネジ部６０ａとの接触面積と第１ネジ穴４０ａと支持具ネジ９０との接触面積を調節することにより、摩擦力が調節されている。このように、支持具取付部５５７は支持具ネジ９０に比べて回転しやすいので、支持体ユニット５１０に対して、支持具取付部５５７を支持具ネジ９０（つまり、支持具）と一体回転させることができる。
【０１９０】
また、本実施形態では、ユーザーが第１位置に配置された支持具取付部５５７に支持具ネジ９０を挿入する場合は、支持具が外表面１６２と接触する前に、支持具取付部５５７がホルダ部５３２に対して回転を開始する。また、ユーザーが第２位置に配置された支持具取付部５５７から支持具ネジ９０を抜く場合は、支持具ネジ９０が第１ネジ穴４０ａから完全に抜ける前に、支持具取付部５５７がホルダ部５３２に対して回転を開始する。
【０１９１】
＜３−２：動作＞
以下では、支持具を支持具取付部５５７に取り付ける動作、および、支持具を支持具取付部５５７から取り外す動作について説明する。
【０１９２】
《取り付け動作》
図９（Ａ）に示すように、支持具が支持具取付部５５７に取り付けられていない場合には、支持具取付部５５７は第１位置に配置されている。ユーザーは、支持具を支持具取付部５５７に取り付けるために、支持具ネジ９０を第１ネジ穴４０ａに挿入する。
【０１９３】
ユーザーが支持具ネジ９０を図９（Ｃ）のＲ１方向に回転させると、支持具ネジ９０の一部が第１ネジ穴４０ａに進入する。このとき、支持具ネジ９０と第１ネジ穴４０ａとの間には摩擦力が発生するので、支持具ネジ９０から支持具取付部５５７にＲ１方向の駆動力が伝わる。また、前述のように、第２ネジ穴５３４ａとネジ部６０ａとの間の摩擦力は比較的小さく設定されている。したがって、支持具ネジ９０が第１ネジ穴４０ａにある程度進入すると、支持具取付部５５７がＲ１方向に回転を開始する（図１０（Ａ））。
【０１９４】
ネジ部６０ａには左ネジが形成されているので、支持具取付部５５７がＲ１方向に回転すると、大径部６０は第２ネジ穴５３４ａに導かれてＺ軸負方向に（つまり、第２受け部５５６側に）移動する。図１０（Ｂ）に示すように、支持具取付部５５７がＲ１方向にある程度回転すると、大径部６０が第２受け部５５６に接する。その結果、支持具取付部５５７の移動は第２受け部５５６により制限され、支持具取付部５５７は第２受け部５５６に対して静止する。このとき、支持具取付部５５７は図９（Ｂ）に示す第２位置に配置されている。つまり、支持具取付部５５７の一部が外表面１６２から突出している。
【０１９５】
なお、支持具取付部５５７が第１位置から第２位置に移動する際に、支持具ネジ９０が支持具取付部５５７に対してＲ１方向に相対回転をしていても構わない。つまり、支持具取付部５５７がホルダ部５３２に対してＲ１方向に回転すると同時に、支持具ネジ９０が支持具取付部５５７に対してＲ１方向に回転していてもよい。
【０１９６】
支持具取付部５５７が第２位置に到達すると、支持具取付部５５７に対する支持具ネジ９０のＲ１方向の回転が再開あるいは続行する。支持具ネジ９０が露出面５５９と支持具とが当接するまで第１ネジ穴４０ａにねじ込まれると、支持具の取付が完了する。支持具取付部５５７に支持具が取り付けられた状態では、カメラ本体５００を支持できる程度の圧力で露出面５５９が支持具に押し付けられている。
【０１９７】
図９（Ｂ）に示すように、支持具取付部５５７が第２位置に配置されている場合には、支持具取付部５５７の一部が外表面１６２から突出している。本実施形態では、第２位置での支持具取付部５５７の突出量が小さいので、支持具は外表面４６２を介してカメラ本体５００を支えることができる。例えば、支持具に対して傾けようとする力がカメラ本体５００に加わっても、支持具取付部５５７には過大な負荷がかかりにくい。具体的には、カメラ本体５００では支持具と外表面４６２と間に形成される隙間を小さくできるので、カメラ本体５００が支持具に対してわずかに傾いたとしても、支持具と外表面４６２が当接する。その結果、カメラ本体５００が外表面４６２を介して支持具に支持される。このように、カメラ本体５００では支持具取付部５５７に過大な負荷がかかることを抑制できる。
【０１９８】
《取り外し動作》
支持具が支持具取付部５５７に取り付けられた状態では、支持具取付部５５７は第２位置に配置され、露出面５５９と支持具が当接している。第１ネジ穴４０ａは右ネジに対応して形成されているので、支持具ネジ９０を図９（Ｃ）のＲ２方向に回転させることにより、支持具ネジ９０を第１ネジ穴４０ａから抜くことができる。つまり、支持具を支持具取付部５５７から取り外すことができる。
【０１９９】
ユーザーが支持具取付部５５７に取り付けられた支持具ネジ９０をＲ２方向に回転させると、支持具ネジ９０を介して支持具取付部５５７にＲ２方向の駆動力が入力される。前述のように、第２ネジ穴５３４ａとネジ部６０ａとの間の摩擦力は比較的小さく設定されているので、支持具取付部５５７はホルダ部５３２に対してＲ２方向に回転を始める。支持具取付部５５７がＲ２方向に回転すると、大径部６０は第２ネジ穴５３４ａに導かれてＺ軸正方向に（つまり、第１受け部５５５側に）移動する。
【０２００】
図１０（Ｃ）に示すように、支持具取付部５５７がＲ２方向にある程度回転すると、大径部６０が第１受け部５５５に当接する。その結果、支持具取付部５５７の移動は第１受け部５５５により制限され、支持具取付部５５７は第１受け部５５５に対して静止する。このとき、支持具取付部５５７は第１位置に配置されている。
【０２０１】
なお、支持具取付部５５７が第２位置から第１位置に移動する際に、支持具ネジ９０が支持具取付部５５７に対してＲ２方向に相対回転していても構わない。つまり、支持具取付部５５７がホルダ部５３２に対してＲ２方向に回転すると同時に、支持具ネジ９０が支持具取付部５５７に対してＲ２方向に回転していてもよい。
【０２０２】
支持具取付部５５７が第１位置に到達すると、支持具取付部５５７に対する支持具ネジ９０のＲ２方向の回転が再開あるいは続行する。ユーザーが支持具ネジ９０をＲ２方向に回転させ続けると、支持具ネジ９０が第１ネジ穴４０ａから外れ、支持具の取り外しが完了する。
【０２０３】
以上のように、本実施形態に係るカメラ本体５００では、支持具取付部５５７は支持具と一体回転可能であるので、ユーザーが支持具ネジ９０を回転させると、支持具取付部５５７が回転する。また、第１ネジ穴４０ａが右ネジに対応して形成され、第２ネジ穴５３４ａは左ネジに対応して形成されているので、支持具取付部５５７が回転すると、支持具取付部５５７に対する支持具ネジ９０の進行方向（Ｚ軸正方向）とは逆向きに、支持具取付部５５７が移動する。その結果、支持具取付部５５７が第１位置から第２位置に移動する。
【０２０４】
また、支持具を支持具取付部５５７から取り外すためにユーザーが支持具ネジ９０を回転させると、支持具取付部５５７が支持具ネジ９０と一体に回転し、第２位置から第１位置に移動する。
【０２０５】
このように、ユーザーが支持具を取り付ける動作に連動して支持具取付部５５７は第１位置から第２位置に移動し、ユーザーが支持具を取り外す動作に連動して支持具取付部５５７は第２位置から第１位置に移動する。
【０２０６】
〔他の実施形態〕
本発明の実施形態は、前述の実施形態に限定されず、本発明の趣旨を逸脱しない範囲で種々の変形および修正が可能である。
【０２０７】
（Ａ）
前述の実施形態では、交換レンズ式のデジタルカメラを例にして説明したが、ここに示された技術を適用できる撮像装置はこれに限られない。ここに開示された技術は支持具取付部を有する撮像装置に適用可能であり、例えば、交換レンズ式のデジタルビデオカメラや、レンズ鏡筒一体型のデジタルカメラならびにビデオカメラに適用可能である。
【０２０８】
（Ｂ）
前述の実施形態では弾性部材として圧縮コイルバネを用いたが、弾性部材は圧縮コイルバネに限られない。弾性部材として、例えば、ゴムなどを用いることが出来る。
【０２０９】
また、前述の実施形態では弾性部材であるコイルバネ１６０を用いて支持具取付部１５７を移動させる構成について説明したが、支持具取付部１５７を移動可能に支持する部材または機構は弾性部材に限られない。例えば、支持具を用いない場合においては磁石（保持部材の一例）の吸着力を用いて第１位置に支持具取付部１５７を保持し、支持具が取り付けられた時にはネジの締め付け力によって支持具取付部１５７を移動させて第２位置に来るようにすることもできる。要するに、支持具取付部１５７が第１位置と第２位置との間を移動可能であり、かつ、支持具取付部１５７を第１位置および第２位置に保持できる構成であれば、どんな構成が用いられてもよい。
【産業上の利用可能性】
【０２１０】
ここに示された技術は、支持具取付部をユーザーが触れにくい位置に配置するために利用でき、支持具を装着可能な撮像装置に適用できる。具体的には、ここに開示された技術は、デジタルスチルカメラやデジタルビデオカメラなどに適用可能であり、有用である。
【符号の説明】
【０２１１】
１    デジタルカメラ（撮像装置の一例）
１０    支持体ユニット
２０    開口部
２２    開口
３０    プレート部
３２    位置決め部
３４    支柱部
３４ａ    第１柱部
３４ｂ    第２柱部
３４ｃ    第３柱部
３４ｄ    第４柱部
４０    本体部
４０ａ    第１ネジ穴
４０ｂ    入口
５０    凹部
１００    カメラ本体（撮像装置の一例）
１０１    外装部
１０１ａ    外装底面部
１１０    ＣＭＯＳイメージセンサー
１１３    ＣＭＯＳ回路基板
１２０    カメラモニタ
１３０    操作部
１３１    レリーズ釦
１４０    カメラコントローラー
１４２    メイン回路基板
１５０    ボディマウント
１５４    メインフレーム
１５４ａ    フレーム底面部
１５４ｂ    フレーム前面部
１５５    第１受け部
１５５−１、１５５−２、１５５−３、１５５−４    第１突起
１５６    第２受け部
１５６−１、１５６−２、１５６−３、１５６−４    第２突起
１５７    支持具取付部
１５８    支持具取付部上部
１５９    露出面
１６０    コイルバネ
１６２    外表面
１６５    電源
１８０    電子ビューファインダー
１９０    シャッターユニット
２００    レンズユニット
４００    カメラ本体（第２実施形態）
４０１    外装部
４０１ａ    外装底面部
４１０    支持体ユニット
４３２    位置決め部
４３４    支柱部
４３４ａ    第１柱部
４３４ｂ    第２柱部
４３４ｃ    第３柱部
４３４ｄ    第４柱部
４３６    基部
４６２    外表面
４６３    第１受け部
４６３−１、４６３−２、４６３−３、４６３−４    第１突起
４６４    第２受け部
４６４−１、４６４−２、４６４−３、４６４−４    第２突起
５００    カメラ本体（第３実施形態）
５０１ａ    外装底面部
５１０    支持体ユニット
６０    大径部
６０ａ    ネジ部
６２    小径部
５３２    ホルダ部
５３４    胴部
５３４ａ    第２ネジ穴
５５４    メインフレーム
５５４ａ    フレーム底面部
５５５    第１受け部
５５６    第２受け部
５５７    支持具取付部
５５９    露出面
【手続補正３】
【補正対象書類名】図面
【補正対象項目名】全図
【補正方法】変更
【補正の内容】
【図１】
2010150553.tif 000013
【図２】
2010150553.tif 000014
【図３】
2010150553.tif 000015
【図４】
2010150553.tif 000016
【図５】
2010150553.tif 000017
【図６】
2010150553.tif 000018
【図７】
2010150553.tif 000019
【図８】
2010150553.tif 000020
【図９】
2010150553.tif 000021
【図１０】
2010150553.tif 000022
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
支持具を取り付け可能な撮像装置であって、
前記支持具を取り付け可能な第１ネジ穴と、前記第１ネジ穴の入口の周囲に形成された露出面と、を有する支持具取付部と、
前記露出面を露出可能に形成された開口と前記開口の周囲に形成された外表面とを有する外装部を有し、前記支持具取付部を移動可能に支持する支持体ユニットを備え、
前記支持具取付部は、前記支持具が取り付けられていない場合に第１位置に配置され、前記支持具が取り付けられている場合に第２位置に配置され、
前記支持具取付部が前記第１位置に配置されると、前記露出面は前記外表面よりも前記外装部の内側に配置され、
前記支持具取付部が前記第２位置に配置されると、前記露出面と前記外表面とが同一平面上に配置され、もしくは、前記支持具取付部は前記外表面から突出しているとともに、
前記支持体ユニットは、前記支持体ユニットに対する前記支持具取付部の移動を制限する第１受け部と、前記第１受け部と前記外表面との間に配置され前記支持体ユニットに対する前記支持具取付部の移動を制限する第２受け部と、を有しており、
前記支持具取付部は、前記第１位置に配置された場合には前記第１受け部により移動を制限されており、前記第２位置に配置された場合には前記第２受け部により移動を制限され、
前記支持体ユニットと前記支持具取付部とを弾性的に連結する弾性部材をさらに備え、
前記支持具が前記支持具取付部に取り付けられていない場合には、前記弾性部材は前記支持具取付部を前記第１受け部に押し付けている、
撮像装置。
【請求項２】
前記支持具取付部に前記支持具を取り付ける動作に連動して、前記支持具取付部は前記第１位置から前記第２位置へ移動し、
前記支持具取付部から前記支持具を取り外す動作に連動して、前記支持具取付部は前記第２位置から前記第１位置へ移動する、
請求項１に記載の撮像装置。
【請求項３】
前記支持具取付部が前記第２位置に配置された場合に、前記露出面が前記支持具と当接している、
請求項１または２に記載の撮像装置。
【請求項４】
前記第１受け部は、前記支持具取付部の前記露出面とは反対側に配置されている、
請求項１に記載の撮像装置。
【請求項５】
前記支持具取付部は、前記露出面よりも前記第１受け部側に配置された第１部分を有しており、前記第１部分の少なくとも一部は、前記第１受け部と前記第２受け部との間に配置されている、
請求項１から４のいずれかに記載の撮像装置。
【請求項６】
前記第１位置では、前記第１部分は前記第１受け部と当接し、
前記第２位置では、前記第１部分は前記第２受け部と当接している、
請求項５に記載の撮像装置。
【請求項７】
前記第１ネジ穴は中心線を有しており、
前記第１部分の前記中心線に平行な第１方向での第１寸法は、前記第１受け部と前記第２受け部との間隔の第１方向での第２寸法よりも小さい、
請求項１から７のいずれかに記載の撮像装置。
【請求項８】
前記外表面と前記第１位置での前記露出面との前記第１方向での第１距離は、前記第２寸法と前記第１寸法との差と概ね等しい、もしくは、前記第２寸法と前記第１寸法との差よりも小さい、
請求項７に記載の撮像装置。
【請求項９】
前記支持具が前記支持具取付部に取り付けられていない場合には、前記弾性部材は前記支持具取付部が前記第１位置に配置されるように前記支持具取付部に弾性力を付与しており、
前記支持具が前記支持具取付部に取り付けられると、前記弾性部材が縮められ、前記支持具取付部は前記第２位置に配置される、
請求項１記載の撮像装置。
【請求項１０】
前記支持具が前記支持具取付部に取り付けられていない場合には、前記第１受け部は前記弾性部材に付勢された前記支持具取付部の移動を前記支持具取付部が前記第１位置に配置されるように制限しており、
前記支持具が前記支持具取付部に取り付けられると、前記第２受け部は前記弾性部材の収縮を伴う前記支持具取付部の移動を前記支持具取付部が前記第２位置に配置されるように制限する、
請求項１から９のいずれかに記載の撮像装置。
【請求項１１】
前記支持具取付部を前記第１位置に保持可能な保持部材をさらに備えた、
請求項１から１０のいずれかに記載の撮像装置。
【請求項１２】
前記支持体ユニットは、前記第１受け部と前記第２受け部との間に形成された第２ネジ穴を有しており、
前記支持具取付部は、前記第２ネジ穴に嵌め込み可能なネジ部を有し、前記第２ネジ穴に移動可能に装着されている、
請求項１から７のいずれかに記載の撮像装置。
【請求項１３】
前記ネジ部は、前記第１部分の外周部に形成されている、
請求項１２に記載の撮像装置。
【請求項１４】
前記支持具取付部は前記支持体ユニットに対して前記支持具と一体回転可能である、
請求項１２または１３に記載の撮像装置。
【請求項１５】
前記第１ネジ穴は右ネジに対応して形成され、前記第２ネジ穴は左ネジに対応して形成されている、
請求項１２から１４のいずれかに記載の撮像装置。
【請求項１６】
前記第２ネジ穴に形成されたネジのピッチは、前記第１ネジ穴に形成されたネジのピッチよりも大きい、
請求項１２から１５のいずれかに記載の撮像装置。
【請求項１７】
前記支持体ユニットは、強度を確保するフレームを有しており、
前記第１受け部および前記第２受け部の少なくともいずれか一方は、前記フレームに形成されている、
請求項１から１６のいずれかに記載の撮像装置。
【請求項１８】
前記第１受け部および前記第２受け部の少なくともいずれか一方は、前記外装部に形成されている、
請求項１から１７のいずれかに記載の撮像装置。
【手続補正２】
【補正対象書類名】明細書
【補正対象項目名】全文
【補正方法】変更
【補正の内容】
【発明の詳細な説明】
【技術分野】
【０００１】
本発明は、支持具を取り付け可能な撮像装置に関する。
【背景技術】
【０００２】
撮像装置として、例えば交換レンズ式のデジタルカメラが知られている（例えば、特許文献１参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダーに導かれる。
【０００３】
上記のような撮像装置には、三脚や一脚などの支持具を取り付けるための支持具取付部が設けられる場合がある。例えば、底面に三脚具取付部が固定された交換レンズ式のデジタルカメラが知られている。デジタルカメラを支持する三脚を支持具取付部に取り付けることにより、デジタルカメラの姿勢を安定させて撮影を行なうことができる。
【先行技術文献】
【特許文献】
【０００４】
【特許文献１】特開２００７−１２７８３６号公報
【発明の概要】
【発明が解決しようとする課題】
【０００５】
従来から撮像装置の小型化が求められており、例えば交換レンズ式のデジタルカメラにおいては、カメラ本体の小型化が求められている。
【０００６】
しかし、カメラ本体を小型化することにより、部品が密集して配置されるので、撮像素子やカメラコントローラーの実装された基板などの熱を発生する電子部品と支持具取付部との距離は、従来のカメラ本体に比べて小さくなっている。
【０００７】
また、高画質化に伴い撮像素子やカメラコントローラーの消費電力が大きくなるので、これらの電子部品での発熱量が増大する。この結果、電子部品周辺の発熱密度が高くなり、電子部品で発生した熱が支持具取付部に伝わり、支持具取付部の温度が上昇するおそれがある。ユーザーが支持具取付部に触れて周辺の温度と支持具取付部の温度との温度差を感知した場合、ユーザーが違和感を覚える可能性がある。
【０００８】
その一方で、支持具により撮像装置を支えるためには、支点としての支持具取付部の近くに支持具を配置することが望ましい。つまり、支持具の取り付けに適した位置に支持具取付部が配置されていることが望ましい。
【課題を解決するための手段】
【０００９】
ここに開示される撮像装置は、支持具を取り付け可能であり、支持具取付部と、支持体ユニットと、を備えている。支持具取付部は、支持具を取り付け可能な第１ネジ穴と、第１ネジ穴の入口の周囲に形成された露出面と、を有する。支持体ユニットは、露出面を露出可能に形成された開口と開口の周囲に形成された外表面とを有する外装部を有し、支持具取付部を移動可能に支持する。そして、支持具取付部は、支持具が取り付けられていない場合に第１位置に配置され、支持具が取り付けられている場合に第２位置に配置される。支持具取付部が第１位置に配置されると、露出面は外表面よりも外装部の内側に配置される。また、支持具取付部が第２位置に配置されると、露出面と外表面とが同一平面上に配置され、もしくは、支持具取付部は外表面から突出している。支持体ユニットは、支持体ユニットに対する支持具取付部の移動を制限する第１受け部と、第１受け部と外表面との間に配置され支持体ユニットに対する支持具取付部の移動を制限する第２受け部と、を有している。支持具取付部は、第１位置に配置された場合には第１受け部により移動を制限されており、第２位置に配置された場合には第２受け部により移動を制限されている。支持体ユニットと支持具取付部とを弾性的に連結する弾性部材をさらに備えている。支持具が支持具取付部に取り付けられていない場合には、弾性部材は支持具取付部を第１受け部に押し付けている。
【００１０】
ここで、支持具とは、撮影時に撮像装置の姿勢を安定させるために撮像装置に取り付けられる固定用の用具である。支持具としては、例えば、三脚や一脚が考えられる。
【００１１】
また、ここでの撮像装置は、単体での撮影が可能な撮像装置だけでなく、カメラ本体を含む概念である。例えば、撮像装置にはレンズユニットを装着可能な交換レンズ式カメラのカメラ本体が含まれる。
【００１２】
また、露出面と外表面とが同一平面上に配置されるとは、露出面と外表面とが共通の平面に接している場合の露出面と外表面との関係を意味している。例えば、外表面を延長させて得られる平面に露出面が接している場合は、露出面と外表面とが同一平面上に配置されているといえる。
【００１３】
この撮像装置では、支持具が支持具取付部に取り付けられていない場合には露出面が外表面よりも外装部の内側に配置されるので、ユーザーが触れにくい位置に露出面を配置できる。したがって、ユーザーが支持具取付部に触れて支持具取付部の温度と周辺の温度との温度差を感じる頻度が低減される。一方で、支持具が支持具取付部に取り付けられている場合には露出面と外表面とが同一平面上に配置され、もしくは、支持具取付部が外表面から突出するので、支持具取付部を支持具に近づけることができる。
【発明の効果】
【００１４】
このように、この撮像装置によれば、ユーザーが支持具取付部に触れて違和感を覚える可能性を低減することができるとともに、支持具の取り付けに適した位置に支持具取付部を配置することができる。
【図面の簡単な説明】
【００１５】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６】（Ａ）一眼レフレックスカメラ８００の概略断面図、（Ｂ）デジタルカメラ１の概略断面図。
【図７】（Ａ）支持具取付部１５７および支持体ユニット１０の断面図（支持具が取り付けられていない場合）、（Ｂ）支持具取付部１５７および支持体ユニット１０の断面図（支持具が取り付けられている場合）、（Ｃ）支持具取付部１５７および位置決め部３２の斜視図。
【図８】（Ａ）支持具取付部１５７および支持体ユニット４１０の断面図（支持具が取り付けられていない場合）、（Ｂ）支持具取付部１５７および支持体ユニット４１０の断面図（支持具が取り付けられている場合）、（Ｃ）支持具取付部１５７および位置決め部４３２の斜視図
【図９】（Ａ）支持具取付部５５７および支持体ユニット５１０の断面図（支持具が取り付けられていない場合）、（Ｂ）支持具取付部５５７および支持体ユニット５１０の断面図（支持具が取り付けられている場合）、（Ｃ）図９（Ｂ）のIXＣ−IXＣ断面図。
【図１０】（Ａ）支持具取付部５５７への支持具の取り付けを示した図、（Ｂ）支持具取付部５５７への支持具の取り付けを示した図、（Ｃ）支持具取付部５５７から支持具を取り外す動作を示した図。
【発明を実施するための形態】
【００１６】
〔第１実施形態〕
＜１−１：デジタルカメラの概要＞
図１は、第１実施形態に係るカメラ本体１００を有するデジタルカメラ１（撮像装置の一例）の斜視図である。図２は、カメラ本体１００の斜視図である。図３は、デジタルカメラ１の機能ブロック図である。
【００１７】
デジタルカメラ１は、被写体の画像を取得するための交換レンズ式のデジタルカメラであり、カメラ本体１００と、カメラ本体１００に装着可能なレンズユニット２００と、を備えている。
【００１８】
一眼レフレックスカメラとは異なり、カメラ本体１００は、ミラーボックス装置を有していないので、従来の一眼レフレックスカメラに比してフランジバックが小さい。また、フランジバックを小さくすることで、カメラ本体１００が小型化されている。さらに、フランジバックを小さくすることで、光学系の設計の自由度が高まるので、レンズユニット２００は小型化されている。以下、各部の詳細について説明する。
【００１９】
なお、説明の便宜のため、デジタルカメラ１の被写体側を前、撮像面側を後ろまたは背、デジタルカメラ１の通常姿勢（以下、横撮り姿勢ともいう）における鉛直上側を上もしくは上側、鉛直下側を下もしくは下側ともいう。
【００２０】
ここで横撮り姿勢とは、横長の長方形である画像の長辺に平行な方向が画像内での被写体の水平方向と一致し、かつ、画像の短辺に平行な方向が画像内での被写体の鉛直方向と一致する場合に、レリーズ釦１３１（図１）が撮影時に押される方向が鉛直下向きと概ね一致する姿勢をいう。
【００２１】
また、デジタルカメラ１の横撮り姿勢において被写体と反対側からデジタルカメラ１を見た場合の右側を右もしくは右側という。同様に、デジタルカメラ１の横撮り姿勢において被写体と反対側からデジタルカメラ１を見た場合の左側を左もしくは左側という。
【００２２】
さらに、デジタルカメラ１の横撮り姿勢での鉛直方向を上下方向もしくは縦方向という。同様に、デジタルカメラ１の横撮り姿勢での左右の方向を左右方向もしくは横方向という。
また、上下方向および左右方向に垂直な方向は前後方向と一致しており、被写体を向く方向を前方向といい、前方向と逆向きを後ろ方向という。
【００２３】
なお、以下では、図１に示すように３次元座標軸を設定する。図１では、Ｘ軸方向は前後方向と一致し、Ｙ軸方向は左右方向と一致し、Ｚ軸方向は上下方向と一致している。また、図１以外の図面に記載されている座標軸は、図１に設定した３次元座標軸に基づいている。
【００２４】
＜１−２：カメラ本体の構成＞
図４は、デジタルカメラ１の概略断面図である。図５は、カメラ本体１００の背面図である。カメラ本体１００（撮像装置の一例）は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６５と、カードスロット１７０と、電子ビューファインダー１８０と、シャッターユニット１９０と、光学的ローパスフィルタ１１４と、振動板１１５と、メインフレーム１５４と、支持具取付部１５７と、コイルバネ１６０と、放熱部材１９８と、外装部１０１と、を備えている。
【００２５】
《外装部》
外装部１０１は、カメラ本体１００の外面を形成する部材であり、外装底面部１０１ａと、外装前面部１０１ｂと、を含んでいる。外装底面部１０１ａは横撮り姿勢においてＣＭＯＳイメージセンサー１１０の下側に配置され、外装前面部１０１ｂは被写体側に配置される。
【００２６】
カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、放熱板１９５、メイン回路基板１４２、カメラモニタ１２０が配置されている。また、メインフレーム１５４の一部はボディマウント１５０と光軸ＡＸに平行な方向（以下、光軸方向ともいう）に重複した位置に配置されている。
【００２７】
《ＣＭＯＳイメージセンサー》
ＣＭＯＳイメージセンサー１１０は、レンズユニット２００を介して入射される被写体の光学像（以下、被写体象ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。なおＣＭＯＳ回路基板１１３の機能はＣＭＯＳイメージセンサー１１０、もしくはメイン回路基板１４２に含まれていてもよい。
【００２８】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御により、静止画データおよび動画データの取得を行う。取得された動画データは、スルー画像の表示にも用いられる。なお、静止画データおよび動画データは、画像データの一例である。
【００２９】
ここで、スルー画像とは、動画データのうちメモリーカード１７１にデータを記録されない画像である。スルー画像は、主に動画像であり、動画像または静止画像の構図を決めるためにカメラモニタ１２０および／または電子ビューファインダー１８０（以下、ＥＶＦとも言う）に表示される。
【００３０】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。このように、撮像素子は画像を表す電気信号を生成する電子部品であり、ＣＭＯＳイメージセンサー１１０の他に、ＣＣＤイメージセンサー等の光電変換素子を含む概念である。
【００３１】
ＣＭＯＳ回路基板１１３は、ＣＭＯＳイメージセンサー１１０を制御する回路基板である。また、ＣＭＯＳ回路基板１１３は、ＣＭＯＳイメージセンサー１１０から出力される画像データに所定の処理を施す回路基板である。ＣＭＯＳ回路基板１１３は、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００３２】
《カメラモニタ》
カメラモニタ１２０は、例えば液晶ディスプレイであり、表示用画像データが示す画像等を表示する。表示用画像データは、カメラコントローラー１４０で生成される。表示用画像データは、例えば、画像処理された画像データや、デジタルカメラ１の撮影条件、操作メニュー等を画像として表示するためのデータである。カメラモニタ１２０は、動画像も静止画像も選択的に表示可能である。
【００３３】
カメラモニタ１２０は、カメラ本体１００に設けられている。本実施形態では、カメラ本体１００の背面に配置されているが、カメラモニタ１２０はカメラ本体１００のどこに配置されていてもよい。カメラ本体１００に対するカメラモニタ１２０の表示面の角度は、変更可能である。具体的には図５に示すように、カメラ本体１００は、カメラモニタ１２０を外装部１０１に対して回転可能に連結するヒンジ１２１を有している。ヒンジ１２１は、外装部１０１の左端に配置されている。より詳細には、ヒンジ１２１は、具体的には第１のヒンジと第２のヒンジとを有している。第１のヒンジを中心に、カメラモニタ１２０は外装部１０１に対して左右方向に回転可能であり、第２のヒンジを中心に、外装部１０１に対して上下方向にも回転可能である。
【００３４】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けられてもよい。
【００３５】
《電子ビューファインダー》
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００３６】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
【００３７】
なお、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
【００３８】
《操作部》
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を含む。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００３９】
《カメラコントローラー》
カメラコントローラー１４０は、カメラ本体１００の中枢を司るデバイスであって、カメラ本体１００の各部を制御する。例えば、カメラコントローラー１４０は、電源１６５からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０およびレンズマウント２５０を介して、レンズコントローラー２４０に送信し、レンズユニット２００の各部を間接的に制御する。すなわち、カメラコントローラー１４０は、デジタルカメラ１全体を制御する。
【００４０】
また、カメラコントローラー１４０は、ボディマウント１５０およびレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部（もしくはボディマイコン）の一例である。カメラコントローラー１４０は、メイン回路基板１４２上に配置されている。
【００４１】
《カードスロットおよびメモリーカード》
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に静止画データを格納する。カードスロット１７０は、メモリーカード１７１から静止画データを出力する。また、カードスロット１７０は、メモリーカード１７１に動画データを格納する。カードスロット１７０は、メモリーカード１７１から動画データを出力する。
【００４２】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイルを格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００４３】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００４４】
なお、メモリーカード１７１は記憶部の一例である。記憶部は、メモリーカード１７１のようにカメラ本体１００に装着可能なものでもよく、デジタルカメラ１に固定されているものでもよい。
【００４５】
《電源》
電源１６５は、デジタルカメラ１で使用するための電力を各部に供給する。電源１６５は、例えば、乾電池であってもよいし、充電池であってもよい。また、電源１６５は、電源コード等を介して外部から電力の供給を受け、デジタルカメラ１に電力を供給するユニットであってもよい。
【００４６】
《ボディマウント》
ボディマウント１５０は、レンズユニット２００を装着可能であり、ボディマウントリング１５１と、電気接点１５３と、を含んでいる。ボディマウント１５０は、レンズユニット２００のレンズマウント２５０と機械的及び電気的に接続可能である。
【００４７】
ボディマウントリング１５１は、外装部１０１の外装前面部１０１ｂに設けられたリング状の部材であり、レンズユニット２００に設けられたレンズマウントリング２５１と嵌合することにより、レンズユニット２００を機械的に支持する。レンズマウントリング２５１は、いわゆるバヨネット機構によりボディマウントリング１５１に嵌め込まれる。具体的には、レンズマウントリング２５１は、ボディマウントリング１５１との光軸まわりの回転位置関係に応じて、ボディマウントリング１５１と嵌合していない第１の状態と、ボディマウントリング１５１と嵌合している第２状態と、をとり得る。
【００４８】
より詳細には、レンズマウントリング２５１は、ボディマウントリング１５１に対して光軸方向に移動可能な第１の状態をとり得る。このような第１の状態では、レンズマウントリング２５１はボディマウントリング１５１に挿入可能である。レンズマウントリング２５１をボディマウントリング１５１に挿入された状態でボディマウントリング１５１に対して回転させると、レンズマウントリング２５１はボディマウントリング１５１に嵌合する。このときのボディマウントリング１５１とレンズマウントリング２５１との回転位置関係が第２の状態である。
【００４９】
レンズマウントリング２５１を支持するために、ボディマウントリング１５１には強度が要求されるので、ボディマウントリング１５１は金属で形成されているのが好ましい。本実施形態では、ボディマウントリング１５１は、金属で形成されている。
【００５０】
レンズユニット２００がカメラ本体１００に装着されている状態で、電気接点１５３は、レンズマウント２５０が有する電気接点２５３と接触している。このように、ボディマウント１５０とレンズマウント２５０とは、ボディマウント１５０の電気接点１５３とレンズマウント２５０の電気接点２５３とを介して、電気的に接続可能である。したがって、デジタルカメラ１は、ボディマウント１５０とレンズマウント２５０とを介して、カメラ本体１００とレンズユニット２００との間で、データおよび制御信号のうち少なくとも一方を送受信できる。具体的には、ボディマウント１５０とレンズマウント２５０とは、カメラコントローラー１４０とレンズユニット２００に含まれるレンズコントローラー２４０との間で、データおよび制御信号のうち少なくとも一方を送受信できる。また、ボディマウント１５０は、電源１６５から受けた電力を、レンズマウント２５０を介してレンズユニット２００全体に供給する。
【００５１】
ボディマウント１５０は、ボディマウント支持部１５２を介してメインフレーム１５４に支持されている。より詳細には、ボディマウント支持部１５２はボディマウントリング１５１と接続されており、ボディマウントリング１５１を支持している。
【００５２】
ボディマウント支持部１５２は、メインフレーム１５４により支持され、ボディマウントリング１５１とシャッターユニット１９０との間に配置されている。
【００５３】
《シャッターユニット》
シャッターユニット１９０は、いわゆるフォーカルプレーンシャッターであり、ＣＭＯＳイメージセンサー１１０への光を遮蔽可能である。シャッターユニット１９０は、ボディマウント１５０とＣＭＯＳイメージセンサー１１０との間に配置される。シャッターユニット１９０は、後幕と、先幕と、シャッター支持枠と、を有する。シャッター支持枠には、被写体からＣＭＯＳイメージセンサー１１０へ導かれる光の通る開口が設けられている。シャッターユニット１９０は、後幕および先幕をシャッター支持枠の開口に進退させることにより、ＣＭＯＳイメージセンサー１１０の露光時間を調節する。シャッターユニット１９０は、機械的に開口状態を保持できる。機械的に保持するとは、電気の力を使わずに開口状態を保持するという概念であり、例えば、物と物との係合や永久磁石による保持を含む。
【００５４】
《光学的ローパスフィルタおよび振動板》
光学的ローパスフィルタ１１４は、被写体から入射した光の高周波成分を取り除く。具体的には、光学的ローパスフィルタ１１４は、レンズユニット２００により結像する被写体像をＣＭＯＳイメージセンサー１１０の画素のピッチよりも粗い解像となるように分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。なお、光学的ローパスフィルタ１１４には、赤外光をカットするためのＩｒカットフィルタ機能も併せ持たせている。
【００５５】
振動板１１５は、ＣＭＯＳイメージセンサー１１０よりも前に配置され、振動板支持部１１６により支持されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、圧電素子と、圧電素子を介して板状部材を固定する固定部材と、を含んでいる。そして、交流電圧が印加されて圧電素子が振動すると、板状部材が振動する。振動板支持部１１６は、振動板１１５をＣＭＯＳイメージセンサー１１０に対して所定の位置に配置されるように支持している。振動板支持部１１６は、ボディマウント１５０およびシャッターユニット１９０を介してメインフレーム１５４に支持されている。
【００５６】
《支持体ユニット》
図７（Ａ）および図７（Ｂ）に示すように、支持体ユニット１０は支持具取付部１５７を移動可能に支持するユニットであり、外装部１０１と、メインフレーム１５４と、を含んでいる。
【００５７】
前述のように、外装部１０１は外装底面部１０１ａを有している。外装底面部１０１ａには、開口部２０が形成されている。開口部２０は、外装底面部１０１ａに形成された開口２２と、外表面１６２と、を有している。開口２２からは、支持具取付部１５７が露出している。
【００５８】
開口２２（開口の一例）は、中心線ＣＬ方向（後述）に貫通している。開口２２には、支持具取付部１５７が摺動可能に挿入されている。具体的には、開口２２には支持具取付部１５７の本体部４０（後述）が挿入され、本体部４０と開口２２の間には隙間が形成されている。開口２２は、支持具取付部１５７が移動する際に、中心線ＣＬ方向に支持具取付部１５７を案内する。
【００５９】
外表面１６２は、開口２２の周囲に形成された概ね平坦な面であり、外部に露出している。本実施形態では、支持具取付部１５７に支持具が取り付けられた場合に、外表面１６２は支持具と当接する。
【００６０】
メインフレーム１５４（フレームの一例）は、フレーム底面部１５４ａと、フレーム前面部１５４ｂと、を有しており、カメラ本体１００の外装部１０１の内部に配置される。メインフレーム１５４は、カメラ本体１００の内部において、外装前面部１０１ｂおよび外装底面部１０１ａに沿って配置されている。より詳細には、フレーム前面部１５４ｂはカメラ本体１００の外装前面部１０１ｂに沿って配置されており、フレーム底面部１５４ａはカメラ本体１００の外装底面部１０１ａに沿って配置されている。
【００６１】
フレーム前面部１５４ｂはボディマウント支持部１５２に接続されている。つまり、メインフレーム１５４はボディマウント１５０およびボディマウント支持部１５２を介してレンズユニット２００を支持している。そのため、メインフレーム１５４にはある程度の強度が必要である。したがって、メインフレーム１５４は、金属で形成されているのが好ましい。メインフレーム１５４の材質として、例えばアルミやステンレス合金が考えられる。
【００６２】
フレーム底面部１５４ａは、プレート部３０と、位置決め部３２と、有している。プレート部３０は、板状に形成されており、外装底面部１０１ａに沿って配置されている。プレート部３０には、開口２２に対応する位置に貫通孔３０ａが形成されている。
【００６３】
位置決め部３２は、支持体ユニット１０に対する支持具取付部１５７の移動を制限するための部分であり、支柱部３４と、第１受け部１５５と、第２受け部１５６と、を有している。
【００６４】
支柱部３４は、プレート部３０から外装部１０１の内側に突出しており、第１柱部３４ａと、第２柱部３４ｂと、第３柱部３４ｃと、第４柱部３４ｄと、を有している。第１柱部３４ａ〜第４柱部３４ｄは貫通孔３０ａの周りに配置されている。
【００６５】
図７（Ｃ）に示すように、第１柱部３４ａ〜第４柱部３４ｄは、支持具取付部１５７を囲んでいる。具体的には、第１柱部３４ａと第３柱部３４ｃとは、支持具取付部１５７を挟んで対向している。また、第２柱部３４ｂと第４柱部３４ｄとは、支持具取付部１５７を挟んで対向している。
【００６６】
第１受け部１５５は、支柱部３４の外表面１６２と反対側の端部に固定されており、支持具取付部１５７の移動を制限する。
【００６７】
第２受け部１５６は、第１受け部１５５と外表面１６２との間に配置されており、支持具取付部１５７の移動を制限する。第２受け部１５６は、例えば、支柱部３４と一体形成されている。
【００６８】
第１受け部１５５は、支柱部３４から突出する４つの第１突起１５５−１〜第１突起１５５−４を有している。また、第２受け部１５６は、支柱部３４から突出する４つの第２突起１５６−１〜第２突起１５６−４を有している。具体的には、第１突起１５５−１および第２突起１５６−１は、第１柱部３４ａから突出している。第１突起１５５−２および第２突起１５６−２は、第２柱部３４ｂから突出している。第１突起１５５−３および第２突起１５６−３は、第３柱部３４ｃから突出している。第１突起１５５−４および第２突起１５６−４は、第４柱部３４ｄから突出している。
【００６９】
《支持具取付部》
支持具取付部１５７は、三脚などの支持具を取り付けるための部材であり、本体部４０と、支持具取付部上部１５８と、を有している。本体部４０は、円柱状の部材であり、第１ネジ穴４０ａと、露出面１５９と、を有する。露出面１５９は、支持具取付部１５７の端面であり、開口部２０から外部に露出可能に配置されている。また、露出面１５９は第１ネジ穴４０ａの入口４０ｂの周囲に形成されている。
【００７０】
第１ネジ穴４０ａは、開口部２０から外部に露出可能に配置され、支持具のネジ（図示せず）を取付可能に設けられている。具体的には、支持具が取り付けられていない場合には、第１ネジ穴４０ａは開口２２から露出している。ユーザーは開口部２０から第１ネジ穴４０ａに支持具のネジを挿入することができる。第１ネジ穴４０ａは中心線ＣＬを有している。以下では、中心線ＣＬに平行な方向を中心線ＣＬ方向（第１方向の一例）という。図７（Ｂ）に示すように、本実施形態では、中心線ＣＬ方向はＺ軸方向と概ね一致している。
【００７１】
支持具のネジは、中心線ＣＬ方向に沿って第１ネジ穴４０ａに挿入される。第１ネジ穴４０ａには支持具に設けられたネジを介して比較的大きな力が作用するので、支持具取付部１５７にはある程度の強度が必要である。従って、支持具取付部１５７は、金属で形成されていることが好ましい。
【００７２】
一方、支持具取付部１５７の温度上昇を抑制するために、支持具取付部１５７は熱伝導率が比較的小さい金属で形成されていることが望ましい。強度および熱伝導率に関するこれらの条件を満たす材質としては、例えばステンレス合金が考えられる。
【００７３】
なお、図４に示すように、支持具取付部１５７はＣＭＯＳイメージセンサー１１０の下側に配置されており、支持具取付部１５７はＺ軸方向に沿ってＣＭＯＳイメージセンサー１１０と並んでいる。このように支持具取付部１５７を配置すれば、ＣＭＯＳイメージセンサー１１０の周辺に重量の比較的大きい部品（例えば、レンズユニット２００）が配置されている場合であっても、支持具取付部１５７を中心とした重量分布に偏りが生じにくくなる。その結果、支持具に取り付けられたときにデジタルカメラ１が安定しやすくなる。
【００７４】
支持具取付部上部１５８（第１部分の一例）は、本体部４０の露出面１５９とは反対側に配置され、第１受け部１５５および第２受け部１５６と当接可能である。支持具取付部上部１５８は、例えば本体部４０と一体形成されており、本体部４０から突出するフランジ部１５８ａを有している。
【００７５】
図７（Ａ）に示すように、支持具取付部上部１５８の一部は、第１受け部１５５と第２受け部１５６との間に配置されている。具体的には、フランジ部１５８ａの一部が、第１受け部１５５と第２受け部１５６との間に配置されている。また、図７（Ｂ）に示すように、第１受け部１５５と第２受け部１５６とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部１５５と第２受け部１５６との間隔の中心線ＣＬ方向での第２寸法Ｗ２よりも小さく設定されている。
【００７６】
このように、支持具取付部１５７の上方向（つまり、Ｚ軸正方向）の移動は第１受け部１５５により制限され、支持具取付部１５７の下方向（つまり、Ｚ軸負方向）への移動は第２受け部１５６により制限されている。
【００７７】
以下では、第１受け部１５５に当接している場合の支持具取付部１５７の位置を第１位置という。また、第２受け部１５６に当接している場合の支持具取付部１５７の位置を第２位置という。図７（Ａ）は、第１位置に配置された支持具取付部１５７を示しており、図７（Ｂ）は、第２位置に配置された支持具取付部１５７を示している。
【００７８】
第１位置では、露出面１５９は外表面１６２よりも外装部１０１の内側に配置されている。言い換えれば、露出面１５９は外表面１６２よりも第１受け部１５５側に配置されているとも言える。また、開口部２０と露出面１５９とにより凹部５０が形成されているとも言える。図７（Ａ）では、凹部５０が二点鎖線で示されている。
【００７９】
外表面１６２と第１位置での露出面１５９との中心線ＣＬ方向の第１距離Ｄ１（つまり、凹部５０の深さ）は、ユーザーが露出面１５９に触れにくくなる程度の大きさであればよく、例えば、２〜３ｍｍに設定することができる。
【００８０】
第２位置では、露出面１５９および外表面１６２は同一平面上に配置されている。なお、露出面１５９は必ずしも平面でなくてもよく、支持具を支えることができれば、露出面１５９は平面以外であってもよい。例えば、露出面１５９が曲面であってもよい。また、「露出面１５９と外表面１６２とが同一平面上に配置される」とは、露出面１５９と外表面１６２とが共通の平面に接している場合の露出面１５９と外表面１６２との関係を意味している。したがって、露出面１５９が曲面であっても、外表面１６２を延長させて得られる平面に露出面１５９が接している場合は、露出面１５９と外表面１６２とは同一平面上に配置されているといえる。
【００８１】
《コイルバネ》
コイルバネ１６０（弾性部材の一例）は、支持具取付部１５７と支持体ユニット１０とを弾性的に連結する弾性部材であり、外装底面部１０１ａと支持具取付部上部１５８との間に配置されている。
【００８２】
コイルバネ１６０は、例えば圧縮コイルバネであり、本体部４０に嵌め込まれている。具体的には図７（Ａ）に示すように、第２受け部１５６と本体部４０との間には隙間が形成されており、その隙間にはコイルバネ１６０が配置されている。また、コイルバネ１６０の一方の端は支持具取付部上部１５８に当接しており、他方の端は外装底面部１０１ａと当接している。
【００８３】
支持具取付部１５７に支持具が取り付けられていない場合には、コイルバネ１６０は支持具取付部１５７を第１位置に保持している。具体的には、コイルバネ１６０は支持具取付部１５７を第１受け部１５５に押し付けており、支持具取付部上部１５８は第１受け部１５５に当接している。
【００８４】
支持具取付部１５７に支持具が取り付けられている場合には、支持具取付部１５７が第２位置に配置される。支持具取付部１５７が第１位置から第２位置へ移動すると、支持具取付部上部１５８がコイルバネ１６０側に移動するので、コイルバネ１６０の圧縮量が増加する。ここで、支持具が取り付けられた支持具取付部１５７は、支持具のネジにより支持具に引き寄せられている。したがって、コイルバネ１６０の弾性力が作用していても、支持具取付部１５７は第２位置に保持される。
【００８５】
以上のように、支持具取付部１５７は、支持体ユニット１０およびコイルバネ１６０に支持されている。具体的には、支持具取付部１５７は、外装底面部１０１ａと、フレーム底面部１５４ａと、コイルバネ１６０と、により支持されている。コイルバネ１６０は支持具取付部上部１５８と外装底面部１０１ａとの間に配置されている。また、支持具取付部上部１５８は、コイルバネ１６０のバネ力により付勢され、第１受け部１５５と第２受け部１５６との間で上下し、位置決めされる。そして、支持具が取り付けられていない場合には、支持具取付部１５７はコイルバネ１６０の付勢力によってカメラ本体１００の内部に押し上げられ、支持具取付部上部１５８が第１受け部１５５と当接することで位置決めされる。一方で、支持具が取り付けられた場合には、支持具取付部１５７は支持具のネジの締め付け力によってカメラ本体１００の外部へ向かう方向（Ｚ軸負方向）に引き出され、支持具取付部上部１５８が第２受け部１５６と当接することで位置決めされる。
【００８６】
なお、支持具取付部１５７を支持体ユニット１０に組み付ける方法として、どのような方法が用いられても構わない。例えば、支柱部３４と第２受け部１５６とを一体形成し、支柱部３４をプレート部３０に固定することができる。次に、支柱部３４の間に支持具取付部１５７およびコイルバネ１６０が配置される。さらに、支柱部３４に第１受け部１５５が固定される。このようにして、支持具取付部１５７を支持体ユニット１０に組み付けることができる。
【００８７】
なお、本実施形態では第１受け部１５５は支柱部３４から突出する第１突起１５５−１〜第１突起１５５−４であったが、第１受け部１５５は必ずしも突起でなくてもよい。例えば、第１受け部１５５をプレート状に形成し、支柱部３４に固定してもよい。また、支柱部３４の上部を覆うとともに第１受け部１５５としての機能を有するキャップが設けられていてもよい。つまり、支柱部３４の全体を覆うキャップが、支持具取付部１５７の上方向への移動を制限していてもよい。
【００８８】
《放熱部材》
放熱部材１９８は、放熱板１９５と、熱伝導部１９６と、を有している。放熱板１９５は、ＣＭＯＳイメージセンサー１１０とメイン回路基板１４２の間に配置されている。具体的には、放熱板１９５は、ＣＭＯＳ回路基板１１３とメイン回路基板１４２の間に配置されている。放熱板１９５は、ＣＭＯＳイメージセンサー１１０により発生した熱を放熱するための長方形の板状部材である。放熱板１９５の材質として例えばアルミや銅等の金属を用いれば、好ましい放熱効果を得ることができる。
【００８９】
放熱板１９５には、振動板支持部１１６に熱を伝えるために熱伝導部１９６が接続されている。熱伝導部１９６は振動板支持部１１６に接続され固定されている。ＣＭＯＳイメージセンサー１１０から発生した熱は、放熱板１９５および熱伝導部１９６を介して振動板支持部１１６に伝達される。このような熱の伝達を可能とするために、ＣＭＯＳイメージセンサー１１０の背面には放熱板１９５が配置され、放熱板１９５から振動板支持部１１６まで熱伝導部１９６が延びている。
【００９０】
より詳細には、熱伝導部１９６は４枚のプレートを有しており、放熱板１９５の上下の端および左右の端からプレートが前方へ延びている。言い換えれば、熱伝導部１９６はＣＭＯＳイメージセンサー１１０の上下左右を囲うようにして配置されている。このように、ＣＭＯＳイメージセンサー１１０は、放熱板１９５および熱伝導部１９６により、上側、両側方、下側および後ろ側を囲い込まれている。
【００９１】
なお、熱伝導部１９６は必ずしも振動板支持部１１６に接続されていなくてもよく、メインフレーム１５４とＣＭＯＳイメージセンサー１１０との間に配置されるいずれかの部品と接続されていればよい。例として、ボディマウント支持部１５２やシャッターユニット１９０が考えられる。
【００９２】
なお、熱伝導部１９６は、必ずしも４箇所で振動板支持部１１６と接続している必要はない。例えば、４枚のプレートのうち少なくとも１枚が放熱板１９５を振動板支持部１１６に接続していればよい。しかしながら、放熱板１９５の安定性を考慮すると、３箇所以上で接続されることが望ましい。
【００９３】
＜１−３：レンズユニットの構成＞
レンズユニット２００は、カメラ本体１００に装着可能であり、被写体の光学像を形成する。レンズユニット２００は主に、光学系Ｌと、駆動部２１５と、レンズコントローラー２４０と、レンズマウント２５０と、絞りユニット２６０と、レンズ筒２９０と、を有している。
【００９４】
光学系Ｌは、光学系Ｌの焦点距離を変化させるためのズームレンズ群２１０と、光学系Ｌで形成される被写体像のＣＭＯＳイメージセンサー１１０に対するぶれを抑制するためのＯＩＳ（Optical Image Stabilizer）レンズ群２２０と、光学系ＬがＣＭＯＳイメージセンサー１１０上に形成する被写体像のフォーカス状態を変化させるためのフォーカスレンズ群２３０と、を有している。
【００９５】
絞りユニット２６０は、光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）と、を有している。
【００９６】
駆動部２１５は、レンズコントローラー２４０の制御信号に基づいて、光学系Ｌの各レンズ群（ズームレンズ群２１０、ＯＩＳレンズ群２２０、フォーカスレンズ群２３０）を駆動する。また、駆動部２１５は、光学系Ｌの各レンズ群の位置を検出するための検出部を有している。
【００９７】
レンズマウント２５０は、レンズマウントリング２５１（図示せず）および電気接点２５３（図示せず）を有しており、前述のようにボディマウント１５０と機械的および電気的に接続できる。
【００９８】
レンズコントローラー２４０は、カメラコントローラー１４０から送信される制御信号に基づいて、レンズユニット２００全体を制御する。レンズコントローラー２４０は、駆動部２１５に含まれる検出部によって検出された光学系Ｌの各レンズ群の位置情報を受信して、カメラコントローラー１４０に送信する。カメラコントローラー１４０は、受信した位置情報に基づいて駆動部２１５を制御するための制御信号を生成し、レンズコントローラー２４０に送信する。レンズコントローラー２４０は、カメラコントローラー１４０が生成した制御信号を駆動部２１５に伝える。駆動部２１５は制御信号に基づいてズームレンズ群２１０、ＯＩＳレンズ群２２０、フォーカスレンズ群２３０の位置を調節する。
【００９９】
一方で、カメラコントローラー１４０は、ＣＭＯＳイメージセンサー１１０が受けた光の量、静止画撮影を行うのか動画撮影を行うのか、絞り値が優先的に設定される操作がされているか等の情報に基づいて、絞りユニット２６０を動作させるための制御信号を生成する。このとき、レンズコントローラー２４０は、カメラコントローラー１４０で生成された制御信号を絞りユニット２６０へ中継する。
【０１００】
また、レンズコントローラー２４０は、光学系Ｌの各レンズ群および絞りユニット２６０の駆動を行なう場合、ＤＲＡＭ２４１をワークメモリとして使用する。また、フラッシュメモリ２４２は、レンズコントローラー２４０によって使用されるプログラムやパラメータを保存している。
【０１０１】
レンズ筒２９０は、主に光学系Ｌと、レンズコントローラー２４０と、レンズマウント２５０と、絞りユニット２６０と、を内部に収容している。また、レンズ筒２９０の外部には、ズームリング２１３とフォーカスリング２３４とＯＩＳスイッチ２２４とが設けられている。
【０１０２】
ズームリング２１３は筒状の部材であり、レンズ筒２９０の外周面で回転可能である。ズームリング２１３は、焦点距離を操作するための操作部の一例である。ズームリング２１３を回転させると、回転後のズームリング２１３の位置に応じて、光学系Ｌの焦点距離が決定される。ズームリング２１３の位置は、例えば、駆動部２１５に含まれる検出部によって検出される。
【０１０３】
フォーカスリング２３４は筒状の部材であり、レンズ筒２９０の外周面で回転可能である。フォーカスリング２３４は、光学系ＬがＣＭＯＳイメージセンサー１１０上に形成する被写体像のフォーカス状態を操作するための操作部の一例である。フォーカスリング２３４を回転させると、回転後のフォーカスリング２３４の位置に応じて、被写体像のフォーカス状態が調節される。例えば、レンズコントローラー２４０はフォーカスリング２３４の位置情報に基づいて制御信号を生成し、駆動部２１５に出力する。駆動部２１５は、制御信号に基づいてフォーカスレンズ群２３０を駆動する。
【０１０４】
ＯＩＳスイッチ２２４は、ＯＩＳを操作するための操作部の一例である。ＯＩＳスイッチ２２４をＯＦＦにするとＯＩＳは動作しない。ＯＩＳスイッチ２２４をＯＮにするとＯＩＳは動作可能となる。
【０１０５】
＜１−４：構造の特徴＞
カメラ本体１００は、ミラーボックス装置を有しておらず、この点が一眼レフレックスカメラと異なっている。以下、図６（Ａ）および（Ｂ）を用いてカメラ本体１００の構造上の特徴をさらに詳細に説明する。
【０１０６】
図６（Ａ）は一眼レフレックスカメラ８００の概略断面図、図６（Ｂ）は本実施形態のデジタルカメラ１の概略断面図である。なお、図６（Ｂ）では、ボディマウント１５０、シャッターユニット１９０、振動板１１５、振動板支持部１１６、放熱板１９５、熱伝導部１９６などの部材は省略されている。また、図６（Ｂ）では、支持具取付部１５７周辺の構造に関しては、詳細が省略されている。
【０１０７】
図６（Ａ）に示す一眼レフレックスカメラ８００では、ＣＭＯＳイメージセンサー８１０の前面に、つまり、ＣＭＯＳイメージセンサー８１０のレンズユニット８０２側にミラーボックス装置が配置されている。ミラーボックス装置は、反射ミラー８０３とペンタプリズム８０４とを含んでいる。そして、ＣＭＯＳイメージセンサー８１０の背面に（つまり、ＣＭＯＳイメージセンサー８１０に対してレンズユニット８０２とは反対側に）、前からＣＭＯＳ回路基板８１３と、カメラコントローラー８４０を含むメイン回路基板８４２と、が順に配置されている。また、カメラ本体８０１の強度を確保するために金属製のメインフレーム８５４がカメラ本体８０１の内部の前面から底面に沿って配置されている。さらに、カメラ本体８０１の底面には支持具取付部８５７が設けられており、支持具取付部８５７はメインフレーム８５４に固定されている。
【０１０８】
一眼レフレックスカメラ８００では、ミラーボックス装置に含まれる反射ミラー８０３およびペンタプリズム８０４によって、レンズユニット８０２により形成された被写体の光学像は、ＣＭＯＳイメージセンサー８１０または光学ファインダー８０５に導かれる。このように、カメラ本体８０１の内部に、可動式の反射ミラー８０３とペンタプリズム８０４を配置するスペース、および、反射ミラー８０３から光学ファインダー８０５までの光路のスペース、を確保する必要があるため、カメラ本体８０１は小型化に適していない。
【０１０９】
その反面、カメラ本体８０１の内部にスペースが多いこと、カメラ本体８０１の表面積が大きいこと等の理由により、一眼レフレックスカメラ８００では、ＣＭＯＳイメージセンサー８１０からの発生した熱を放熱しやすい。また、支持具取付部８５７をＣＭＯＳイメージセンサー８１０から離れた位置に配置できるので、ＣＭＯＳイメージセンサー８１０から発生した熱が支持具取付部８５７に比較的伝わりにくい。
【０１１０】
これに対し、図６（Ｂ）に示すように、本実施形態に係るデジタルカメラ１では、ＣＭＯＳイメージセンサー１１０の前側にミラーボックス装置が配置されないため、フランジバックを短くすることが可能となり、カメラ本体１００を小型化することが可能である。さらに、フランジバックが短いため、光学系Ｌの設計の自由度が増し、レンズユニット２００の小型化が可能である。したがって、ミラーボックス装置を省略することで、デジタルカメラ１の小型化が可能である。
【０１１１】
その一方で、一眼レフレックスカメラ８００のようにミラーボックス装置が設けられているスペースが不要となるため、カメラ本体１００の小型化を図れるが、デジタルカメラ１では部品が密集して配置されるので、ＣＭＯＳイメージセンサー１１０と支持具取付部１５７との距離は、一眼レフレックスカメラ８００と比較して小さくなっている。
【０１１２】
さらに、高画質化や動画撮影対応によりＣＭＯＳイメージセンサー１１０やカメラコントローラー１４０の消費電力が大きくなってしまい、ＣＭＯＳイメージセンサー１１０やカメラコントローラー１４０の発熱量が大きくなっている。
【０１１３】
例えば、デジタルカメラ１では、高解像度の動画像の撮影にも対応したＣＭＯＳイメージセンサー１１０が採用されているため、高解像度の動画像の撮影に対応していないＣＭＯＳイメージセンサー（例えば、一眼レフレックスカメラ８００のＣＭＯＳイメージセンサー８１０）と比較して消費電力がおよそ３倍（０．４Ｗから１．２Ｗ）に増加している。その結果、ＣＭＯＳイメージセンサー１１０の発熱量は、高解像度の動画像の撮影に対応していないＣＭＯＳイメージセンサーの発熱量に比べて大きくなっている。
【０１１４】
以上のように、デジタルカメラ１では一眼レフレックスカメラ８００と比較してＣＭＯＳイメージセンサー１１０やカメラコントローラー１４０等の電子部品の発熱量が増大しており、さらに、小型化に伴って支持具取付部１５７がＣＭＯＳイメージセンサー１１０の近くに配置されているので、ＣＭＯＳイメージセンサー１１０で発生した熱が支持具取付部１５７に伝わりやすくなる。そうすると、支持具取付部１５７に触れて周辺の温度と支持具取付部１５７の温度との温度差を感知したユーザーが、違和感を感じる可能性がある。
【０１１５】
＜１−５：支持具の取り付けおよび取り外し＞
そこで、本実施形態に係るデジタルカメラ１では、ユーザーの触れにくい位置に支持具取付部１５７が配置されている。具体的には、支持具が支持具取付部１５７に取り付けられていない場合には、支持具取付部１５７がカメラ本体１００の内部に配置される。その結果、ユーザーが触れにくい位置に露出面１５９が配置される。
【０１１６】
以下、本実施形態の支持具取付部１５７の構造についてさらに具体的に説明する。図７（Ａ）〜図７（Ｃ）は支持具取付部１５７周辺の構造を説明する概略図である。図７（Ａ）は支持具が取り付けられてない場合の支持具取付部１５７および支持体ユニット１０の断面図であり、図７（Ｂ）は支持具が取り付けられた場合の支持具取付部１５７および支持体ユニット１０の断面図であり、図７（Ｃ）は支持具取付部１５７付近の斜視図である。なお、図７（Ｂ）では、支持具は省略されている。また、図７（Ｃ）では、コイルバネ１６０は省略されている。
【０１１７】
前述のように、本実施形態に係るデジタルカメラ１では、支持具取付部１５７は、第１位置と第２位置との間を移動可能である。支持具取付部１５７が第１位置に配置されている場合は、第１ネジ穴４０ａの入口４０ｂの周囲に形成された露出面１５９が外装部１０１の外表面１６２よりも第１受け部１５５側に位置している。支持具取付部１５７が第２位置に配置されている場合は、第１ネジ穴４０ａの入口４０ｂが形成された露出面１５９と外装部１０１の外表面１６２とが同一平面上に配置されている。
【０１１８】
支持具が支持具取付部１５７に取り付けられていない場合には、支持具取付部１５７はコイルバネ１６０により第１位置に保持される。具体的には、支持具取付部上部１５８と外装底面部１０１ａとの間にコイルバネ１６０が配置されている。ユーザーが支持具を使用しない場合には、支持具取付部上部１５８が第１受け部１５５に当接する位置まで、支持具取付部１５７はカメラ本体１００の内部にコイルバネ１６０により付勢され押し上げられている。前述のように、このときの支持具取付部１５７の位置が第１位置（図７（Ａ）に示した支持具取付部１５７の位置）である。
【０１１９】
ここで、支持具取付部１５７はＣＭＯＳイメージセンサー１１０の下側に配置されているので、ＣＭＯＳイメージセンサー１１０からの輻射熱や対流熱は支持具取付部１５７に比較的伝わりやすい。したがって、デジタルカメラ１では支持具取付部１５７の温度が上昇しやすいと言える。しかしながら、支持具取付部１５７がコイルバネ１６０によってカメラ本体１００の内部に押し上げられているので、ユーザーが露出面１５９に触れ難くなっている。結果として、ユーザーが露出面１５９に触れて違和感を感じる可能性を低減できる。
【０１２０】
一方で、ユーザーが支持具を使用する場合には、ユーザーは支持具のネジを支持具取付部１５７にねじ込む。ユーザーが支持具のネジを支持具取付部１５７に対して回転させると、支持具のネジが第１ネジ穴４０ａにねじ込まれる。
【０１２１】
ここで、支持具取付部１５７はコイルバネ１６０により第１受け部１５５に押し付けられているので、支持具取付部１５７が第１受け部１５５に対して回転すると、支持具取付部１５７と第１受け部１５５との間には摩擦力が発生する。そして、支持具取付部１５７と第１受け部１５５との間に発生する摩擦力が支持具取付部１５７の回転を抑制するので、支持具のネジを支持具取付部１５７に対して回転させることができる。なお、支持具取付部１５７の回転を抑制するための構造が設けられていてもよい。例えば、本体部４０の外周面に回り止めの突起を形成し、その突起を中心線ＣＬ方向に導くための溝を開口２２の内周面に形成してもよい。
【０１２２】
支持具のネジが第１ネジ穴４０ａにねじ込まれると、支持具が外表面１６２と当接する。支持具のネジが第１ネジ穴４０ａにさらにねじ込まれると、支持具取付部１５７が支持具に近付くように移動する。このように、開口部２０と支持具取付部１５７とが支持具のネジにより締め付けられ、コイルバネ１６０が圧縮される。そして、支持具取付部１５７は、支持具取付部上部１５８が第２受け部１５６に当接するまでカメラ本体１００の外部側に（つまり、第１受け部１５５から遠ざかるように）移動する。
【０１２３】
支持具取付部上部１５８が第２受け部１５６に当接している時、露出面１５９は外表面１６２と一致している。つまり、露出面１５９および外表面１６２は同一平面上に配置されている。前述のように、このときの支持具取付部１５７の位置が第２位置（図７（Ｂ）に示した支持具取付部１５７の位置）である。
【０１２４】
本実施形態では、第１距離Ｄ１は、第２寸法Ｗ２と第１寸法Ｗ１との差と概ね等しい。このような寸法関係が満たされているので、支持具取付部１５７が第２位置に配置されると、露出面１５９と外表面１６２とが同一平面上に配置される。
【０１２５】
カメラ本体１００に支持具が装着された場合には、露出面１５９が外表面１６２と一致しているので、支持具は支持具取付部１５７および外表面１６２を介してカメラ本体１００を支えることができる。したがって、カメラ本体１００の外装部１０１や支持具取付部１５７に支持具から過大な力が作用することを防止できる。
【０１２６】
ここで、支持具が取り付けられたカメラ本体に関して、露出面１５９が外表面１６２と一致しない場合には、カメラ本体の取り扱いに注意が必要となる。一例として、支持具が取り付けられた場合に露出面１５９が外表面１６２よりもカメラ本体の内側に配置されるカメラ本体が考えられる。このようなカメラ本体では、露出面１５９と支持具の間に隙間が形成される。つまり、露出面１５９が支持具と当接しないので、支持具のネジに大きな力をかけることにより、支持部のネジを第１ネジ穴４０ａにさらにねじ込むことが可能である。したがって、ユーザーが支持具のネジに強い力をかけると、支持具取付部１５７に鉛直方向下向きに過大な引っ張り力がかかり続けることになり、支持具取付部１５７を支えている外装底面部１０１ａに歪みが生じる可能性がある。
【０１２７】
また、別の例として、支持具が取り付けられた場合に露出面１５９が外表面１６２から大きく押し出されているカメラ本体が考えられる。このようなカメラ本体では、露出面１５９は支持具と当接するが、外表面１６２が支持具と当接しない。したがって、支持具がカメラ本体を支えるための支点は支持具取付部１５７のみであり、支持具取付部１５７に過大な負荷がかかる可能性がある。その結果、支持具取付部１５７もしくは支持体ユニット１０が破損する可能性がある。
【０１２８】
一方で、本実施形態に係るカメラ本体１００では、支持具が取り付けられると、露出面１５９は外表面１６２と一致するまで押し出される。言い換えれば、支持具が支持具取付部１５７に取り付けられた場合に露出面１５９と外表面１６２とが一致するように、コイルバネ１６０、第１受け部１５５、および第２受け部１５６が配置されている。
【０１２９】
図７（Ｃ）に示すように、本実施形態では第１受け部１５５は４つの第１突起１５５−１〜第１突起１５５−４を有しているが、第１受け部１５５は必ずしも４つの第１突起１５５−１〜第１突起１５５−４の全てを有している必要は無い。第１受け部１５５は支持具取付部１５７の移動を制限できればよいので、第１突起１５５−１〜第１突起１５５−４のうち少なくとも１つを有していればよい。
【０１３０】
同様に、第２受け部１５６は４つの第２突起１５６−１〜第２突起１５６−４を有しているが、第２受け部１５６は必ずしも４つの第２突起１５６−１〜第２突起１５６−４の全てを有している必要は無い。第２受け部１５６は支持具取付部１５７の移動を制限できればよいので、第２突起１５６−１〜第２突起１５６−４のうち少なくとも１つを備えていればよい。
【０１３１】
なお、本実施形態においては、第１受け部１５５および第２受け部１５６がメインフレーム１５４に設けられている。メインフレーム１５４は金属で形成された部材であるので、第１受け部１５５および第２受け部１５６の強度が確保されている。
【０１３２】
特に、外装部１０１がメインフレーム１５４よりも強度が低い材質（例えば、合成樹脂）で形成されている場合には、メインフレーム１５４に第１受け部１５５もしくは第２受け部１５６を設けることにより、第１受け部１５５および第２受け部１５６の強度を高めることが出来る。
【０１３３】
また、本実施形態においては、第１受け部１５５および第２受け部１５６の両方がメインフレーム１５４に設けられていたが、例えば第２受け部１５６のみをメインフレーム１５４に形成することも可能である。
【０１３４】
＜１−６：効果＞
ここで、本実施形態に係るカメラ本体１００の効果についてまとめる。
【０１３５】
（１）
このカメラ本体１００では、支持具が支持具取付部１５７に取り付けられていない場合に露出面１５９が外表面１６２よりも外装部１０１の内側に配置されるので、支持具取付部１５７をユーザーが触れにくい位置に配置できる。したがって、ユーザーが支持具取付部１５７に触れて支持具取付部１５７の温度と周辺の温度との温度差を感じる頻度を少なくすることができる。
【０１３６】
一方で、支持具取付部１５７は支持体ユニット１０に移動可能に支持されており、支持具が支持具取付部１５７に取り付けられた場合には露出面１５９と外表面が同一平面上に配置されるので、支持具取付部１５７を支持具に近づけることができる。
【０１３７】
このように、ユーザーに違和感を与える可能性を低減できるとともに、支持具の取り付けに適した位置に支持具取付部１５７を配置することができる。
【０１３８】
（２）
このカメラ本体１００では、支持具取付部１５７を取り外す動作に連動して支持具取付部が第２位置から第１位置に移動するので、ユーザーによる余分の操作を必要とすることなく、ユーザーの触れにくい位置に支持具取付部１５７を移動させることができる。
【０１３９】
具体的には、支持具取付部１５７は、コイルバネ１６０により支持体ユニット１０に弾性的に連結されており、支持具が取り付けられていない場合には第１受け部１５５に押し付けられている。したがって、支持具が取り付けられていない場合には、支持具取付部１５７はコイルバネ１６０により第１位置に保持される。さらに、支持具が支持具取付部１５７から取り外されると支持具取付部１５７がコイルバネ１６０により自動的に第１位置に移動するので、ユーザーの余分な動作を省くことができる。
【０１４０】
（３）
このカメラ本体１００では支持具取付部１５７が第２位置に配置された場合に露出面１５９が支持具と接触しているので、カメラ本体１００は支持具取付部１５７を介して支持具に支持される。このように、支持具取付部１５７が支点として機能するので、支持具取付部１５７が支持具と接触できない場合に比べて、カメラ本体１００に負荷がかかりにくくなる。
【０１４１】
（４）
このカメラ本体１００では、支持具取付部１５７の移動が第１受け部１５５および第２受け部１５６により制限される。具体的には、支持具取付部上部１５８の一部が第１受け部１５５と第２受け部１５６の間に配置され、第１位置での支持具取付部上部１５８は第１受け部１５５に当接し、第２位置での支持具取付部上部１５８は第２受け部１５６と当接する。このように、簡素な構成を用いつつ、支持具取付部１５７を第１位置および第２位置に精度良く配置することができる。
【０１４２】
（５）
このカメラ本体１００では、第１受け部１５５および第２受け部１５６がメインフレーム１５４に形成されているので、第１受け部１５５および第２受け部１５６の強度を確保することができる。
【０１４３】
〔第２実施形態〕
次に、第２実施形態について説明する。前述の第１実施形態では、支持体ユニット１０はメインフレーム１５４を含んでいたが、支持体ユニット１０からメインフレーム１５４を省略することも可能である。
【０１４４】
第２実施形態に係るカメラ本体４００においては、第１実施形態のカメラ本体１００と比較して、フレーム底面部１５４ａが用いられておらず、また、外装底面部１０１ａの構造が異なっている。よって、ここでは主に外装底面部１０１ａおよび支持具取付部１５７について説明し、共通部分の説明は省略する。図８（Ａ）〜図８（Ｃ）は第２実施形態に係る支持体ユニット４１０の構造を説明する概略図である。図８（Ａ）は支持具が取り付けられていない場合の支持具取付部１５７および支持体ユニット４１０の断面図であり、図８（Ｂ）は支持具が取り付けられている場合の支持具取付部１５７および支持体ユニット４１０の断面図であり、図８（Ｃ）は支持具取付部１５７の斜視図である。なお、図８（Ｂ）では、支持具は省略されている。また、図８（Ｃ）では、コイルバネ１６０は省略されている。
【０１４５】
＜２−１：構成＞
第２実施形態に係るカメラ本体４００では、支持具取付部上部１５８はメインフレーム１５４によって上下方向の移動を規制されるのではなく、外装部４０１に形成された第１受け部４６３および第２受け部４６４によって上下方向の移動を規制される。
【０１４６】
支持体ユニット４１０は、支持具取付部１５７を移動可能に支持するユニットであり、外装部４０１を有している。
【０１４７】
外装部４０１は、外装底面部４０１ａを有している。外装底面部４０１ａは、基部４３６と、位置決め部４３２と、を有している。
【０１４８】
基部４３６は、カメラ本体１００の底面を形成する概ね板状の部材である。基部４３６には、開口部４２０が形成されている。開口部４２０は、基部４３６に形成された開口４２２（開口の一例）と、外表面４６２と、を有している。開口４２２からは、支持具取付部１５７が露出している。開口２２には、支持具取付部１５７が摺動可能に挿入されている。開口４２２は、中心線ＣＬ方向に貫通しており、支持具取付部１５７が移動する際に、中心線ＣＬ方向に支持具取付部１５７を案内する。外表面４６２は、開口４２２の周囲に形成された概ね平坦な面であり、外部に露出している。
【０１４９】
位置決め部４３２は、支持具取付部１５７の移動を制限するための部分であり、支柱部４３４と、第１受け部４６３と、第２受け部４６４と、を有している。
【０１５０】
支柱部４３４は、基部４３６から内側に突出しており、第１柱部４３４ａと、第２柱部４３４ｂと、第３柱部４３４ｃと、第４柱部４３４ｄと、を有している。第１柱部４３４ａ〜第４柱部４３４ｄは、開口部４２０の周りに配置されている。
【０１５１】
第１柱部４３４ａ〜第４柱部４３４ｄは、支持具取付部１５７を囲んでいる。具体的には、第１柱部４３４ａと第３柱部４３４ｃとは、支持具取付部１５７を挟んで対向している。また、第２柱部４３４ｂと第４柱部４３４ｄとは、支持具取付部１５７を挟んで対向している。
【０１５２】
第１受け部４６３は、支柱部４３４の外表面４６２と反対側の端部に固定されており、支持具取付部１５７の移動を制限する。
【０１５３】
第２受け部４６４は、第１受け部４６３と外表面４６２との間に配置されており、支持具取付部１５７の移動を制限する。第２受け部４６４は、例えば、支柱部４３４と一体形成されている。
【０１５４】
第１受け部４６３は、支柱部４３４から突出する４つの第１突起４６３−１〜第１突起４６３−４を有している。また、第２受け部４６４は、支柱部４３４から突出する４つの第２突起４６４−１〜第２突起４６４−４を有している。具体的には、第１突起４６３−１および第２突起４６４−１は、第１柱部４３４ａから突出している。第１突起４６３−２および第２突起４６４−２は、第２柱部４３４ｂから突出している。第１突起４６３−３および第２突起４６４−３は、第３柱部４３４ｃから突出している。第１突起４６３−４および第２突起４６４−４は、第４柱部４３４ｄから突出している。
【０１５５】
図８（Ａ）に示すように、支持具取付部上部１５８の一部は、第１受け部４６３と第２受け部４６４との間に配置されている。具体的には、フランジ部１５８ａの一部が、第１受け部４６３と第２受け部４６４との間に配置されている。また、第１受け部４６３と第２受け部４６４とは中心線ＣＬ方向に間隔を空けて配置されており、支持具取付部１５７が中心線ＣＬ方向に移動できるようにスペースが確保されている。具体的には、支持具取付部上部１５８の中心線ＣＬ方向の幅の第１寸法Ｗ１は、第１受け部４６３と第２受け部４６４との間隔の中心線ＣＬ方向での第２寸法Ｗ２よりも小さく設定されている。
【０１５６】
このように、支持具取付部１５７の上方向（つまり、Ｚ軸正方向）の移動は第１受け部４６３により制限され、支持具取付部１５７の下方向（つまり、Ｚ軸負方向）への移動は第２受け部４６４により制限されている。
【０１５７】
以下では、第１受け部４６３に当接している場合の支持具取付部１５７の位置を第１位置という。また、第２受け部４６４に当接している場合の支持具取付部１５７の位置を第２位置という。図８（Ａ）は、第１位置に配置された支持具取付部１５７を示しており、図８（Ｂ）は、第２位置に配置された支持具取付部１５７を示している。
【０１５８】
第１位置では、露出面１５９は外表面４６２よりも外装部４０１の内側に配置されている。言い換えれば、露出面１５９は外表面４６２よりも第１受け部４６３側に配置されているとも言える。また、開口部４２０と露出面１５９とにより凹部５０が形成されているとも言える。図８（Ａ）では、凹部５０が二点鎖線で示されている。第２位置では、露出面１５９および外表面４６２は同一の平面上に配置されている。
【０１５９】
なお、支持具取付部１５７を支持体ユニット４１０に組み付ける方法として、どのような方法が用いられても構わない。例えば、１対の部材を組み合わせることにより外装底面部４０１ａが形成されてもよい。この場合には、例えば、１対の部材の一方の部材に第１柱部４３４ａおよび第４柱部４３４ｄが一体形成され、他方の部材に第２柱部４３４ｂと第３柱部４３４ｃが一体形成される。そして、１対の部材を組み合わせて外装底面部４０１ａを組み立てる際に、支持具取付部１５７およびコイルバネ１６０が支柱部４３４の間に配置される。このようにして、支持具取付部１５７を支持体ユニット４１０に組み付けることができる。
【０１６０】
＜２−２：動作＞
支持具が支持具取付部１５７に取り付けられていない場合には、支持具取付部１５７は、支持具取付部上部１５８と外装底面部４０１ａの間に配置されたコイルバネ１６０によって付勢され、カメラ本体４００の内部に押し上げられている。具体的には、支持具取付部１５７は、支持具取付部上部１５８が第１受け部４６３に当接する位置まで押し上げられている。前述のように、このときの支持具取付部１５７の位置が第１位置（図８（Ａ）に示した支持具取付部１５７の位置）である。
【０１６１】
第１実施形態に係るカメラ本体１００と同様に、支持具取付部１５７にはＣＭＯＳイメージセンサー１１０からの輻射熱や対流熱が比較的伝わりやすいので、支持具取付部１５７の温度が上昇する傾向にある。しかしながら、支持具取付部１５７がカメラ本体４００の内部に押し上げられているので、ユーザーが露出面１５９に触れ難くなっている。結果として、ユーザーが露出面１５９に触れて違和感を感じる可能性を低減できる。
【０１６２】
一方で、支持具が支持具取付部１５７に取り付けられた場合には、開口部４２０と支持具取付部１５７が支持具のネジにより締め付けられ、コイルバネ１６０が圧縮される。そして、支持具取付部１５７は支持具取付部上部１５８が第２受け部４６４に当接する位置までカメラ本体４００の外部側に（つまり、第１受け部４６３から遠ざかるように）移動する。
【０１６３】
支持具取付部上部１５８が第２受け部４６４に当接している時、露出面１５９は外表面４６２と一致している。つまり、露出面１５９および外表面４６２は同一平面上に配置されている。前述のように、このときの支持具取付部１５７の位置が第２位置（図８（Ｂ）に示した支持具取付部１５７の位置）である。
【０１６４】
カメラ本体４００に支持具が装着された場合には、露出面１５９が外表面４６２と一致しているので、支持具は支持具取付部１５７および外表面４６２を介してカメラ本体４００を支えることができる。したがって、カメラ本体４００もしくは支持具取付部１５７に支持具から過大な力が作用することを防止できる。
【０１６５】
ここで、支持具が取り付けられたカメラ本体に関して、露出面１５９が外表面４６２と一致しない場合には、カメラ本体の取り扱いに注意が必要となる。一例として、支持具が取り付けられた場合に露出面１５９が外表面４６２よりもカメラ本体の内側に配置されるカメラ本体が考えられる。このようなカメラ本体では、ユーザーが支持具のネジに強い力をかけると、支持具取付部１５７に鉛直方向下向きに過大な引っ張り力がかかり続けることになり、外装底面部４０１ａに歪みが生じる可能性がある。
【０１６６】
また、別の例として、支持具が取り付けられた場合に露出面１５９が外表面４６２から大きく押し出されているカメラ本体が考えられる。このようなカメラ本体では、支持具がカメラ本体を支えるための支点は支持具取付部１５７のみであり、支持具取付部１５７に過大な負荷がかかる可能性がある。
【０１６７】
一方で、カメラ本体４００では、支持具が取り付けられると、露出面１５９は外表面４６２と一致するまで押し出される。言い換えれば、支持具が支持具取付部１５７に取り付けられた場合に露出面１５９と外表面４６２とが一致するように、コイルバネ１６０、第１受け部４６３、および第２受け部４６４が配置されている。
【０１６８】
図８（Ｃ）に示すように、本実施形態では、第１受け部４６３は第１突起４６３−１〜第１突起４６３−４から構成されているが、必ずしも４つから構成される必要は無い。第１受け部４６３は少なくとも１つの突起を備えていればよい。同様に第２受け部４６４は第２突起４６４−１〜第２突起４６４−４の４つから構成されているが、必ずしも４つから構成される必要は無い。第２受け部４６４は少なくとも１つの突起を備えていればよい。
【０１６９】
〔第３実施形態〕
前述の実施形態では、支持具取付部１５７を第１位置に保持するためのコイルバネ１６０が設けられていたが、支持具取付部１５７を第１位置に保持するための部材を省略することも可能である。
【０１７０】
以下では、第３実施形態に係るカメラ本体５００（撮像装置の一例）について図９（Ａ）〜図１０（Ｃ）を用いて説明する。なお、第１実施形態と異なる部分についてのみ説明する。また、第１実施形態と実質的に同様の機能を有する部品および構成については同一の符号を付し、その詳細な説明を省略する。
【０１７１】
＜３−１：構成＞
第３実施形態に係るカメラ本体５００は、支持具取付部５５７と、支持体ユニット５１０と、を有している。図９（Ａ）および図９（Ｂ）に示すように、支持体ユニット５１０は、外装部５０１と、メインフレーム５５４と、ホルダ部５３２と、を有している。
【０１７２】
外装部５０１は、外装底面部５０１ａを有している。外装底面部５０１ａには開口部２０が形成されている。
【０１７３】
メインフレーム５５４（フレームの一例）は、カメラ本体５００の強度を確保する部材であり、フレーム前面部１５４ｂと、フレーム底面部５５４ａを有している。フレーム底面部５５４ａは、プレート部３０と、貫通孔３０ａと、を有している。貫通孔３０ａの周囲には、支持具取付部５５７の移動を制限するための第２受け部５５６が形成されている。支持具が支持具取付部５５７に取り付けられていない場合には、貫通孔３０ａおよび開口２２を介して、支持具取付部５５７が外部に露出している。
【０１７４】
ホルダ部５３２は、支持具取付部５５７を移動可能に支持する部材であり、胴部５３４と、第１受け部５５５と、を有している。
【０１７５】
胴部５３４は、フレーム底面部５５４ａに固定されており、支持具取付部５５７を収容している。胴部５３４には、支持具取付部５５７を装着するための第２ネジ穴５３４ａが形成されている。第２ネジ穴５３４ａは左ネジに対応して形成されている。つまり、左ネジから見て反時計回りに左ネジを回転させることにより、第２ネジ穴５３４ａに左ネジをねじ込むことができる。本実施形態では、第２ネジ穴５３４ａに左ネジをねじ込んだときに左ネジがＺ軸正方向に進むように、第２ネジ孔５３４ａが形成されている。
【０１７６】
第２ネジ穴５３４ａの入口側はフレーム底面部５５４ａに固定されている。また、第２ネジ穴５３４ａの入口は、貫通孔３０ａおよび開口２２と重なる位置に配置されている。さらに、第２ネジ穴５３４ａの入口の一部はフレーム底面部５５４ａにより覆われている。そして、プレート部３０のうち第２ネジ孔５３４ａの入口に張り出した部分が、第２受け部５５６を形成している。したがって、貫通孔３０ａは第２受け部５５６に形成された孔であるとも言える。
【０１７７】
第１受け部５５５は、胴部５３４のフレーム底面部５５４ａと反対側に配置され、支持体ユニット５１０に対する支持具取付部５５７の移動を制限している。第２ネジ穴５３４ａのフレーム底面部５５４ａと反対側は、第１受け部５５５により覆われている。なお、第１受け部５５５により支持具取付部５５７の移動が制限されればよいので、第２ネジ孔５３４ａのフレーム底面部５５４ａと反対側の少なくとも一部が覆われていればよい。第１受け部５５５は、例えば、胴部５３４に第２ネジ穴５３４ａを設けることにより、胴部５３４と一体形成される。
【０１７８】
支持具取付部５５７は、支持具を取り付け可能な部材であり、大径部６０と、小径部６２と、を有している。支持具取付部５５７は、支持体ユニット５１０に移動可能に支持されている。
【０１７９】
また、支持具取付部５５７には、第１ネジ穴４０ａが形成されている。第１ネジ穴４０ａは、開口部２０から外部に露出可能に配置され、支持具ネジ９０を取付可能に設けられている。第１ネジ穴４０ａは中心線ＣＬを有している。本実施形態では、中心線ＣＬ方向はＺ軸方向と概ね一致している。第１ネジ穴４０ａは右ネジに対応して形成されている。したがって、右ネジから見て時計回りに右ネジを回転させることにより、第１ネジ穴４０ａに右ネジをねじ込むことができる。第１ネジ穴４０ａは第２ネジ穴５３４ａと概ね同軸に配置されている。
【０１８０】
大径部６０（第１部分の一例）は、円柱状の部分であり、ネジ部６０ａを有している。ネジ部６０ａは大径部６０の外周部に形成された複数のネジ山を有しており、第２ネジ穴５３４ａに嵌め込み可能に形成されている。ネジ部６０ａは左ネジ（つまり、逆ネジ）を形成している。したがって、大径部６０から見て反時計回りに大径部６０を回転させることにより、第２ネジ穴５３４ａに大径部６０を嵌め込むことができる。
【０１８１】
大径部６０は、ホルダ部５３２に移動可能に支持されている。具体的には、大径部６０は第２ネジ穴５３４ａに嵌め込まれている。また、大径部６０の一部は第１受け部５５５と第２受け部５５６の間に配置されているので、第１受け部５５５および第２受け部５５６により大径部６０の移動が制限されている。ここで、大径部６０が移動できるように、大径部６０の中心線ＣＬ方向の第１寸法Ｗ３は、第２ネジ穴５３４ａの中心線ＣＬ方向の第２寸法Ｗ４よりも小さく設定されている。
【０１８２】
小径部６２は、円筒状の部分であり、大径部６０から突出している。小径部６２は大径部６０と同軸に形成され、小径部６２の径の大きさは大径部６０の径の大きさよりも小さく設定されている。小径部６２は、大径部６０と一体回転可能であり、例えば大径部６０と一体形成されている。小径部６２は、第１ネジ穴４０ａの入口４０ｂと、入口４０ｂの周辺に形成された露出面５５９と、を有している。支持具が支持具取付部５５７に取り付けられていない場合には、露出面５５９は開口２２および貫通孔３０ａから外部に露出している。支持具が支持具取付部５５７に取り付けられた場合には、露出面５５９は支持具と当接する。
【０１８３】
貫通孔３０ａおよび開口２２は小径部６２よりも大きく形成されているので、小径部６２は貫通孔３０ａおよび開口２２に進入することができる。なお、本実施形態では小径部６２は円筒状に形成されているが、支持具取付部５５７が支持体ユニット５１０に対して相対回転可能であれば、小径部６２は円筒形状以外であっても構わない。例えば、支持具取付部５５７が支持体ユニット５１０に対して相対回転できるように貫通孔３０ａおよび開口２２が大きく形成されていれば、小径部６２を角柱状に形成することも可能である。
【０１８４】
なお、支持具取付部５５７を支持体ユニット５１０に組み付ける方法として、どのような方法が用いられても構わない。例えば、ホルダ部５３２に支持具取付部５５７を挿入し、ホルダ部５３２をフレーム底面部５５４ａに固定することにより、支持具取付部５５７を支持体ユニット５１０に組み付けることができる。また、第２受け部５５６をプレート部３０とは別体としてもよい。この場合には、ホルダ部５３２をプレート部３０と一体形成し、支持具取付部５５７をホルダ部５３２に装着した後に、第２受け部５５６をプレート部３０に固定することができる。
【０１８５】
以上のように、支持具取付部５５７は、支持体ユニット５１０に移動可能に支持されている。また、支持具取付部５５７の可動範囲は第１受け部５５５および第２受け部５５６によって制限されている。具体的には、支持具取付部５５７は第１位置および第２位置に配置可能である。図９（Ａ）は、第１位置に配置された支持具取付部５５７を示している。また、図９（Ｂ）は、第２位置に配置された支持具取付部５５７を示している。
【０１８６】
支持具取付部５５７が第１位置に配置されている場合は、第１受け部５５５により支持具取付部５５７の移動が制限されている。また、支持具取付部５５７が第２位置に配置されている場合は、第２受け部５５６により支持具取付部５５７の移動が制限されている。より詳細には、支持具取付部５５７が第１位置に配置されている場合には、大径部６０が第１受け部５５５と接している。また、支持具取付部５５７が第２位置に配置されている場合には、大径部６０が第２受け部５５６と接している。このように、支持具取付部５５７の上方向への移動は第１受け部５５５により制限され、支持具取付部５５７の下方向への移動は第２受け部５５６により制限されている。
【０１８７】
支持具取付部５５７が第１位置に配置されている場合には、露出面５５９は外表面１６２よりも外装部５０１の内側に配置されている。言い換えれば、露出面５５９は外表面１６２の第１受け部５５５側に配置されているとも言える。また、開口部２０と露出面５５９とにより凹部５０が形成されているとも言える。
【０１８８】
本実施形態では、外表面１６２と第１位置での露出面５５９との中心線ＣＬ方向の第１距離Ｄ１は、第２寸法Ｗ４と第１寸法Ｗ３との差よりも小さい。このような寸法関係が満たされているので、支持具取付部５５７が第２位置に配置されると、支持具取付部５５７の一部が外表面１６２から突出している。また、図９（Ｂ）に示すように、支持具ネジ９０を外表面１６２に当接させることができる。
【０１８９】
支持具取付部５５７は、支持体ユニット５１０に対して支持具と一体回転可能に配置されている。本実施形態では、第２ネジ穴５３４ａに形成された雌ネジのピッチは、第１ネジ穴４０ａに形成された雌ネジのピッチよりも大きい。したがって、第２ネジ穴５３４ａとネジ部６０ａとの間の摩擦力を第１ネジ穴４０ａと支持具ネジ９０との間の摩擦力よりも小さくすることができる。つまり、ネジのピッチの大きさに差を与えて第２ネジ穴５３４ａとネジ部６０ａとの接触面積と第１ネジ穴４０ａと支持具ネジ９０との接触面積を調節することにより、摩擦力が調節されている。このように、支持具取付部５５７は支持具ネジ９０に比べて回転しやすいので、支持体ユニット５１０に対して、支持具取付部５５７を支持具ネジ９０（つまり、支持具）と一体回転させることができる。
【０１９０】
また、本実施形態では、ユーザーが第１位置に配置された支持具取付部５５７に支持具ネジ９０を挿入する場合は、支持具が外表面１６２と接触する前に、支持具取付部５５７がホルダ部５３２に対して回転を開始する。また、ユーザーが第２位置に配置された支持具取付部５５７から支持具ネジ９０を抜く場合は、支持具ネジ９０が第１ネジ穴４０ａから完全に抜ける前に、支持具取付部５５７がホルダ部５３２に対して回転を開始する。
【０１９１】
＜３−２：動作＞
以下では、支持具を支持具取付部５５７に取り付ける動作、および、支持具を支持具取付部５５７から取り外す動作について説明する。
【０１９２】
《取り付け動作》
図９（Ａ）に示すように、支持具が支持具取付部５５７に取り付けられていない場合には、支持具取付部５５７は第１位置に配置されている。ユーザーは、支持具を支持具取付部５５７に取り付けるために、支持具ネジ９０を第１ネジ穴４０ａに挿入する。
【０１９３】
ユーザーが支持具ネジ９０を図９（Ｃ）のＲ１方向に回転させると、支持具ネジ９０の一部が第１ネジ穴４０ａに進入する。このとき、支持具ネジ９０と第１ネジ穴４０ａとの間には摩擦力が発生するので、支持具ネジ９０から支持具取付部５５７にＲ１方向の駆動力が伝わる。また、前述のように、第２ネジ穴５３４ａとネジ部６０ａとの間の摩擦力は比較的小さく設定されている。したがって、支持具ネジ９０が第１ネジ穴４０ａにある程度進入すると、支持具取付部５５７がＲ１方向に回転を開始する（図１０（Ａ））。
【０１９４】
ネジ部６０ａには左ネジが形成されているので、支持具取付部５５７がＲ１方向に回転すると、大径部６０は第２ネジ穴５３４ａに導かれてＺ軸負方向に（つまり、第２受け部５５６側に）移動する。図１０（Ｂ）に示すように、支持具取付部５５７がＲ１方向にある程度回転すると、大径部６０が第２受け部５５６に接する。その結果、支持具取付部５５７の移動は第２受け部５５６により制限され、支持具取付部５５７は第２受け部５５６に対して静止する。このとき、支持具取付部５５７は図９（Ｂ）に示す第２位置に配置されている。つまり、支持具取付部５５７の一部が外表面１６２から突出している。
【０１９５】
なお、支持具取付部５５７が第１位置から第２位置に移動する際に、支持具ネジ９０が支持具取付部５５７に対してＲ１方向に相対回転をしていても構わない。つまり、支持具取付部５５７がホルダ部５３２に対してＲ１方向に回転すると同時に、支持具ネジ９０が支持具取付部５５７に対してＲ１方向に回転していてもよい。
【０１９６】
支持具取付部５５７が第２位置に到達すると、支持具取付部５５７に対する支持具ネジ９０のＲ１方向の回転が再開あるいは続行する。支持具ネジ９０が露出面５５９と支持具とが当接するまで第１ネジ穴４０ａにねじ込まれると、支持具の取付が完了する。支持具取付部５５７に支持具が取り付けられた状態では、カメラ本体５００を支持できる程度の圧力で露出面５５９が支持具に押し付けられている。
【０１９７】
図９（Ｂ）に示すように、支持具取付部５５７が第２位置に配置されている場合には、支持具取付部５５７の一部が外表面１６２から突出している。本実施形態では、第２位置での支持具取付部５５７の突出量が小さいので、支持具は外表面４６２を介してカメラ本体５００を支えることができる。例えば、支持具に対して傾けようとする力がカメラ本体５００に加わっても、支持具取付部５５７には過大な負荷がかかりにくい。具体的には、カメラ本体５００では支持具と外表面４６２と間に形成される隙間を小さくできるので、カメラ本体５００が支持具に対してわずかに傾いたとしても、支持具と外表面４６２が当接する。その結果、カメラ本体５００が外表面４６２を介して支持具に支持される。このように、カメラ本体５００では支持具取付部５５７に過大な負荷がかかることを抑制できる。
【０１９８】
《取り外し動作》
支持具が支持具取付部５５７に取り付けられた状態では、支持具取付部５５７は第２位置に配置され、露出面５５９と支持具が当接している。第１ネジ穴４０ａは右ネジに対応して形成されているので、支持具ネジ９０を図９（Ｃ）のＲ２方向に回転させることにより、支持具ネジ９０を第１ネジ穴４０ａから抜くことができる。つまり、支持具を支持具取付部５５７から取り外すことができる。
【０１９９】
ユーザーが支持具取付部５５７に取り付けられた支持具ネジ９０をＲ２方向に回転させると、支持具ネジ９０を介して支持具取付部５５７にＲ２方向の駆動力が入力される。前述のように、第２ネジ穴５３４ａとネジ部６０ａとの間の摩擦力は比較的小さく設定されているので、支持具取付部５５７はホルダ部５３２に対してＲ２方向に回転を始める。支持具取付部５５７がＲ２方向に回転すると、大径部６０は第２ネジ穴５３４ａに導かれてＺ軸正方向に（つまり、第１受け部５５５側に）移動する。
【０２００】
図１０（Ｃ）に示すように、支持具取付部５５７がＲ２方向にある程度回転すると、大径部６０が第１受け部５５５に当接する。その結果、支持具取付部５５７の移動は第１受け部５５５により制限され、支持具取付部５５７は第１受け部５５５に対して静止する。このとき、支持具取付部５５７は第１位置に配置されている。
【０２０１】
なお、支持具取付部５５７が第２位置から第１位置に移動する際に、支持具ネジ９０が支持具取付部５５７に対してＲ２方向に相対回転していても構わない。つまり、支持具取付部５５７がホルダ部５３２に対してＲ２方向に回転すると同時に、支持具ネジ９０が支持具取付部５５７に対してＲ２方向に回転していてもよい。
【０２０２】
支持具取付部５５７が第１位置に到達すると、支持具取付部５５７に対する支持具ネジ９０のＲ２方向の回転が再開あるいは続行する。ユーザーが支持具ネジ９０をＲ２方向に回転させ続けると、支持具ネジ９０が第１ネジ穴４０ａから外れ、支持具の取り外しが完了する。
【０２０３】
以上のように、本実施形態に係るカメラ本体５００では、支持具取付部５５７は支持具と一体回転可能であるので、ユーザーが支持具ネジ９０を回転させると、支持具取付部５５７が回転する。また、第１ネジ穴４０ａが右ネジに対応して形成され、第２ネジ穴５３４ａは左ネジに対応して形成されているので、支持具取付部５５７が回転すると、支持具取付部５５７に対する支持具ネジ９０の進行方向（Ｚ軸正方向）とは逆向きに、支持具取付部５５７が移動する。その結果、支持具取付部５５７が第１位置から第２位置に移動する。
【０２０４】
また、支持具を支持具取付部５５７から取り外すためにユーザーが支持具ネジ９０を回転させると、支持具取付部５５７が支持具ネジ９０と一体に回転し、第２位置から第１位置に移動する。
【０２０５】
このように、ユーザーが支持具を取り付ける動作に連動して支持具取付部５５７は第１位置から第２位置に移動し、ユーザーが支持具を取り外す動作に連動して支持具取付部５５７は第２位置から第１位置に移動する。
【０２０６】
〔他の実施形態〕
本発明の実施形態は、前述の実施形態に限定されず、本発明の趣旨を逸脱しない範囲で種々の変形および修正が可能である。
【０２０７】
（Ａ）
前述の実施形態では、交換レンズ式のデジタルカメラを例にして説明したが、ここに示された技術を適用できる撮像装置はこれに限られない。ここに開示された技術は支持具取付部を有する撮像装置に適用可能であり、例えば、交換レンズ式のデジタルビデオカメラや、レンズ鏡筒一体型のデジタルカメラならびにビデオカメラに適用可能である。
【０２０８】
（Ｂ）
前述の実施形態では弾性部材として圧縮コイルバネを用いたが、弾性部材は圧縮コイルバネに限られない。弾性部材として、例えば、ゴムなどを用いることが出来る。
【０２０９】
また、前述の実施形態では弾性部材であるコイルバネ１６０を用いて支持具取付部１５７を移動させる構成について説明したが、支持具取付部１５７を移動可能に支持する部材または機構は弾性部材に限られない。例えば、支持具を用いない場合においては磁石（保持部材の一例）の吸着力を用いて第１位置に支持具取付部１５７を保持し、支持具が取り付けられた時にはネジの締め付け力によって支持具取付部１５７を移動させて第２位置に来るようにすることもできる。要するに、支持具取付部１５７が第１位置と第２位置との間を移動可能であり、かつ、支持具取付部１５７を第１位置および第２位置に保持できる構成であれば、どんな構成が用いられてもよい。
【産業上の利用可能性】
【０２１０】
ここに示された技術は、支持具取付部をユーザーが触れにくい位置に配置するために利用でき、支持具を装着可能な撮像装置に適用できる。具体的には、ここに開示された技術は、デジタルスチルカメラやデジタルビデオカメラなどに適用可能であり、有用である。
【符号の説明】
【０２１１】
１    デジタルカメラ（撮像装置の一例）
１０    支持体ユニット
２０    開口部
２２    開口
３０    プレート部
３２    位置決め部
３４    支柱部
３４ａ    第１柱部
３４ｂ    第２柱部
３４ｃ    第３柱部
３４ｄ    第４柱部
４０    本体部
４０ａ    第１ネジ穴
４０ｂ    入口
５０    凹部
１００    カメラ本体（撮像装置の一例）
１０１    外装部
１０１ａ    外装底面部
１１０    ＣＭＯＳイメージセンサー
１１３    ＣＭＯＳ回路基板
１２０    カメラモニタ
１３０    操作部
１３１    レリーズ釦
１４０    カメラコントローラー
１４２    メイン回路基板
１５０    ボディマウント
１５４    メインフレーム
１５４ａ    フレーム底面部
１５４ｂ    フレーム前面部
１５５    第１受け部
１５５−１、１５５−２、１５５−３、１５５−４    第１突起
１５６    第２受け部
１５６−１、１５６−２、１５６−３、１５６−４    第２突起
１５７    支持具取付部
１５８    支持具取付部上部
１５９    露出面
１６０    コイルバネ
１６２    外表面
１６５    電源
１８０    電子ビューファインダー
１９０    シャッターユニット
２００    レンズユニット
４００    カメラ本体（第２実施形態）
４０１    外装部
４０１ａ    外装底面部
４１０    支持体ユニット
４３２    位置決め部
４３４    支柱部
４３４ａ    第１柱部
４３４ｂ    第２柱部
４３４ｃ    第３柱部
４３４ｄ    第４柱部
４３６    基部
４６２    外表面
４６３    第１受け部
４６３−１、４６３−２、４６３−３、４６３−４    第１突起
４６４    第２受け部
４６４−１、４６４−２、４６４−３、４６４−４    第２突起
５００    カメラ本体（第３実施形態）
５０１ａ    外装底面部
５１０    支持体ユニット
６０    大径部
６０ａ    ネジ部
６２    小径部
５３２    ホルダ部
５３４    胴部
５３４ａ    第２ネジ穴
５５４    メインフレーム
５５４ａ    フレーム底面部
５５５    第１受け部
５５６    第２受け部
５５７    支持具取付部
５５９    露出面
【国際調査報告】
2010150553.tif 000023
2010150553.tif 000024
2010150553.tif 000025
2010150553.tif 000026